(57)【要約】  本発明は、ＬＴＥ(Long  Term  Evolution)のような４Ｇ(4th-Generation)通信システムより高いデータレートをサポートするために提供されるプリ５Ｇ又は５Ｇ通信システムに関する。 リスンビフォートーク(ＬＢＴ)プロトコルを実現するための基地局の方法が提供される。この方法は、送信のためにディスカバリ基準信号(ＤＲＳ）又はデータ信号のうち少なくとも一つを生成するステップと、単一の感知区間に基づいたＬＢＴプロトコルを開始することによってチャンネルにアクセスし、連続する直交周波数分割多重(ＯＦＤＭ)シンボルでＤＲＳを送信するステップと、ランダムバックオフを有するＬＢＴプロトコルを開始することによりチャンネルにアクセスし、データ信号を送信するステップとを有し、ランダムバックオフを有するＬＢＴのバックオフカウンタ値は、ＤＲＳがチャンネルで送信される場合に減少しない。
2017535198.tif 000002
【特許請求の範囲】
【請求項１】
基地局(ＢＳ)によりリスンビフォートーク(ＬＢＴ)プロトコルを実現する方法であって、
送信のためにディスカバリ基準信号(ＤＲＳ）又はデータ信号のうち少なくとも一つを生成するステップと、
単一の感知区間に基づいたＬＢＴプロトコルを開始することによってチャンネルにアクセスし、連続する直交周波数分割多重(ＯＦＤＭ)シンボルで前記ＤＲＳを送信するステップと、
ランダムバックオフを有するＬＢＴプロトコルを開始することにより前記チャンネルにアクセスし、前記データ信号を送信するステップと、を有し、
前記ランダムバックオフを有するＬＢＴのバックオフカウンタ値は、前記ＤＲＳが前記チャンネルで送信される場合に減少しないことを特徴とする方法。
【請求項２】
前記ＤＲＳ又は前記データ信号のうち少なくとも一つは、初期信号を含み、前記初期信号は可変部分及び固定部分を含み、
前記固定部分は、プライマリ同期信号(ＰＳＳ)、セカンダリ同期信号(ＳＳＳ)、共通基準信号(ＣＲＳ)、又はセル特定基準信号(ＣＳＲＳ)のうち少なくとも一つを含むことを特徴とする請求項１に記載の方法。
【請求項３】
前記固定部分は、物理ダウンリンク制御チャンネル(ＰＤＣＣＨ)又は向上した物理ダウンリンク制御チャンネル(ＥＰＤＳＣＨ)のうち少なくとも一つで多重化されることを特徴とする請求項２に記載の方法。
【請求項４】
前記ＤＲＳ及び前記データ信号の各々は、２スロットの復調基準信号(ＤＭ-ＲＳ)マッピングパターン又は１スロットＤＭ-ＲＳマッピングパターンのうちいずれか一つを含むことを特徴とする請求項１に記載の方法。
【請求項５】
送信のために前記ＤＲＳ又は前記データ信号のうち少なくとも一つを生成するステップは、チャンネルアクセスタイミングに基づいて前記２スロットＤＭ-ＲＳマッピングパターン又は前記１スロットＤＭ-ＲＳマッピングパターンを有する前記ＤＲＳ又は前記データ信号のうち少なくとも一つを設定することを有することを特徴とする請求項４に記載の方法。
【請求項６】
処理回路を含む基地局(ＢＳ)であって、
前記処理回路は、
送信のためにディスカバリ基準信号(ＤＲＳ）又はデータ信号のうち少なくとも一つを生成し、
単一の感知区間に基づいたリスンビフォートーク(ＬＢＴ)プロトコルを開始することによりチャンネルにアクセスし、連続する直交周波数分割多重(ＯＦＤＭ)シンボルで前記ＤＲＳを送信し、
ランダムバックオフを有するＬＢＴプロトコルを開始することにより、前記チャンネルにアクセスして前記データ信号を送信するように構成され、
前記ランダムバックオフを有するＬＢＴのバックオフカウンタ値は、前記ＤＲＳが前記チャンネルで送信される場合に減少しないことを特徴とする基地局。
【請求項７】
前記ＤＲＳ又は前記データ信号のうち少なくとも一つは初期信号を含み、前記初期信号は可変部分及び固定部分を含み、
前記固定部分は、プライマリ同期信号(ＰＳＳ)、セカンダリ同期信号(ＳＳＳ)、共通基準信号(ＣＲＳ)、又はセル特定基準信号(ＣＳＲＳ)のうち少なくとも一つを含むことを特徴とする請求項６に記載の基地局。
【請求項８】
前記固定部分は、物理ダウンリンク制御チャンネル(ＰＤＣＣＨ)又は向上した物理ダウンリンク制御チャンネル(ＥＰＤＳＣＨ)のうち少なくとも一つで多重化されることを特徴とする請求項７に記載の基地局。
【請求項９】
前記ＤＲＳ及び前記データ信号の各々は２スロットの復調基準信号(ＤＭ-ＲＳ)マッピングパターン又は１スロットＤＭ-ＲＳマッピングパターンのうちいずれか一つを含むことを特徴とする請求項６に記載の基地局。
【請求項１０】
前記処理回路は、チャンネルアクセスタイミングに基づいて前記２スロットＤＭ-ＲＳマッピングパターン又は前記１スロットＤＭ-ＲＳマッピングパターンを有する前記ＤＲＳ又は前記データ信号のうち少なくとも一つを設定するようにさらに構成されることを特徴とする請求項９に記載の基地局。
【請求項１１】
移動局(ＭＳ)によりリスンビフォートーク(ＬＢＴ)プロトコルを実現する方法であって、
単一の感知区間に基づいたＬＢＴプロトコルを用いてチャンネルを介して基地局(ＢＳ）から送信されるディスカバリ基準信号(ＤＲＳ）を受信するステップと、
ランダムバックオフを有するＬＢＴプロトコルを用いて前記チャンネルを介して前記ＢＳから送信されるデータ信号を受信するステップと、を有し、
前記ＤＲＳは、連続する直交周波数分割多重(ＯＦＤＭ)シンボルで受信されることを特徴とする方法。
【請求項１２】
前記ＤＲＳ又は前記データ信号のうち少なくとも一つは、初期信号を含み、前記初期信号は可変部分及び固定部分を含み、
前記固定部分は、プライマリ同期信号(ＰＳＳ)、セカンダリ同期信号(ＳＳＳ)、共通基準信号(ＣＲＳ)、又はセル特定基準信号(ＣＳＲＳ)のうち少なくとも一つを含むことを特徴とする請求項１１に記載の方法。
【請求項１３】
前記固定部分は、物理ダウンリンク制御チャンネル(ＰＤＣＣＨ)又は向上した物理ダウンリンク制御チャンネル(ＥＰＤＳＣＨ)のうち少なくとも一つで多重化されることを特徴とする請求項１２に記載の方法。
【請求項１４】
前記ＤＲＳ及び前記データ信号の各々は、２スロットの復調基準信号(ＤＭ-ＲＳ)マッピングパターン又は１スロットＤＭ-ＲＳマッピングパターンのうちいずれか一つを含むことを特徴とする請求項１１に記載の方法。
【請求項１５】
前記ＤＲＳ及び前記データ信号は、チャンネルアクセスタイミングに基づいて前記２スロットＤＭ-ＲＳマッピングパターン又は前記１スロットＤＭ-ＲＳマッピングパターンで設定されることを特徴とする請求項１４に記載の方法。
【請求項１６】
送受信器及び
処理回路を含み、
前記処理回路は、
前記送受信器を通じて、単一の感知区間に基づいたリスンビフォートーク(ＬＢＴ)プロトコルを用いてチャンネルを介して基地局(ＢＳ）から送信されるディスカバリ基準信号(ＤＲＳ）の受信を検出し、
前記送受信器を通じて、ランダムバックオフを有するＬＢＴプロトコルを用いて、前記チャンネルを介して前記基地局から送信されるデータ信号の受信を検出するように構成され、
前記ＤＲＳは、連続する直交周波数分割多重(ＯＦＤＭ)シンボルで受信されることを特徴とする移動局。
【請求項１７】
前記ＤＲＳ又は前記データ信号のうち少なくとも一つは初期信号を含み、前記初期信号は可変部分及び固定部分を含み、
前記固定部分は、プライマリ同期信号(ＰＳＳ)、セカンダリ同期信号(ＳＳＳ)、共通基準信号(ＣＲＳ)、又はセル特定基準信号(ＣＳＲＳ)のうち少なくとも一つを含むことを特徴とする請求項１６に記載の移動局。
【請求項１８】
前記固定部分は、物理ダウンリンク制御チャンネル(ＰＤＣＣＨ)又は向上した物理ダウンリンク制御チャンネル(ＥＰＤＳＣＨ)のうち少なくとも一つで多重化されることを特徴とする請求項１７に記載の移動局。
【請求項１９】
前記ＤＲＳ及び前記データ信号の各々は、２スロットの復調基準信号(ＤＭ-ＲＳ)マッピングパターン又は１スロットＤＭ-ＲＳマッピングパターンのうちいずれか一つを含むことを特徴とする請求項１６に記載の移動局。
【請求項２０】
前記ＤＲＳ及び前記データ信号は、チャンネルアクセスタイミングに基づいて前記２スロットＤＭ-ＲＳマッピングパターン又は前記１スロットＤＭ-ＲＳマッピングパターンで設定されることを特徴とする請求項１９に記載の移動局。
【発明の詳細な説明】
【技術分野】
【０００１】
本発明は、一般的に無線通信システムに関するもので、より具体的にはアンライセンススペクトルにおけるＬＴＥ(Long Term Evolution)無線通信に関する。
【背景技術】
【０００２】
４Ｇ(4th-generation)通信システムの商用化以後に増加している無線データトラフィック需要を満たすために、改善された５Ｇ通信システム又はプリ(pre)-５Ｇ通信システムを開発するための努力がなされている。そのために、５Ｇ通信システム又はプリ５Ｇ通信システムは、‘４Ｇ以後ネットワーク(beyond 4G network)’又は‘ＬＴＥ以後システム(Post  LTE  System)'とも呼ばれる。
【０００３】
より高いデータレートを達成するために、５Ｇ通信システムは、超高周波(ｍｍＷａｖｅ)帯域、例えば６０ＧＨｚ帯域での実現が考慮されている。このような無線波の伝搬損失を低減して送信距離を増加するために、５Ｇ通信システムでは、ビームフォーミング(beam  forming)技術、大規模多重入力多重出力(massive  MIMO)技術、全次元ＭＩＭＯ(ＦＤ-ＭＩＭＯ)技術、アレイアンテナ技術、アナログビームフォーミング技術、及び大規模アンテナ技術が論議されている。
【０００４】
さらに、システムネットワークの改善のために、５Ｇ通信システムでは、改善された小型セル、クラウド無線アクセスネットワーク(cloud  RAN)、超高密度ネットワーク(ultra-dense  network)、デバイス間(Ｄ２Ｄ)通信、無線バックホール、移動ネットワーク、協力通信(cooperative  communication)、ＣｏＭＰ(Coordinated  Multi-Point)、受信端干渉除去などに基づいた方式による開発がなされている。
【０００５】
５Ｇシステムでは、向上した符号化変調(Advanced  Coding  Modulation：ＡＣＭ)方式としてハイブリッド周波数シフトキーイング(ＦＳＫ)及び直交振幅変調(ＱＡＭ)変調(ＦＱＡＭ)とスライディングウィンドウ重畳符号化(ＳＷＳＣ）、向上したアクセス技術としてフィルタバンクマルチキャリア(ＦＢＭＣ)方式、非直交多重アクセス(ＮＯＭＡ)方式、及びスパースコード多重アクセス(ＳＣＭＡ)方式が開発されている。
【０００６】
ＬＡＡ(Licensed  Assisted  Access）は、アンライセンス周波数スペクトル(５ＧＨｚ)でのＬＴＥ無線アクセス技術(ＲＡＴ）を称する。ＲＥＬ-１３の場合、ＬＡＡセル/キャリアは、キャリアアグリゲーションのＳＣｅｌｌである。ＷｉＦｉネットワークとの共存のために、ＬＢＴ(Listen-Before-Talk)/ＣＣＡ(Clear  Channel  Assessment)及び制限された最大送信持続期間を有する不連続送信が要求される。
【発明の概要】
【発明が解決しようとする課題】
【０００７】
したがって、上記した従来技術の問題点を解決するために、本発明の目的は、アンライセンススペクトルでＬＴＥセルの効率的なオペレーションを提供することにある。
【課題を解決するための手段】
【０００８】
上記のような目的を達成するために、本発明の一態様によれば、基地局(ＢＳ)によりリスンビフォートーク(ＬＢＴ)プロトコルを実現する方法が提供される。その方法は、送信のためにディスカバリ基準信号(ＤＲＳ）又はデータ信号のうち少なくとも一つを生成するステップと、単一の感知区間に基づいたＬＢＴプロトコルを開始することによってチャンネルにアクセスし、連続する直交周波数分割多重(ＯＦＤＭ)シンボルで前記ＤＲＳを送信するステップと、ランダムバックオフを有するＬＢＴプロトコルを開始することにより前記チャンネルにアクセスし、前記データ信号を送信するステップとを有し、前記ランダムバックオフを有するＬＢＴのバックオフカウンタ値は、前記ＤＲＳが前記チャンネルで送信される場合に減少しない。
【０００９】
本発明の他の態様によれば、基地局(ＢＳ)が提供される。ＢＳは、処理回路を含む。前記処理回路は、送信のためにディスカバリ基準信号(ＤＲＳ）又はデータ信号のうち少なくとも一つを生成し、単一の感知区間に基づいたリスンビフォートーク(ＬＢＴ)プロトコルを開始することによりチャンネルにアクセスし、連続する直交周波数分割多重(ＯＦＤＭ)シンボルで前記ＤＲＳを送信し、ランダムバックオフを有するＬＢＴプロトコルを開始することにより、前記チャンネルにアクセスして前記データ信号を送信するように構成され、前記ランダムバックオフを有するＬＢＴのバックオフカウンタ値は、前記ＤＲＳが前記チャンネルで送信される場合に減少しない。
【００１０】
また、本発明の一態様によれば、移動局(ＭＳ)によりリスンビフォートーク(ＬＢＴ)プロトコルを実現する方法が提供される。その方法は、単一の感知区間に基づいたＬＢＴプロトコルを用いてチャンネルを介して基地局(ＢＳ）から送信されるディスカバリ基準信号(ＤＲＳ）を受信するステップと、ランダムバックオフを有するＬＢＴプロトコルを用いて前記チャンネルを介して前記ＢＳから送信されるデータ信号を受信するステップとを有し、前記ＤＲＳは、連続する直交周波数分割多重(ＯＦＤＭ)シンボルで受信される。
【００１１】
さらに、本発明の一態様によれば、移動局(ＭＳ)が提供される。移動局は、送受信器及び処理回路を含む。前記処理回路は、前記送受信器を通じて、単一の感知区間に基づいたリスンビフォートーク(ＬＢＴ)プロトコルを用いてチャンネルを介して基地局(ＢＳ）から送信されるディスカバリ基準信号(ＤＲＳ）の受信を検出し、前記送受信器を通じて、ランダムバックオフを有するＬＢＴプロトコルを用いて、前記チャンネルを介して前記基地局から送信されるデータ信号の受信を検出するように構成され、前記ＤＲＳは、連続する直交周波数分割多重(ＯＦＤＭ)シンボルで受信される。
【００１２】
本発明を詳細に説明するのに先立って、本明細書の全般にわたって使用される特定の単語及び語句の定義を開示することが望ましい。“含む（include）”及び “備える（comprise）”という語句だけではなく、その派生語（derivatives thereof）は、限定されない含有(inclusion)を意味する。“又は（or）”という用語は、“及び／又は（and/or）”の意味を包括する。“関連した（associated with）”及び“それと関連した（associated therewith）”という語句だけではなく、その派生語句は、“含む（include）”、“含まれる（be included within）”、“相互に接続する（interconnect with）”、“包含する（contain）”、“包含される（be contained within）”、“接続する（connect to or with）”、“結合する（couple to or with）”、“疎通する（be communicable with）”、“協力する（cooperate with）”、“相互配置する（interleave）”、“並置する（juxtapose）”、“近接する（be proximate to）”、“接する（be bound to or with）”、“有する（have）”、及び“特性を有する（have a property of）”などを意味することができる。制御部は、少なくとも１つの動作を制御する装置、システム又はその部分を意味するもので、ハードウェア、ファームウェア、ソフトウェア、又は、それらのうちの２つ以上の組合せで実現することができる。特定の制御部に関連する機能は、集中しているか、あるいは近距離、又は遠距離に分散されることもあることに留意すべきである。特定の単語及び語句に関するこのような定義は、本明細書の全般にわたって規定されるもので、当業者には、大部分の場合ではなくても、多くの場合において、このような定義がそのように定義された単語及び語句の先行使用にはもちろん、将来の使用にも適用されるものであることが自明である。
【００１３】
本発明のより完全な理解及びそれに従う利点は、添付された図面とともに考慮すれば、後述する詳細な説明を参照してより容易に理解できる。また、図面中、同一の参照符号は、同一であるか又は類似した構成要素を示す。
【図面の簡単な説明】
【００１４】
【図１】本発明による無線ネットワークの一例を示す図である。
【図２Ａ】本発明による直交周波数分割多重接続(ＯＦＤＭＡ)送信及び受信経路の一実施形態を示す図である。
【図２Ｂ】本発明による直交周波数分割多重接続(ＯＦＤＭＡ)送信及び受信経路の一実施形態を示す図である。
【図３】本発明による基地局(ＢＳ)の一例を示す図である。
【図４】本発明による移動局(ＭＳ)の例を示す図である。
【図５】本発明によるＤＬ送信時間間隔(ＴＴＩ)の構成例を示す図である。
【図６】本発明によるサブフレーム内のＣＲＳ  ＲＥマッピングの一例を示す図である。
【図７】本発明によるＦＤＤ及びＴＤＤのためのＰＳＳ/ＳＳＳに対するタイムドメイン位置の例を示す図である。
【図８】本発明によるライセンススペクトル上のキャリア及びアンライセンススペクトル上のキャリアのキャリアアグリゲーションの一例を示す図である。
【図９】本発明によるＬＡＡダウンリンクキャリアの送信パターンの一例を示す図である。
【図１０Ａ】本発明によるＤＲＳオケージョンの例を示す図である。
【図１０Ｂ】本発明によるＤＲＳオケージョンの例を示す図である。
【図１１Ａ】本発明によるＦＤＤ及びＴＤＤのためのＫｍｓの持続期間を有するＤＲＳオケージョンの例を示す図である。
【図１１Ｂ】本発明によるＦＤＤ及びＴＤＤのためのＫｍｓの持続期間を有するＤＲＳオケージョンの例を示す図である。
【図１２Ａ】本発明による第１のフレーム構造タイプを有する第１の方法のＣＯＳの例を示す図である。
【図１２Ｂ】本発明による第１のフレーム構造タイプを有する第１の方法のＣＯＳの例を示す図である。
【図１２Ｃ】本発明による第１のフレーム構造タイプを有する第１の方法のＣＯＳの例を示す図である。
【図１２Ｄ】本発明による第１のフレーム構造タイプを有する第１の方法のＣＯＳの例を示す図である。
【図１３Ａ】本発明による第２のフレーム構造タイプを有する第１の方法のＣＯＳの例を示す図である。
【図１３Ｂ】本発明による第２のフレーム構造タイプを有する第１の方法のＣＯＳの例を示す図である。
【図１３Ｃ】本発明による第２のフレーム構造タイプを有する第１の方法のＣＯＳの例を示す図である。
【図１３Ｄ】本発明による第２のフレーム構造タイプを有する第１の方法のＣＯＳの例を示す図である。
【図１４Ａ】本発明による第１のフレーム構造タイプを有する第２の方法のＣＯＳの例を示す図である。
【図１４Ｂ】本発明による第１のフレーム構造タイプを有する第２の方法のＣＯＳの例を示す図である。
【図１４Ｃ】本発明による第１のフレーム構造タイプを有する第２の方法のＣＯＳの例を示す図である。
【図１４Ｄ】本発明による第１のフレーム構造タイプを有する第２の方法のＣＯＳの例を示す図である。
【図１５Ａ】本発明による第２のフレーム構造を有する第２の方法のＣＯＳの例を示す図である。
【図１５Ｂ】本発明による第２のフレーム構造を有する第２の方法のＣＯＳの例を示す図である。
【図１６Ａ】本発明による第３の方法のＣＯＳの例を示す図である。
【図１６Ｂ】本発明による第３の方法のＣＯＳの例を示す図である。
【図１６Ｃ】本発明による第３の方法のＣＯＳの例を示す図である。
【図１６Ｄ】本発明による第３の方法のＣＯＳの例を示す図である。
【図１６Ｅ】本発明による第３の方法のＣＯＳの例を示す図である。
【図１６Ｆ】本発明による第３の方法のＣＯＳの例を示す図である。
【図１７Ａ】本発明による第４の方法のＣＯＳの例を示す図である。
【図１７Ｂ】本発明による第４の方法のＣＯＳの例を示す図である。
【図１８】本発明による１スロットＰＤＳＣＨ/ＥＰＤＣＣＨに対するＤＭＲＳリソース要素マッピングの一例を示す図である。
【図１９Ａ】本発明による１スロットＰＤＳＣＨ/ＥＰＤＣＣＨに対するＤＭＲＳリソース要素マッピングの他の例を示す図である。
【図１９Ｂ】本発明によるノーマルＰＤＳＣＨ/ＥＰＤＣＣＨに対するＤＭＲＳリソース要素マッピングの他の例を示す図である。
【図２０Ａ】本発明による進化したディスカバリ信号の例を示す図である。
【図２０Ｂ】本発明による進化したディスカバリ信号の例を示す図である。
【図２０Ｃ】本発明による進化したディスカバリ信号の例を示す図である。
【図２０Ｄ】本発明による進化したディスカバリ信号の例を示す図である。
【図２０Ｅ】本発明による進化したディスカバリ信号の例を示す図である。
【図２０Ｆ】本発明による進化したディスカバリ信号の例を示す図である。
【図２０Ｇ】本発明による進化したディスカバリ信号の例を示す図である。
【図２０Ｈ】本発明による進化したディスカバリ信号の例を示す図である。
【図２０Ｉ】本発明による進化したディスカバリ信号の例を示す図である。
【図２１Ａ】本発明によるＣＣＡスロット定義の例を示す図である。
【図２１Ｂ】本発明によるＣＣＡスロット定義の例を示す図である。
【図２２】本発明によるＣＣＡスロット定義の例を示す図である。
【図２３】本発明によるＣＣＡスロット定義の例を示す図である。
【図２４】本発明によるＣＣＡスロット定義の例を示す図である。
【図２５】本発明によるＣＣＡスロット定義の例を示す図である。
【図２６】本発明による方法の一例を示す図である。
【発明を実施するための形態】
【００１５】
以下、本発明の望ましい実施形態を添付の図面を参照して詳細に説明する。
【００１６】
次の文献及び標準技術は、本明細書で完全に説明されたように本発明に組み込まれる：3GPP  TS  36.211  v12.3.0,  “E-UTRA,Physical  channels  and  modulation.”[1];3GPP  TS  36.212  v12.2.0,“E-UTRA,  Multiplexing  and  Channel  coding”  [2];3GPP  TS  36.213  v12.3.0,  “E-UTRA,  Physical  Layer  Procedures”[3];3GPP  TR  36.872  V12.1.0,  “Small  cell  enhancements  for  E-UTRA  and  E-UTRAN-Physical  layer  aspects”[4];3GPP  TS  36.  133  v12.5.0,  “E-UTRA  Requirements  for  support  of  radio  resource  management”[5];3GPP  TS  36．331  v12.3.0,  “E-UTRA,  Radio  Resource  Control(RRC)  Protocol  Specification”[6];ETSI  EN  301  893  V1.7.1(2012-06),Harmonized  European  Standard,  “Broadband  Radio  Access  Networks(BRAN);5GHz  high  performance  RLAN”[7];WD-201409-004-1-US0“Methods  and  apparatus  of  LTE  cell  detection,  synchronization  and  measurement  on  unlicensed  spectrum”[8];WD-201203-008-1-US0“METHODS  AND  APPARATUS  FOR  DEMODULATION  REFERENCE  ｎSIGNALS  AND  SYNCHRONIZATION  SIGNALS  IN  EXTENSION  CARRIER  OF  LTE  ADVANCED”[9];及び3GPP  TS  36.889  v13.0.0  (2015-06)“Study  on  Licensed-Assisted  Access  to  Unlic
ensed  Spectrum”[10].
【００１７】
本特許文献において本発明の原理を説明するために使われる、後述する図１乃至図２６、及び多様な実施形態は、単に例示の方法によるものであり、いかなる方式でも本発明の範囲を制限すると解釈されてはならない。当業者は、本発明の原理が適切に配列された任意の無線通信システムで実現可能であることが理解できる。
【００１８】
図１は、本発明による無線ネットワーク１００の一例を示す。図１に示す無線ネットワーク１００の実施形態は、単に説明のためのものである。無線ネットワーク１００に対する他の実施形態は、本発明の範囲を逸脱することなく使用され得る。
【００１９】
図１に示すように、無線ネットワーク１００は、ＢＳ１０１、ＢＳ１０２、及びＢＳ１０３を含む。ＢＳ１０１は、ＢＳ１０２及びＢＳ１０３と通信する。さらに、ＢＳ１０１は、少なくとも一つのインターネットプロトコル(ＩＰ)ネットワーク１３０、例えばインターネット、専用ＩＰネットワーク、又は他のデータネットワークとも通信する。
【００２０】
ネットワークタイプに基づき、よく知られている他の用語が“ｅＮｏｄｅＢ”又は“ｅＮＢ”あるいは“アクセスポイント”のような“基地局”又は“ＢＳ”の代わりに使用されてもよい。これら用語は、交互に使用でき、本特許文献では移動局(ＭＳ)に対する無線アクセスを提供するネットワークインフラストラクチャコンポーネントを称するものとして使用される。また、ネットワークタイプに従って、よく知られている他の用語は、“ユーザー端末”、“ＵＥ”、“加入者局”、“遠隔端末”、“無線端末”、又は“ユーザーデバイス”のような“移動局”又は“ＭＳ”の代わりに使用されてもよい。これら用語は、交互に使用でき、本特許文献では、ＭＳが移動デバイス(例えば、携帯電話又はスマートフォン)でも、一般的に考慮される固定デバイス(例えば、デスクトップコンピュータ又は自動販売機)でも、ＢＳに無線でアクセスする遠隔無線端末を称するものとして使用される。
【００２１】
ＢＳ１０２は、ＢＳ１０２のカバレッジ領域１２０内の第１の複数のＭＳに対してネットワーク１３０への無線広帯域アクセスを提供する。第１の複数のＭＳは、中小企業(ＳＢ)に位置するＭＳ１１１、大企業(Ｅ)に位置するＭＳ１１２、ＷｉＦｉホットスポット(ＨＳ）に位置するＭＳ１１３、第１の住居地域(Ｒ)に位置するＭＳ１１４、第２の住居地域(Ｒ)に位置するＭＳ１１５、及び携帯電話、無線ラップトップ、無線ＰＤＡのようなモバイルデバイス(Ｍ)であるＭＳ１１６を含む。ＢＳ１０３は、ＢＳ１０３のカバレッジ領域１２５内の第２の複数のＭＳに対してネットワーク１３０への無線広帯域アクセスを提供する。第２の複数のＭＳは、ＭＳ１１５及びＭＳ１１６を含む。一部の実施形態において、ＢＳ１０１-１０３のうち一つ以上は、５Ｇ、ＬＴＥ、ＬＴＥ-Ａ、ＷｉＭＡＸ、又は他の向上した無線通信技術を用いて相互及びＭＳ１１１-１１６と通信する。
【００２２】
点線は、単に例示及び説明の目的でほぼ円形で示すカバレッジ領域１２０及び１２５の概略的な範囲を示す。ＢＳに関連したカバレッジ領域、例えばカバレッジ領域１２０及び１２５は、ＢＳの構成、及び自然及び人工障害物に関連した無線環境の変化に応じて、不規則な形態を含む他の形態を有することが明らかに理解されよう。
【００２３】
以下、より詳細に説明するように、ネットワーク１００内の各種デバイス(例えば、ＢＳ及びＭＳ)は、チャンネル推定に関する技術をサポートする。
【００２４】
図１は、無線ネットワーク１００の一例を示すが、図１に対して多様な変化がなされることができる。例えば、無線ネットワーク１００は、任意の適切な配列で任意の個数のＢＳ及び任意の個数のＭＳを含んでもよい。また、ＢＳ１０１は、任意の個数のＭＳと直接通信し、このＭＳにネットワーク１３０への無線広帯域アクセスを提供できる。同様に、各ＢＳ１０２-１０３は、ネットワーク１３０と直接通信し、ＭＳにネットワーク１３０への直接無線広帯域アクセスを提供する。さらに、ＢＳ１０１，１０２、及び/又は１０３は、外部電話ネットワーク又は他のタイプのデータネットワークのような他の又は追加の外部ネットワークへのアクセスを提供できる。
【００２５】
図２Ａ及び図２Ｂは、本発明による直交周波数分割多重接続(ＯＦＤＭＡ)送信及び受信経路の実施形態を示す。図２Ａにおいて、送信経路２００は、図１のｅＮＢ１０２のようなｅＮＢで実現できる。図２Ｂにおいて、受信経路２５０は、図１のＵＥ１１６のようなＵＥで実現できる。しかしながら、受信経路２５０は、図１のｅＮＢ１０２のようなｅＮＢで実現でき、送信経路２００は、ＵＥで実現できることが理解される。送信経路２００及び受信経路２５０は、本明細書で説明するｅＮＢ間の調整方法を実現するように構成される。
【００２６】
送信経路２００は、チャンネル符号化及び変調ブロック２０５、直列-並列(S-to-P)ブロック２１０、サイズＮ逆高速フーリエ変換(ＩＦＦＴ)ブロック２１５、並列-直列(P-to-S）ブロック２２０、加算サイクリックプレフィックスブロック２２５、及びアップコンバータ(ＵＣ)２３０を含む。受信経路２５０は、ダウンコンバータ(ＤＣ)２５５、除去サイクリックプレフィックスブロック２６０、直列-並列(S-to-P)ブロック２６５、サイズＮ高速フーリエ変換(ＦＦＴ)ブロック２７０、並列-直列(P-to-S）ブロック２７５、及びチャンネル復号化及び復調ブロック２８０を含む。
【００２７】
図２Ａ及び図２Ｂのコンポーネントのうち少なくとも一部はソフトウェアで実現でき、他のコンポーネントは設定可能なハードウェア又はソフトウェアと設定可能なハードウェアとの混合により実現できる。特定の例として、ＦＦＴブロック２７０及びＩＦＦＴブロック２１５は、設定可能なソフトウェアアルゴリズムで実現でき、ここでサイズＮの値は、その実現によって修正されることがある。
【００２８】
さらに、ＦＦＴ及びＩＦＦＴを用いて説明したが、これは、単に例示によるものであって、本発明の範囲を限定するものとして解釈されてはならない。他のタイプの変換、例えばＤＦＴ(Discrete  Fourier  Transform)及びＩＤＦＴ(Inverse  Discrete  Fourier  Transform)関数が使用され得る。ＤＦＴ及びＩＤＦＴ関数の場合、変数Ｎの値は、任意の整数(例えば、１，２，３，４など)であり、ＦＦＴ及びＩＦＦＴ関数の場合、変数Ｎの値は２の自乗(例えば、１，２，４，８、１６など)である任意の整数であり得ると理解できる。
【００２９】
送信経路２００において、チャンネル符号化及び変調ブロック２０５は、一連の情報ビットを受信し、符号化(例えば、ターボ又はＬＤＰＣ符号化)を適用し、その入力ビットを変調(例えば、ＱＰＳＫ(Quadrature  Phase  Shift  Keying)又はＱＡＭ(Quadrature  Amplitude  Modulation))することで、周波数-領域変調シンボルのシーケンスを生成する。直列-並列ブロック２１０は、直列変調されたシンボルを並列データに変換(例えば、逆多重化)してＮ並列シンボルストリームを生成し、ここで、ＮはｅＮＢ１０２及びＵＥ１１６で使用されるＩＦＦＴ/ＦＦＴサイズである。サイズＮ  ＩＦＦＴブロック２１５は、Ｎ並列シンボルストリーム上でＩＦＦＴ動作を実行し、時間-領域出力信号を生成する。並列-直列ブロック２２０は、サイズＮ  ＩＦＦＴブロック２１５からの並列時間-領域出力シンボルを変換(例えば、多重化)し、直列時間-領域信号を生成する。加算サイクリックプレフィックスブロック２２５は、時間-領域信号にサイクリックプレフィックスを挿入する。アップコンバータ２３０は、無線チャンネルを介する送信のために加算サイクリックプレフィックスブロック２２５の出力をＲＦ周波数で変調(例えば、アップコンバート)する。また、この信号は、ＲＦ周波数に変換する以前に、ベースバンドでフィルタリングされることもある。
【００３０】
送信されたＲＦ信号は、無線チャンネルを通過した以後にＵＥ１１６に到達し、ｅＮＢ１０２での動作に対する逆動作が実行される。ダウンコンバータ２５５は、受信された信号をベースバンド周波数にダウンコンバートし、除去サイクリックプレフィックスブロック２６０は、そのサイクリックプレフィックスを除去し、直列時間-領域ベースバンド信号を生成する。直列-並列ブロック２６５は、時間-領域ベースバンド信号を並列時間-領域信号に変換する。サイズＮ  ＦＦＴブロック２７０は、ＦＦＴアルゴリズムを遂行してＮ並列周波数-領域信号を生成する。並列-直列ブロック２７５は、並列周波数-領域信号を変調したデータシンボルのシーケンスに変換する。チャンネル復号化及び復調ブロック２８０は、変調されたシンボルに対して復調及び復号化することにより、元の入力データストリームを回復する。
【００３１】
ｅＮＢ１０１-１０３は、各々ＵＥ１１１-１１６へのダウンリンク送信と類似した送信経路を実現し、ＵＥ１１１-１１６からのアップリンク受信と類似した受信経路を実現することができる。同様に、ＵＥ１１１-１１６は、各々ｅＮＢ１０１-１０３へのアップリンク送信のためのアーキテクチャに対応する送信経路を実現でき、ｅＮＢ１０１-１０３からのダウンリンク受信のためのアーキテクチャに対応する受信経路を実現できる。
【００３２】
いくつかの実施形態において、ｅＮＢは、一つ又は複数のセルを有し、各々のセルは、一つ又は複数のアンテナアレイを有することができる。また、セル内の各アレイは、時間分割デュプレックス(ＴＤＤ)システムでの異なるアップリンク及びダウンリンク比率のような異なるフレーム構造を有することができる。一つのアレイ又は一つのセルに複数のＴＸ/ＲＸ(送信/受信)チェーンが適用できる。セル内の一つ又は複数のアンテナアレイが同一のダウンリンク制御チャンネル(例えば、同期化チャンネル、物理的ブロードキャストチャンネルなど)送信を行うことができ、他のチャンネル(例えば、データチャンネル)は、各々のアンテナアレイに固有のフレーム構造で送信され得る。
【００３３】
図２Ａ及び図２Ｂは、ＯＦＤＭＡ送信及び受信経路の例を示すが、多様な変化が図２Ａ及び図２Ｂに対してなされる。例えば、図２Ａ及び図２Ｂの各種コンポーネントが組み合わせられ、さらに細分化され、あるいは省略され、特定の必要によって追加のコンポーネントが付加することも可能である。
【００３４】
図３は、本発明によるＢＳ１０２の一例を示す。図２に示すＢＳ１０２の実施形態は、単に説明のためのものであり、図１のＢＳ１０１及び１０３は、同一であり、類似した構成を有することができる。しかしながら、ＢＳは、各種の多様な構成からなり、図３は、ＢＳに対する任意の特定実現で本発明の範囲を制限するものではない。
【００３５】
図３に示すように、ＢＳ１０２は、複数のアンテナ３０５ａ-３０５ｎ、複数のＲＦ送受信器３１０ａ-３１０ｎ、送信(ＴＸ)処理回路３１５、及び受信(ＲＸ)処理回路３２０を含む。また、ＢＳ１０２は、制御器/プロセッサ３２５、メモリ３３０、及びバックホール又はネットワークインターフェース３３５を含む。
【００３６】
ＲＦ送受信器３１０ａ-３１０ｎは、アンテナ３０５ａ-３０５ｎから、ネットワーク１００内でＭＳにより送信される信号のような着信(incoming)ＲＦ信号を受信する。ＲＦ送受信器３１０ａ-３１０ｎは、着信ＲＦ信号をダウンコンバート(down-convert)し、ＩＦ又はベースバンド信号を生成する。ＩＦ又はベースバンド信号は、ベースバンド又はＩＦ信号をフィルタリングし、復号化し、及び/又はデジタル化することによって処理されたベースバンド信号を生成するＲＸ処理回路３２０に伝送される。ＲＸ処理回路３２０は、この処理されたベースバンド信号を、追加処理のために制御器/プロセッサ３２５に送信する。
【００３７】
ＴＸ処理回路３１５は、制御器/プロセッサ３２５からアナログ又はデジタルデータ(例えば、音声データ、Ｗｅｂデータ、電子メール、又は双方向ビデオゲームデータ)を受信する。ＴＸ処理回路３１５は、発信(outgoing)ベースバンドデータを符号化、多重化、及び/又はデジタル化して処理されたベースバンド又はＩＦ信号を生成する。ＲＦ送受信器３１０ａ-３１０ｎは、ＴＸ処理回路３１５から、着信処理されたベースバンド又はＩＦ信号を受信し、そのベースバンド又はＩＦ信号を、アンテナ３０５ａ-３０５ｎを介して送信されるＲＦ信号にアップコンバートする。
【００３８】
制御器/プロセッサ３２５は、ＢＳ１０２の全般的なオペレーションを制御する一つ以上のプロセッサ又は他のプロセシングデバイスを含むことができる。例えば、制御器/プロセッサ３２５は、よく知られている原理によってＲＦ送受信器３１０ａ-３１０ｎ、ＲＸ処理回路３２０、及びＴＸ処理回路３１５により順方向チャンネル信号の受信及び逆方向チャンネル信号の送信を制御できる。制御器/プロセッサ３２５は、より向上した無線通信機能のような追加機能もサポートできる。例えば、制御器/プロセッサ３２５は、ビームフォーミング(beamforming)又は方向ルーティング(directional  routing)動作をサポートし、ここで、複数のアンテナ３０５ａ-３０５ｎからの出力信号が異なるように加重処理されることにより、出力信号を所望の方向に効果的に制御できる。任意の各種多様な他の機能が制御器/プロセッサ３２５によりＢＳ１０２にサポートできる。いくつかの実施形態では、制御器/プロセッサ３２５は、少なくとも一つのマイクロプロセッサ又はマイクロ制御器を含む。
【００３９】
また、制御器/プロセッサ３２５は、メモリ３３０に常駐するプログラム及び他のプロセス、例えばコホンＯＳを実行できる。制御器/プロセッサ３２５は、実行プロセスによる要求に従ってデータをメモリ３３０の内部に又は外部に移動させることができる。
【００４０】
また、制御器/プロセッサ３２５は、バックホール又はネットワークインターフェース３３５にカップリングされる。バックホール又はネットワークインターフェース３３５は、ＢＳ１０２がバックホール接続を通じてあるいはネットワークを介して他のデバイス又はシステムと通信することを可能にする。インターフェース３３５は、任意の適切な有線又は無線接続を通じる通信をサポートできる。例えば、ＢＳ１０２がセルラー通信システム(例えば、５Ｇ、ＬＴＥ、又はＬＴＥ-Ａをサポートすること)の一部として実現される場合、インターフェース３３５は、ＢＳ１０２が有線又は無線バックホール接続を通じて他のＢＳと通信することを可能にする。ＢＳ１０２がアクセスポイントとして実現される場合、インターフェース３３５は、ＢＳ１０２が有線又は無線ローカル領域ネットワークを介してあるいは有線又は無線接続を通じてより大きいネットワーク(例えば、インターネット）に伝送することを可能にする。インターフェース３３５は、有線又は無線接続、例えばイーサネット（登録商標）又はＲＦ送受信器を通じる通信をサポートする任意の適切な構造を含む。
【００４１】
メモリ３３０は、制御器/プロセッサ３２５にカップリングされる。メモリ３３０の一部はＲＡＭを含み、メモリ３３０の他の一部は、フラッシュメモリ又は他のＲＯＭを含むことができる。
【００４２】
図３がＢＳ１０２の一例を示すが、多様な変化が図３に対してなされることができる。例えば、ＢＳ１０２は、図３に示す各コンポーネントに対する任意の個数を含むことができる。一つの特定例として、アクセスポイントは、複数のインターフェース３３５を含むことができ、制御器/プロセッサ３２５は、異なるネットワークアドレスの間でデータをルーティングするルーティング機能をサポートできる。他の特定例として、単一インスタンスのＴＸ処理回路３１５及び単一インスタンスのＲＸ処理回路３２０を含むことを示すが、ＢＳ１０２は、各々に対する複数のインスタンスを含むことができる(例えば、ＲＦ送受信器当たり一つ)。また、図３の各種コンポーネントが組み合わせられ、より細分化され、あるいは省略され、特定必要に従って追加のコンポーネントが付加され得る。
【００４３】
図４は、本発明によるＭＳ１１６の一例を示す。図４に示すＭＳ１１６の実施形態は、単に説明のためのものであり、図１のＭＳ１１１-１１５は同一であり、あるいは類似した構成を有することができる。しかしながら、ＭＳは、各種の多様な構成からなり、図４は、ＭＳに対する任意の特定実現で本発明の範囲を制限するものではない。
【００４４】
図４に示すように、ＭＳ１１６は、アンテナ４０５、無線周波数(ＲＦ)送受信器４１０、送信(ＴＸ)処理回路４１５、マイクロホン４２０、及び受信(ＲＸ)処理回路４２５を含む。また、ＭＳ１１６は、スピーカ４３０、メインプロセッサ４４０、入/出力(Ｉ/Ｏ)インターフェース(ＩＦ)４４５、キーパッド４５０、ディスプレイ４５５、及びメモリ４６０を含む。メモリ４６０は、基本オペレーティングシステム(ＯＳ)プログラム４６１及び一つ以上のアプリケーション４６２を含む。
【００４５】
ＲＦ送受信器４１０は、ネットワーク１００のＢＳにより送信される着信ＲＦ信号をアンテナ４０５から受信する。ＲＦ送受信器４１０は、着信ＲＦ信号をダウンコンバートし、中間周波数(ＩＦ)又はベースバンド信号を生成する。ＩＦ又はベースバンド信号は、そのベースバンド又はＩＦ信号をフィルタリングし、復号化し、及び/又はデジタル化することにより処理されたベースバンド信号を生成するＲＸ処理回路４２５に送信される。ＲＸ処理回路４２５は、処理されたベースバンド信号をスピーカ４３０に送信し(例えば、音声データ用)、あるいは追加処理のためにプロセッサ４４０に送信する(例えば、Ｗｅｂブラウジングデータ用)。
【００４６】
ＴＸ処理回路４１５は、マイクロホン４２０からアナログ又はデジタル音声データを受信するか、あるいはメインプロセッサ４４０から他の発信ベースバンドデータ(例えば、Ｗｅｂデータ、電子メール、又は双方向ビデオゲームデータ)を受信する。ＴＸ処理回路４１５は、発信ベースバンドデータを符号化、多重化、及び/又はデジタル化し、処理されたベースバンド又はＩＦ信号を生成する。ＲＦ送受信器４１０は、ＴＸ処理回路４１５から発信処理されたベースバンド又はＩＦ信号を受信し、そのベースバンド又はＩＦ信号を、アンテナ４０５を介して送信されるＲＦ信号にアップコンバートする。
【００４７】
メインプロセッサ４４０は、一つ以上のプロセッサ又は他の処理デバイスを含み、メモリ４６０に格納された基本ＯＳプログラム４６１を実行することにより、ＭＳ１１６の全般的な動作を制御できる。例えば、メインプロセッサ４４０は、よく知られている原理によってＲＦ送受信器４１０、ＲＸ処理回路４２５、及びＴＸ処理回路４１５により順方向チャンネル信号の受信及び逆方向チャンネル信号の送信を制御できる。いくつかの実施形態で、メインプロセッサ４４０は、少なくとも一つのマイクロプロセッサ又はマイクロ制御器を含む。
【００４８】
メインプロセッサ４４０は、ＢＳからサウンディング設定メッセージを受信し、ＢＳに一つ以上のＵＬ-ＳＲＳを送信するオペレーションのように、メモリ４６０に常駐する他のプロセス及びプログラムを実行できる。メインプロセッサ４４０は、実行プロセスによる要求に従ってデータをメモリ４６０の内部に又は外部に移動できる。一部実施形態において、メインプロセッサ４４０は、ＯＳプログラム４６１に基づき、あるいはＢＳ又はオペレータから受信される信号に応答してアプリケーション４６２を実行するように構成される。メインプロセッサ４４０は、Ｉ/Ｏインターフェース４４５にカップリングされ、ＭＳ１１６にラップトップコンピュータ及びハンドヘルドコンピュータのような他の装置に接続する能力を提供する。Ｉ/Ｏインターフェース４４５は、これら補助装置とメイン制御器４４０との間の通信経路である。
【００４９】
また、メインプロセッサ４４０は、キーパッド４５０及びディスプレイ装置４５５にカップリングされる。ＭＳ１１６のオペレータは、キーパッド４５０を用いてＭＳ１１６にデータを入力できる。ディスプレイ４５５は、例えば、Ｗｅｂサイトからのテキスト及び/又は少なくとも制限されたグラフィックをレンダリングする液晶ディスプレイ又は他のディスプレイであり得る。あるいは、キーパッド４５０は、例えばディスプレイ４５５がタッチスクリーンを示す場合、ディスプレイ４５５に含まれることができる。
【００５０】
メモリ４６０は、メインプロセッサ４４０にカップリングされる。メモリ４６０の一部は、ランダムアクセスメモリ(ＲＡＭ)を含み、メモリ４６０の他の一部はフラッシュメモリ又は他の読み取り専用メモリ(ＲＯＭ)を含むことができる。
【００５１】
図４は、ＭＳ１１６の一例を示すが、多様な変化が図４に対してなされることができる。例えば、図４の多様なコンポーネントは組み合わせられ、より細分化され、省略され、特定の必要に従って追加コンポーネントが付加され得る。一つの特定例として、メインプロセッサ４４０は、複数のプロセッサ、例えば一つ以上の中央処理装置(ＣＰＵ)及び一つ以上のグラフィック処理装置(ＧＰＵ)に分割できる。また、図４が携帯電話やスマートフォンのように構成されたＭＳ１１６を示すが、ＭＳは、他のタイプのモバイル又は固定デバイスとして動作するように構成されることもできる。
【００５２】
ＤＬ信号は、情報コンテンツを伝送するデータ信号、ＤＣＩ(DL  Control  Information)を伝送する制御信号、及びパイロット信号とも知られている基準信号(ＲＳ)を含む。ｅＮｏｄｅＢは、各々のＰＤＳＣＨ(Physical  DL  Shared  Channel)又はＰＤＣＣＨ(Physical  DL  Control  Channel)を介してデータ情報又はＤＣＩを送信する。ダウンリンク割り当てに使用可能なＤＣＩフォーマットは、ＤＣＩフォーマット１Ａ、１Ｂ、１Ｃ、１Ｄ、２、２ａ、２ｂ、２Ｃ、及び２Ｄを含む。ＵＥは、そのＵＥに対するダウンリンクユニキャスト受信方法を決定する送信モードに設定できる。与えられた送信モードにおいて、ＵＥは、ＤＣＩフォーマット１Ａ及びＤＣＩフォーマット１Ｂ、１Ｄ、２、２ａ、２ｂ、２Ｃ、又は２Ｄのうちいずれか一つを用いてユニキャストダウンリンク割り当てを受信できる。ｅＮｏｄｅＢは、ＵＥ共通ＲＳ(ＣＲＳ)、チャンネル状態情報ＲＳ(ＣＳＩ-ＲＳ)、及び復調ＲＳ(ＤＭＲＳ)を含む複数タイプのＲＳのうち一つ以上を送信する。ＣＲＳは、ＤＬシステム帯域幅(ＢＷ)を通じて送信され、データ又は制御信号を復調し、あるいは測定を実行するためにＵＥにより使用され得る。ＣＲＳオーバーヘッドを減少するために、ｅＮｏｄｅＢは、ＣＲＳより時間及び/又は周波数ドメイン密度がより小さいＣＳＩ-ＲＳを送信できる。チャンネル測定のために、非ゼロ電力ＣＳＩ-ＲＳ(ＮＺＰ  ＣＳＩ-ＲＳ)リソースが使用できる。干渉測定リソース(ＩＭＲ)の場合、ゼロ電力ＣＳＩ-ＲＳ(ＺＰ  ＣＳＩ-ＲＳ)に関連したＣＳＩ干渉測定(ＣＳＩ-ＩＭ)リソースが使用され得る[３]。ＵＥは、ｅＮｏｄｅＢから上位階層シグナリングを通じてＣＳＩ-ＲＳ送信パラメータを決定できる。ＤＭＲＳは、各々のＰＤＳＣＨのＢＷのみで送信され、ＵＥは、このＤＭＲＳを用いてＰＤＳＣＨ内の情報を復調することができる。
【００５３】
図５は、本発明によるＤＬ送信時間間隔(DL  Transmission  Time  Interval：ＴＴＩ)の構造の一例を示す。図５を参照すると、ＤＬシグナリングは、直交周波数分割多重(ＯＦＤＭ)を使用し、ＤＬ  ＴＴＩは、１ミリ秒(ｍｓ）の持続期間を有するとともにタイムドメインでＮ＝１４個のＯＦＤＭシンボル(又は２個のスロット）を含んで周波数ドメインでＫ個のリソースブロック(ＲＢ)を含む。第１のタイプの制御チャンネル(ＣＣＨ)は、第１のＮ１ＯＦＤＭシンボル５１０(送信を含まないこと、Ｎ１＝０)で送信される。残りのＮ-Ｎ１ＯＦＤＭシンボルは、主にＰＤＳＣＨ５２０を送信するために使用され、ＴＴＩの一部ＲＢでは第２のタイプのＣＣＨ(ＥＣＣＨ)５３０を送信するために使用される。
【００５４】
図６は、本発明によるＤＬ  ＳＦ構造の一例を示す。図６に示すＤＬ  ＳＦ構造の実施形態は、単に例示のためのものである。他の実施形態が本発明の範囲を逸脱しない範囲内で考慮できる。
【００５５】
ＤＬ  ＳＦ６１０は、１ミリ秒(msec）の持続期間を有し、データ情報、ＤＣＩ、又はＲＳを送信するための２個のスロット６２０及び
【００５６】
【数１】
2017535198.tif 000003
【００５７】
シンボルを含む。第１の
【００５８】
【数２】
2017535198.tif 000004
【００５９】
ＳＦシンボルは、ＰＤＣＣＨ及び他の制御チャンネル(図示せず)６３０を送信するために使用できる。残りの
【００６０】
【数３】
2017535198.tif 000005
【００６１】
ＳＦシンボルは、主にＰＤＳＣＨ６４０を送信するために使用される。送信帯域幅は、リソースブロック(ＲＢ)と称される周波数リソースユニットで構成される。各々のＲＢは、サブキャリア、又はリソース要素(ＲＥ)で構成される。例えば、
【００６２】
【数４】
2017535198.tif 000006
【００６３】
である。ＵＥ１１６は、ＰＤＳＣＨ送信帯域幅のために総ＭPDSCH  ＲＥに対するＭPDSCH  ＲＢが割り当てられる。１ＲＢの周波数ユニット及び１ＳＦの時間ユニットは、ＰＲＢ対と称される。いくつかのシンボルの一部ＲＥは、ＣＲＳ６５０、ＣＳＩ-ＲＳ、又はＤＭＲＳを含む。
【００６４】
図６のＳＦシンボルは、“ノーマル”サイクリックプレフィックス(ＣＰ)サイズを有し、ＳＦ当たり１４個のシンボルが存在する。大型セルでのオペレーションにおいては、ＳＦシンボルが“拡張した(extended)”ＣＰサイズを有することができ、ＳＦ当たり１２個のシンボルが存在する([１]を参照)。
【００６５】
セル検索及び同期化をサポートするために、ＤＬ信号は、プライマリ同期化信号(ＰＳＳ）及びセカンダリ同期化信号(ＳＳＳ)のような同期化信号を含む。同一の構造を有するが、１０個のサブフレームを含む１フレーム内の同期化信号の時間-ドメイン位置は、セルが周波数分割デュプレックス(ＦＤＤ)で動作するか、あるいは時間分割デュプレックス(ＴＤＤ)で動作するかによって異なり得る。したがって、同期化信号を獲得した以後に、ＵＥは、セルがＦＤＤ動作するか、あるいはＴＤＤで動作するか及びフレーム内のサブフレームインデックスを判定できる。ＰＳＳ及びＳＳＳは、動作帯域幅の中央７２個のサブキャリア(リソース要素(ＲＥ)とも称される)を占める。さらに、ＰＳＳ及びＳＳＳは、セルに対する物理的セル識別子(ＰＣＩＤ)を通知するので、ＰＳＳ及びＳＳＳを獲得した以後に、ＵＥは、送信セルのＰＣＩＤがわかる。
【００６６】
図７は、本発明によるＦＤＤ及びＴＤＤのためのＰＳＳ/ＳＳＳに対するタイムドメイン位置の例を示す。図７を参照すると、ＦＤＤの場合、すべてのフレーム７０５において、ＰＳＳ７２５は、サーフフレーム０及び５  ７１０，７１５の第１のスロット最後のシンボル内で送信され、ここで、一つのサブフレームは、２個のスロットを含む。ＳＳＳ  ７２０は、同一のスロットの第２の最後のシンボル内で送信される。ＴＤＤの場合、すべてのフレーム７５５において、ＰＳＳ７９０は、サブフレーム１及び６  ７６５，７８０の第３のシンボル内で送信され、ＳＳＳ７８５は、サブフレーム０及び５  ７６０，７７０の最後のシンボルで送信される。このような差異によりセルでのデュプレックス方式を検出するようになる。ＰＳＳ及びＳＳＳに対するリソース要素は、任意の他のタイプのＤＬ信号送信に利用されることができない。
【００６７】
連邦通信委員会(Federal  Communications  Commission：ＦＣＣ)は、無償の公開アクセススペクトルを提供するためのアンライセンスキャリアを定義した。ＵＥによるアンライセンスキャリアの使用は、ＵＥがライセンスキャリアでの通信に顕著な干渉を発生させないという条件及びアンライセンスキャリアでの通信が干渉から保護されないという条件下でのみ許容される。例えば、アンライセンスキャリアは、ＩＥＥＥ８０２.１１デバイスにより使用できる、産業、科学、及び医療(Industrial，Scientific and medical：ＩＳＭ)キャリア及びアンライセンス国家情報インフラストラクチャ(Unlicensed National Information Infrastructure：ＵＮＩＩ)キャリアを含む。ＬＡＡ(Licensed Assisted Access)又はＬＴＥ-Ｕ(LTE-Unlicensed)とも知られている、アンライセンス周波数スペクトル上で無線アクセス技術(Radio  Access  Technology：ＲＡＴ）を使用することができる。図８に示すように、ＬＡＡに対して可能な配置シナリオは、キャリアアグリゲーションの一部としてＬＡＡキャリアを配置することであり、ここで、ＬＡＡキャリアは、ライセンススペクトル上の他のキャリアとアグリゲーションされる。
【００６８】
図８は、本発明によるライセンススペクトル８１０上のキャリア及びアンライセンススペクトル８２０上のキャリアのキャリアアグリゲーションの一例を示す。通常の配置で、ライセンススペクトル７１０上のキャリアは、プライマリセル(ＰＣｅｌｌ)として割り当てられ、アンライセンススペクトル７２０上のキャリアは、ＵＥ８３０に対するセカンダリセル(ＳＣｅｌｌ)として割り当てられる。図８は、ＬＡＡセルがアップリンクキャリアなしにダウンリンクキャリアで構成される一例を示す。
【００６９】
ＬＡＡキャリアと同一のアンライセンススペクトル上で動作する他のＲＡＴが存在するため、アンライセンス周波数スペクトル上でのＬＡＡと他のＲＡＴの共存を可能にする必要性がある。例えば、ＵＥ又はＮｏｄｅＢが送信する以前にキャリア感知多重アクセス(Carrier  Sense  Multiple  Access：ＣＳＭＡ）が適用され、ＵＥ又はｅＮＢは、所定の時間周期でチャンネルをモニタリングすることで、そのチャンネルで進行中である送信があるか否かを判定する。他の送信がチャンネルで感知しない場合、ＵＥ又はＮｏｄｅＢが送信され、そうでない場合には、ＵＥ又はＮｏｄｅＢが送信を延期する。
【００７０】
図９は、本発明によるＬＡＡダウンリンクキャリアの送信パターンの一例を示す。図９を参照すると、ＬＴＥ-Ｕオン-オフサイクル９５０のうち、ＬＡＡキャリアは、周期Ｐ-ＯＮの間にオン(ＯＮ)９２０及び９３０であり、周期Ｐ-ＯＦＦの間にオフである。ＬＡＡキャリアがオンである場合、ＰＳＳ、ＳＳＳ、ＣＲＳ、ＤＭＲＳ、ＰＤＳＣＨ、ＰＤＣＣＨ、ＥＰＤＣＣＨ、及びＣＳＩ-ＲＳのうち少なくとも一つを含むＬＴＥ信号が送信される一方で、ＬＡＡキャリアがオフである場合には、いかなる信号も送信しない。ＯＮ周期(例えば、最大チャンネル占有時間）は、規定に従って定義された最大持続期間、例えば(ヨーロッパ規定ＥＴＳＩ  ＥＮ３０１８９３  Ｖ１.７．１によれば)１０ｍｓを有することができる。Ｐ-ＯＮに対する長さは、ＬＡＡキャリアでのトラフィックパターン又はバッファ状態及び共存メトリック要求事項又は目標に従ってＬＡＡのスケジューラにより調整され、あるいは適応され得る。ＷｉＦｉ  ＡＰ又は他のＲＡＴ送信は、ＬＡＡ干渉がないので、送信のためにＰ-ＯＦＦ周期を利用できる。
【００７１】
ＬＢＴ(Listen-Before-Talk)プロトコルが適用される場合に、チャンネル占有が終了した以後にアイドル周期が存在でき、ここで、例えばフレームベース端末の場合、チャンネル占有時間の最小アイドル周期(例えば、５％)が指定される(ヨーロッパ規定ＥＴＳＩ  ＥＮ３０１８９３  Ｖ１.７.１によれば[７])。このアイドル周期は、アイドル周期の最後ＣＣＡ(Clear  Channel  Assessment)周期を含むことができ、ここでキャリア感知がＵＥにより実行される。
【００７２】
このＬＢＴプロトコルは、負荷ベース端末に対して定義できる[７]。例えば、オペレーティングチャンネル上での送信又は送信のバースト前に、端末は、“エネルギー検出”を使用してクリアチャンネル評価(Clear  Channel  Assessment：ＣＣＡ)チェックを実行する。端末は、２０μｓ以上であるＣＣＡ観測時間の持続期間でオペレーティングチャンネルを観測する。オペレーティングチャンネルは、チャンネルのエネルギーレベルが送信器の最大送信電力(ＰＨ)に比例するしきい値を超える場合に占められると考慮される。チャンネルがクリアされることを端末が発見する場合には、直ちに送信可能である。
【００７３】
オペレーティングチャンネルが占められることを端末が発見する場合には、該当チャンネルで送信しなくなる。端末は、ランダム係数ＮにＣＣＡ観測時間を掛けた持続期間でオペレーティングチャンネルを観測する拡張したＣＣＡチェックを実行するようになる。Ｎは、送信開始前に観測される必要のある総アイドル周期となるクリアアイドルスロットの数を定義する。拡張ＣＣＡが必要であるたびに、Ｎの値は１乃至ｑの範囲でランダムに選択される。Ｎ値はカウンタに格納される。ｑの値は、４乃至３２の範囲で選択される。カウンタは、ＣＣＡスロットが“空いている(unoccupied)”と考慮されるたびに減少する。カウンタが０に達する場合に、端末は送信できる。
【００７４】
端末がオペレーティングチャンネルを使用する全時間は、(１３/３２)×ｑｍｓより小さい最大チャンネル占有時間であり、その後に、デバイスは、本明細書で説明されるように拡張ＣＣＡを遂行するようになる。
【００７５】
この端末のためのものとして予定されたパケットを正しく受信すると、端末は、ＣＣＡをスキップし、管理及び制御フレーム(例えば、ＡＣＫ及びブロックＡＣＫフレーム）の送信にすぐに進まれる。端末による連続する送信シーケンスは、新たなＣＣＡを実行しない場合、本明細書で定義される最大チャンネル占有時間を超えてはならない。
【００７６】
ＣＣＡのためのエネルギー検出しきい値は、送信器の最大送信電力(ＰＨ)に比例する。例えば、２３ｄＢｍ  ＥＩＲＰ(Equivalent  Isotropically  Radiated  Power)送信器の場合、ＣＣＡしきいレベル(ＴＬ）は、受信器に対する入力で-７３ｄＢｍ/ＭＨｚ以下とならなければならない。他の送信電力レベルの場合、ＣＣＡしきいレベル(ＴＬ）は、次の公式を用いて計算される。ＴＬ＝-７３ｄＢｍ/ＭＨｚ＋２３-ＰＨ(ｄＢｍ  ＥＩＲＰで指定されたＰＨ及び０ｄＢｉ受信アンテナを仮定)。
【００７７】
ディスカバリ基準信号(Discovery  Reference  Signal：ＤＲＳ）又はディスカバリ信号(Discovery  Signal：ＤＳ)は、アンライセンススペクトル上でＬＴＥセルにより送信される。ＤＲＳは、設定される場合、プライマリ同期化信号(ＰＳＳ）、第２の同期化信号(ＳＳＳ）、共通基準信号(ＣＲＳ）、及びチャンネル状態情報基準信号(ＣＳＩ-ＲＳ)のような物理信号で構成される。アンライセンススペクトル上のＬＴＥセルに対するＤＲＳの目的又は機能は、ＬＴＥセルのディスカバリ、ＬＴＥセルへの同期化、ＬＴＥセルの無線リソース管理(Radio  Resource  Management：ＲＲＭ)、及びチャンネル状態情報(Channel  State  Information：ＣＳＩ)測定を含み、これに限定されるものではない。
【００７８】
セルによるＤＲＳ送信インスタンスは、場合によって以下ではセルのＤＲＳオケージョンと称される。ＤＲＳオケージョンの持続期間は、固定され、あるいはネットワークにより(例えば、無線リソース制御(ＲＲＣ)により設定され得る。持続期間(ｍｓ又はサブフレーム単位）は、１，２，３，４、又は５であり得る。可能なＤＲＳオケージョン持続期間は、デュプレックシングモード(例えば、ＦＤＤ用)に基づき、この持続期間は、１乃至５であり、ＴＤＤ用であり、この持続期間は２乃至５であり得る。ＦＤＤ用の１ｍｓ持続期間とＴＤＤ用の２ｍｓ持続期間のＤＲＳオケージョンに対する物理信号及び対応するリソース要素(ＲＥ)マッピングは、図１０Ａ及び図１０Ｂに示す。
【００７９】
図１０Ａ及び図１０Ｂは、本発明によるＤＲＳオケージョンの例を示す。図１０Ａは、ＦＤＤ用の１ｍｓのＤＲＳオケージョンの一例を示し、図１０Ｂは、ＴＤＤ用の２ｍｓのＤＲＳオケージョンの一例を示す。図１０Ａ及び図１０Ｂを参照すると、ＤＲＳオケージョンは、ＣＲＳ１０１０ａ，１０１０ｂ(例えば、アンテナポート０[１])、ＰＳＳ１０２０ａ，１０２０ｂ、ＳＳＳ１０３０ａ，１０３０ｂ、及びＣＳＩ-ＲＳ１０４０ａ，９４０ｂを含むことができる。ＣＳＩ-ＲＳが構成される場合、ＣＳＩ-ＲＳは、ＤＲＳオケージョンのみに存在する可能性もある。ＣＳＩ-ＲＳの位置は、ＬＴＥ  Ｒｅｌ-１０/１１仕様([１]及び[３]を参照)により許容される任意の位置であるか、あるいはアンライセンスキャリアでの動作のために設計される新たな位置でもある。複数のＣＳＩ-ＲＳリソースが同一のＤＲＳオケージョン内で送信され、複数のサブフレームを通じて送信され得る。ＴＤＤのためのＤＲＳオケージョンの第２のサブフレームは、特殊サブフレームであり、この場合、ＣＲＳは、サブフレームのダウンリンクパイロット時間スロット(Downlink  Pilot  Time  Slot：ＤｗＰＴＳ）領域でのみ存在する。
【００８０】
図１１Ａ及び図１１Ｂは、本発明によるＦＤＤ用及びＴＤＤ用のＫｍｓ持続期間(例えば、Ｋ≦５）を有するＤＲＳオケージョンの例を示す。図１１Ａ及び図１１Ｂを参照すると、ＣＲＳ１１１０ａ、１１１０ｂ(例えば、アンテナポート０）は、すべてのＤＬサブフレーム及び特殊サブフレームのＤｗＰＴＳで送信できる。ＰＳＳ１１２０ａ，１１２０ｂ及びＳＳＳ１１３０ａ，１１３０ｂはＤＲＳオケージョン持続期間の間に一回だけ送信され、ＤＲＳオケージョン内のその位置は、ネットワークにより固定又は設定され得る。固定したＰＳＳ及びＳＳＳ一の一例いおいて、ＰＳＳ及びＳＳＳは、ＦＤＤの場合、ＤＲＳオケージョンの第１のサブフレームで送信され、ＴＤＤの場合、ＳＳＳ及びＰＳＳは、ＤＲＳオケージョンの第１及び第２のサブフレームで各々送信できる。ＣＳＩ-ＲＳが構成される場合、ＣＳＩ-ＲＳ１１４０ａ，１１４０ｂは、ＤＲＳオケージョンのみで存在できる。
【００８１】
ＬＡＡデバイスは、ｅＮｏｄｅＢであり、あるいはＬＡＡキャリア上で動作するＵＥであると理解しなければならない。また、本明細書で説明する実施形態は、アンライセンススペクトル上でのオペレーションに限定されるものではないことを理解しなければならない。例えば、本明細書で説明される実施形態は、略式でライセンススペクトル、ライセンス共有スペクトル上で実現されることもできる。
【００８２】
第１の実施形態は、チャンネル占有信号に関するものである。少なくとも第１の実施形態では、ＬＡＡセルが、特定ＬＢＴ(Listen-Before-Talk)プロトコル又はチャンネルアクセスプロトコルによる最後のＣＣＡスロットがアイドル状態であると決定された直後に、信号を送信し始めることができると仮定する。例えば、ＣＣＡスロットは、２０μｓであり得る。他のＣＣＡスロット長が排除されない。
【００８３】
送信前の最後のＣＣＡスロットがＬＡＡセルによりアイドル状態に決定される場合、ＬＡＡセルは、チャンネル占有信号(Channel  Occupany  Signal：ＣＯＳ）と称される一連の信号を送信するように進むことができる。ＣＯＳの機能としては、ＵＥに対するチャンネル占有/予約、ＡＧＣ(Automatic  Gain  Control)設定、ＵＥによるＬＡＡセル信号時間及び/又は周波数同期化(例えば、ＰＳＳ、ＳＳＳ、ＣＲＳのうちいずれか一つ以上を使用)、ＵＥによるＲＲＭ(ＣＲＳ又はＣＳＩ-ＲＳ使用)及びＣＳＩ測定(ＣＳＩ-ＲＳ使用）を含み、これに限定されるものではない。ＣＯＳは、時間可変長領域及び時間固定長領域で構成される。可変長領域の長さは、ＬＡＡセルの次のサブフレーム又はスロットタイミングまでの残りの持続期間に基づき、さらに(送信前最後のアイドルＣＣＡスロットの異なる時間位置のため)相互に異なる送信インスタンスに対して異なり得る。
【００８４】
最後のアイドルＣＣＡスロットが次のサブフレーム開始直前である場合、可変長領域の持続期間は、０ミリ秒であり得ることに留意しなければならない。ＣＣＡスロットがＯＦＤＭシンボル境界に対して整列されない場合、可変長領域は、部分ＯＦＤＭシンボル又は整数ＯＦＤＭシンボルプラス部分ＯＦＤＭシンボルで構成され得る。ＣＯＳの固定長領域は、０.５ｍｓ(又は１スロット)又は１ｍｓ(又は１サブフレーム)又は１.５ｍｓ(又は１.５サブフレーム)あるいは２ｍｓ(又は２サブフレーム)又は(一つのＯＦＤＭシンボルを含む)固定した数のＯＦＤＭシンボルであり得る。ＣＯＳ送信後制限された数のサブフレーム又はスロットである場合、復調基準信号(Demodulation  Reference  Signal：ＤＭ-ＲＳ）、ＣＲＳ、ＣＳＩ-ＲＳ、位置決定基準信号(Positioning  Reference  Signal：ＰＲＳ）のうちいずれか一つ以上を含む物理信号、及び物理的ダウンリンク制御チャンネル(Physical  Downlink  Control  Channel：ＰＤＣＣＨ)、向上した物理的ダウンリンク制御チャンネル(Enhanced  Physical  Downlink  Control  Channel：ＥＰＤＣＣＨ)、物理的ダウンリンク共有チャンネル(Physical  Downlink  Shared  Channel：ＰＤＳＣＨ)、物理的マルチキャストチャンネル(Physical  Multicast  Channel：ＰＭＣＨ)のうちいずれか一つ以上を含む物理チャンネルが送信できる。ＣＯＳ持続期間と後続する物理信号及び物理チャンネル送信持続期間の和は、最大チャンネル占有持続期間を超えないようにしなければならない。
【００８５】
図１２Ａ、図１２Ｂ、図１２Ｃ、及び図１２Ｄは、本発明による第１のフレーム構造を有する第１の方法のＣＯＳの例を示す。第１の方法の少なくとも一実施形態においては、少なくともＣＲＳがサブフレームの可変長領域に対応するＯＦＤＭシンボルに属するリソース要素のセットにマッピングされる。サブフレームでのＣＲＳマッピングは、レガシーＣＲＳマッピング方法に従うことができる。他の信号(規定要件を満たす任意の信号であること)は、ＣＲＳにマッピングされないリソース要素にマッピングされ得る。このような信号は、ＵＥにより復号化される必要がなく、この信号の目的は、チャンネルを予約することにより、アンライセンスチャンネル上でオペレーティングする他のデバイスが、占められるチャンネルを感知するようにし、ＵＥのＡＧＣチューニングに対する基準を提供することにある。このような信号は予約信号(reservation  signal）と称される。あるいは、ＣＲＳは、可変長領域にマッピングされず、規定要件を満たす任意の信号(例えば、予約信号）がその代わりに送信できる。ＣＯＳの固定長領域は、ＰＳＳ、ＳＳＳ、ＣＳＲＳ、及びＣＳＩ-ＲＳ(例えば、ＰＳＳ、ＳＳＳ、ＣＳＲ、及びＣＳＩ-Ｒのみが含まれ、ＣＳＲ及びＣＳＩ-ＲＳのみが含まれる)のうちいずれか一つ以上を含む一つのサブフレームであり、あるいはＣＲＳ(例えば、ポート０、又はポート０及びポート１)を含む一つのＯＦＤＭシンボルであり得る。リソース要素マッピングは、レガシーＬＴＥのフレーム構造タイプ１(ＦＤＤ)に対して定義されることと同様である。ＣＯＳがＰＳＳ、ＳＳＳ、ＣＲＳ、及び可能であればＣＳＩ-ＲＳを含む場合、サブフレームは、ＤＲＳ(Discovery  Reference  Signal)又はＤＳ(Discovery  Signal)サブフレーム又は同期化サブフレームであると考慮される。ＰＳＳ、ＳＳＳ、ＣＲＳ、又はＣＳＩ-ＲＳにマッピングされない他のリソース要素である場合、規定要件を満たす任意の信号が送信できる。あるいは、ＰＤＣＣＨ、ＥＰＤＣＣＨ、ＰＤＳＣＨ、又は新たな物理チャンネルがその代わりに送信できる。もう一つの代案では、ＣＯＳの最初の一つ又は個数のＯＦＤＭシンボルが予約信号のような第１の信号を含むことができ、ＣＯＳの残りのＯＦＤＭシンボルは、ＰＤＣＣＨ、ＥＰＤＣＣＨ、ＰＤＳＣＨ、又は新たな物理チャンネルのような第２の信号を含むことができる。少なくとも図１２Ａ、図１２Ｂ、図１２Ｃ、及び図１２Ｄを参照すると、ＰＳＳ、ＳＳＳ、ＣＲＳ、及びＣＳＩ-ＲＳがＣＯＳに含まれると仮定する。
【００８６】
図１２Ａ及び図１２Ｂを参照すると、最後のアイドルＣＣＡスロット１２０１ａ、１２０１ｂ以後に、ＬＡＡセルは、一つのサブフレームの可変長領域１２０３ａ，１２０３ｂ、及び固定長領域１２０４ａ，１２０４ｂで構成されるＣＯＳ１２０２ａ，１２０２ｂを送信できる。ＰＳＳ１２０６ａ、１２０６ｂ、ＳＳＳ１２０５ａ，１２０５ｂ、及びＣＳＩ-ＲＳ１２１０ａ，１２１０ｂは、フレーム構造タイプ１による固定長領域でマッピングされ、ＣＲＳ１２０７ａ，１２０７ｂは、可変長領域と固定長領域両方ともにマッピングされる。可変長領域でＣＲＳにマッピングされないリソース要素１２０９ａ，１２０９ｂは、予約信号で送信できる。ＰＤＣＣＨ/ＥＰＤＣＣＨ/ＰＤＳＣＨ、又は新たな物理チャンネルは、固定長領域でＰＳＳ、ＳＳＳ、ＣＲＳ、又はＣＳＩ-ＲＳにマッピングされないリソース要素１２０８ａ，１２０８ｂにマッピングされることがある。
【００８７】
図１２Ａ及び図１２Ｂは、最後のアイドルＣＣＡの異なる時間位置の例を示す。図１２Ａに示すように、最後のアイドルＣＣＡスロットは、サブフレームｎ-１の第２のスロットに位置し、可変長領域は、一つのスロットより小さい。図１２Ｂに示すように、最後のアイドルＣＣＡスロットは、サブフレームｎの第１のスロットに位置し、可変長領域は、一つのスロットより大きく、一つのサブフレームよりは小さい。ＣＯＳは、(例えば、ＰＳＳ及びＳＳＳが異なるサブフレームで送信される場合)ＰＳＳ及びＳＳＳを含めないこともあり、この場合、１２０５ａ、１２０５ｂ、１２０６ａ、１２０６ｂとして示す信号は存在しなくなる。この第１の実施形態において、可変長領域の最大持続期間は、一つのサブフレームより小さいことがある。これは、ＬＡＡセルが機会を得るとすぐに無線チャンネルを占めることを可能にする。
【００８８】
図１２Ｃ及び図１２Ｄを参照すると、第１の方法の少なくとも第２の実施形態では、可変長領域の最大持続期間が一つのスロットであり、あるいは一つのスロットより小さいことがある。これは、ＣＯＳの可変長領域により導入される干渉を減少させることができる。最後のアイドルＣＣＡスロットがサブフレームの第１のスロットに存在する場合、他のＣＣＡが次のサブフレームの開始直前にＣＣＡスロットで発生できる。ＣＣＡスロットがアイドル状態であると決定される場合に、ＬＡＡセルが送信でき、そうでない場合には、拡張したＣＣＡ手順又はバックオフ(back-off)手順に従ってＬＡＡセルがバックオフを開始できる。一実施形態において、最後のアイドルＣＣＡスロットがサブフレームｎ-１の第１のスロットに存在する場合、可変長領域は、ＣＣＡスロットからサブフレームｎ-１の第１のスロットの最後まで１２０３ｃ，１２０３ｄである。固定長領域は、サブフレームｎ-１の第２のスロットから始めてサブフレームｎの第１のスロットの終わりまで１２０４ｃ、１２０４ｄである。ＰＳＳ及びＳＳＳは、サブフレームｎ-１の第２のスロット１２０５ｃ，１２０６ｃに存在し、あるいはサブフレームｎの第１のスロット１２０５ｄ，１２０６ｄに存在することができる。ＣＣＡスロット１２０１ｃ、１２０１ｄは、ＣＣＡスロット１２０１ａ，１２０１ｂと同一であるか、あるいは類似することができる。ＣＯＳ１２０２ｃ，１２０２ｄは、ＣＯＳ１２０２ａ，１２０１ｂと同一であるか類似する。ＣＲＳ１２０７ｃ，１２０７ｄは、ＣＲＳ１２０７ａ、１２０７ｂと同一であり、あるいは類似する。リソース要素１２０８ｃ，１２０８ｄは、リソース要素１２０８ａ，１２０８ｂと同一であるか、類似することができる。リソース要素１２０９ｃ，１２０９ｄは、リソース要素１２０９ａ，１２０９ｂと同一であるか類似することができる。ＣＳＩ-ＲＳ１２１０ｃ，１２１０ｄは、ＣＳＩ-ＲＳ１２１０ａ，１２１０ｂと同一であるか類似することができる。
【００８９】
第１の方法の原理は、ＣＯＳに対するＰＳＳ、ＳＳＳ、ＣＲＳ、及びＣＳＩ-ＲＳのリソース要素マッピング、第２のフレーム構造タイプＴＤＤに従う場合に適用することができる。図１３Ａ、図１３Ｂ、図１３Ｃ、及び図１３Ｄは、本発明による第２のフレーム構造タイプを有する第１の方法のＣＯＳの例を示す。図１３Ａ及び図１３Ｂを参照すると、ＣＯＳ１３０２ａ，１３０２ｂの固定長領域１３０４ａ，１３０４ｂは、ＰＳＳ１３０６ａ，１３０６ｂ、ＣＲＳ１３０７ａ，１３０７ｂ、及びＣＳＩ-ＲＳ１３０８ａ、１３０８ｂのうち一つ以上を含み、その持続期間は、１ｍｓであり得る。ＣＯＳ１３０２ａ，１３０２ｂの可変長領域１３０３ａ，１３０３ｂは、ＳＳＳ１３０５ａ，１３０５ｂ、ＣＲＳ１３０７ａ、１３０７ｂ、及びＣＳＩ-ＲＳのうち一つ以上を含み、その持続期間は、最大１ｍｓであり得る。可変長領域でＣＲＳにマッピングされないリソース要素１３０９ａ，１３０９ｂは、予約信号で送信できる。ＰＤＣＣＨ/ＥＰＤＣＣＨ/ＰＤＳＣＨ、又は新たな物理チャンネルは、固定長領域でＰＳＳ、ＳＳＳ、ＣＲＳ、又はＣＳＩ-ＲＳにマッピングされないリソース要素１３１０ａ，１３１０ｂにマッピングされる。
【００９０】
図１３Ａ及び図１３Ｂは、最後のアイドルＣＣＡの異なる時間位置の例を示す。サブフレームｎ-１の可変長領域が短くてＳＳＳ１３０５ａ，１３０５ｂ、又はＳＳＳ及び少なくとも一つのＣＲＳシンボルがサブフレームｎ-１で送信される場合に、ＳＳＳがサブフレームｎで送信され、ＰＳＳがサブフレームｎ＋１の代わりに送信される(例えば、ＣＯＳは、３個のサブフレーム(サブフレームｎ-１、サブフレームｎ、及びサブフレームｎ＋１）の幅となる)。他の代案では、ＰＳＳ及びＳＳＳの位置が変更されることにより、ＰＳＳは、固定長領域の第２のスロットの第３のＯＦＤＭシンボルにマッピングされ、ＳＳＳは、固定長領域の第１のスロットの最後のＯＦＤＭシンボルにマッピングされる。もう一つの代案では、フレーム構造タイプ２に対するＰＳＳ及びＳＳＳ位置の変更が、図１３Ｃ及び図１３Ｄに示すように可変長領域に依存しなくなる。ＣＯＳは、ＰＳＳ及びＳＳＳを含めないこともあり(例えば、これらが異なるサブフレームで送信される場合)、この場合、１３０５ａ，１３０５ｂ，１３０５ｃ，１３０５ｄ，１３０６ａ，１３０６ｂ，１３０６ｃ，１３０６ｄとして示す信号は存在しなくなる。ＣＣＡスロット１３０１ａ，１３０１ｂ，１３０１ｃ，及び１３０１ｄは、ＣＣＡスロット１２０１ａ，１２０１ｂ，１２０１ｃ，及び１２０１ｄと各々同一であるか類似することができ、ＣＯＳ１３０２ｃ，１３０２ｄは、ＣＯＳ１３０２ａ，１３０２ｂと同一であるか類似することができ、ＣＲＳ１３０７ｃ，１３０７ｄはＣＲＳ１３０７ａ，１３０７ｂと同一であるか類似することができ、ＣＳＩ-ＲＳ１３０８ｃ，１３０８ｄは、ＣＳＩ-ＲＳ１３０８ａ，１３０８ｂと同一であるか類似することができる。リソース要素１３０９ｃ、１３０９ｄは、リソース要素１３０９ａ，１３０９ｂと同一であるか類似することができる。リソース要素１３１０ｃ，１３１０ｄは、リソース要素１３１０ａ，１３１０ｂと同一であるか類似することができる。
【００９１】
図１４Ａ、図１４Ｂ、図１４Ｃ、及び図１４Ｄは、本発明による第１のフレーム構造を有する第２の方法のＣＯＳの例を示す。第２の方法の例において、ＣＯＳの固定長領域は、ＣＲＳ、ＰＳＳ、ＳＳＳ、及びＣＳＩ-ＲＳのうち一つ以上を含む一つのＬＴＥスロットであると定義される(例えば、ＰＳＳ、ＳＳＳ、ＣＲＳ、及びＣＳＩ-ＲＳのすべてが含まれ、あるいはＣＲＳ及びＣＳＩ-ＲＳのみが含まれる)。ＣＯＳの１スロット固定長領域に対する物理信号におけるリソース要素マップピングは、フレーム構造タイプ１に対するＤＲＳサブフレームの第１のスロット(又は同等にはフレーム構造タイプ１に対するサブフレーム０の第１のスロット）と同一であり得る。第２の方法の変形例としては、最後のアイドルＣＣＡスロットの時間に従ってＣＯＳの１スロット固定長領域がＬＡＡサブフレームの第１のスロット又は第２のスロットのうちいずれか一つで送信され得る。
【００９２】
ＣＯＳの可変長領域は、その可変長領域の最大持続期間が一つのスロットであり、あるいは一つのスロットより小さく、最後のアイドルＣＣＡスロットの時間に従ってＬＡＡサブフレームの第１のスロット又は第２スロットのうちいずれか一つで送信されることを除き、第１の方法で説明された設計と同一であり得る。ＰＳＳ、ＳＳＳ、ＣＲＳ、又はＣＳＩ-ＲＳにマッピングされないリソース要素である場合、予約信号のような規定要件を満たす任意の信号が送信できる。あるいは、ＰＤＣＣＨ、ＥＰＤＣＣＨ、ＰＤＳＣＨ、又は一つ以上の新たな物理チャンネルがその代わりに送信できる。もう一つの代案の例では、ＣＯＳの最初の一つ又は数個のＯＦＤＭシンボルが予約信号のような第１の信号を含むことができ、ＣＯＳのＯＦＤＭシンボルのうち残りがＰＤＣＣＨ、ＥＰＤＣＣＨ、ＰＤＳＣＨ、又は新たな物理チャンネルのような第２の信号を含むことができる。
【００９３】
図１４Ａ、図１４Ｂ、図１４Ｃ、及び図１４Ｄを参照すると、最後のアイドルＣＣＡスロット１４０１ａ，１４０１ｃがＬＡＡサブフレームの第２のスロットで発生する場合、ＣＯＳ１４０２ａ，１４０２ｃの１スロット固定長領域１４０４ａ，１４０４ｃは、図１４Ａ及び図１４Ｃに各々示すように最後のアイドルＣＣＡスロットのサブフレーム直後のサブフレームの第１のスロットで送信される。最後のアイドルＣＣＡスロット１４０１ｂ，１４０１ｄがＬＡＡサブフレームの第１のスロットで発生する場合、ＣＯＳの１スロット固定長領域は、図１４ｂ及び図１４ｄに各々示すように、最後のアイドルＣＣＡスロットのサブフレーム直後のサブフレームの第２のスロットで受信される。すなわち、ＰＳＳ及びＳＳＳの位置は、最後のアイドルＣＣＡスロットがＬＡＡサブフレームの第１のスロットで発生するかあるいは第２のスロットで発生するかに基づく。ＰＳＳ１４０６ａ，１４０６ｂ，１４０６ｃ，１４０６ｄ及びＳＳＳ１４０５ａ，１４０５ｂ，１４０５ｃ，１４０５ｄは、図１４Ａ及び図１４Ｂに示すように固定長領域１４０４ａ，１４０４ｂに位置し、あるいは図１４Ｃ及び図１４Ｄに示すように可変長領域１４０３ｃ、１３０３ｄに位置することができる。ＣＲＳ１４０７ａ，１４０７ｂ，１４０７ｃ，１４０７ｄリソース要素マッピングは、すべての例で同一であり得る。ＰＳＳ及びＳＳＳが可変長領域に位置する場合に、例えば、可変長領域が短くてＰＳＳ及びＳＳＳが送信されない場合、ＰＳＳ及びＳＳＳが固定長領域でその代わりに送信されるような追加条件が指定され得る。ＣＯＳは、ＰＳＳ及びＳＳＳを含めないこともあり(例えば、これらが異なるサブフレームで送信される場合)、この場合、１４０５ａ，１４０５ｂ，１４０５ｃ，１４０５ｄ，１４０６ａ，１４０６ｂ，１４０６ｃ，１４０６ｄとして示す信号は存在しなくなる。
【００９４】
第２の方法の原理は、ＣＯＳに対するＰＳＳ、ＳＳＳ、ＣＲＳ、及びＣＳＩ-ＲＳのリソース要素マッピングが第２のフレーム構造タイプ(ＴＤＤ)に従う場合に適用できる。図１５Ａ及び図１５Ｂを参照すると、最後のアイドルＣＣＡスロット１５０１ａ，１５０１ｂ以後に、ＬＡＡセルはＣＯＳ１５０２ａ，１５０２ｂを送信し、ここで可変長領域の持続期間１５０３ａ，１５０３ｂは、最大１スロットであり、固定長領域の持続期間１５０４ａ，１５０４ｂは１スロットである。ＣＣＡスロットがサブフレームｎ-１の第２のスロットに位置する場合、ＳＳＳ１５０５ａ及びＰＳＳ１５０６ａは、サブフレームｎ-１の第２のスロット及びサブフレームｎの第１のスロットに各々マッピングされる。一方、ＣＣＡスロットがサブフレームｎの第１のスロットに位置する場合には、ＳＳＳ１５０５ｂ及びＰＳＳ１５０６ｂがサブフレームｎの第１のスロット及び第２のスロットに各々マッピングされる。ＣＯＳは、ＰＳＳ及びＳＳＳを含めないこともあり(例えば、これらが異なるサブフレームに送信される場合)、この場合、１５０５ａ，１５０５ｂ，１５０６ａ，１５０６ｂとして示す信号は存在しなくなる。
【００９５】
図１６Ａ、図１６Ｂ、図１６Ｃ、及び図１６Ｄは、本発明による第３の方法のＣＯＳの例を示す。ＣＣＡスロットのタイミングに関係なく、最後のアイドルＣＣＡスロット直後の物理信号(ＰＳＳ、ＳＳＳ、ＣＲＳのうちいおずれか一つ以上を含む)及びＣＯＳのＯＦＤＭシンボルの第１のセットでのこれらリソース要素マッピングが固定される。図１６Ａは、ＣＯＳが第１のスロットに存在することを示し、図１６ＢはＣＯＳが第２のスロットに存在することを示す。他の例は、図１６Ｃ乃至図１６Ｆに示す。
【００９６】
図１６Ａ、図１６Ｂ、図１６Ｃ、及び図１６Ｄを参照すると、最後のアイドルＣＣＡスロット以後の第１のＯＦＤＭシンボル１６０１ａ，１６０１ｂ，１６０１ｃ，１６０１ｄ(シンボルＬで表示され、ここでノーマルサイクリックプレフィックスの場合Ｌ{０…６}であり、拡張サイクリックプレフィックスの場合Ｌ{０…５}）は、ＣＲＳ１６０５ａ，１６０５ｂ，１６０５ｃ，１６０５ｄを送信するために使用される。シンボルｌ’でのＣＲＳに対するリソース要素マッピング(ノーマルサイクリックプレフィックスの場合ｌ’＝０…６、拡張サイクリックプレフィックスの場合ｌ’＝０…５）は、従来又はレガシーＬＴＥスロットのＯＦＤＭシンボルｌ’-Ｌ(図１６Ｃ及び図１６Ｄの場合、ＣＲＳシフト０)又はＯＦＤＭシンボル(ｌ’-Ｌ＋４)(図１６Ａ及び図１６Ｂの場合、ＣＲＳ周波数シフト３)と同一であり得る。第１のＣＲＳ  ＯＦＤＭシンボルの次にはＳＳＳ１６０３ａ，１６０３ｂ，１６０３ｃ，１６０３ｄ及びＰＳＳ１６０４ａ，１６０４ｂ，１６０４ｃ，１６０４ｄＯＦＤＭシンボルが後続する。ＣＯＳの持続期間は固定され、例えば４，５，８，１２、又は１４ＯＦＤＭシンボルのような少なくとも４個のＯＦＤＭシンボルであり得る。ＣＯＳの持続期間は、ＣＲＳシンボルの数(例えば、２又は４ＣＲＳシンボル)及び必要なＰＳＳ/ＳＳＳシンボルの数に依存する。４個のＯＦＤＭシンボルを有するＣＯＳが図１６Ａ及び1６Ｂに示し、５個のＯＦＤＭシンボルを有するＣＯＳが図１６Ｃ及び図１６Ｄに示す。ＣＯＳ持続時間は、動的であり、例えばＬＡＡスロットの最後までに拡張され、あるいは第１のＬＡＡスロットの最後のプラス一つの追加的なＬＡＡスロットまでに拡張され得る。ＣＲＳマッピングは、レガシーマッピングのようにＣＲＳリソース要素間の同一の相対的時間及び周波数間隔で第２のスロットに対して継続され得る。
【００９７】
第１のＬＡＡスロットの残りが４ＯＦＤＭシンボルより少ないか(図１６Ａ及び図１６Ｂの場合)、あるいは５ＯＦＤＭシンボルより少ない場合(図１６Ｃ及び図１６Ｄの場合)、ＣＲＳ及びＰＳＳ/ＳＳＳのマッピングは、第２のＬＡＡスロットに続けられる。他の設計オプションは、ＰＳＳとＳＳＳの位置を変えること、第１及び第２のＯＦＤＭシンボルにＳＳＳ及びＰＳＳを配置し、第３のＯＦＤＭシンボルからＣＲＳを配置することを含む。他の設計オプションでは、ＳＳＳ及びＰＳＳが第１及び第２のＯＦＤＭシンボルにマッピングされ、１又は２又は３のような複数の連続するＯＦＤＭシンボル対いに対して反復され(反復回数はＵＥに対する制御/データチャンネルが開始される次のサブフレーム境界又は時間境界に依存でき)、ＣＲＳがマッピングされないか、あるいはＰＳＳとＳＳＳ、これらの反復により占有されないサブキャリアのみにマッピングされることもある。ＰＳＳ、ＳＳＳ、ＣＲＳ、又はＣＳＩ-ＲＳにマッピングされないリソース要素である場合、予約信号のような規定要件を満たす任意の信号が送信できる。
【００９８】
他のオプションでは、固定長さＣＯＳが予約信号のみにマッピングされる。ＥＰＤＣＣＨ及びＰＤＳＣＨは、チャンネル推定のための基準信号としてＤＭ-ＲＳを有するサブフレームの残りの領域で送信できる。ＣＯＳ領域が固定した持続期間を有する場合、ＥＰＤＣＣＨ及びＰＤＳＣＨ領域は、フレキシブルな持続期間を有するが、最小持続期間、例えば、サブフレームの少なくとも一つのスロットを有する。最小ＥＰＤＣＣＨ/ＰＤＳＣＨ領域持続期間条件が満たされない場合、ＣＯＳ領域は、サブフレーム境界の最後まで拡張され、又は予約信号がＣＯＳの最後とＥＰＤＣＣＨ/ＰＤＳＣＨの開始との間に挿入されることもある。ＤＭ-ＲＳ  ＲＥマッピングは、レガシー方法に従い、又は図１８で説明される方法に従うことがある。ＣＯＳは、ＰＳＳ及びＳＳＳを含めないこともあり(例えば、これらが異なるサブフレームで送信される場合)、この場合、１６０３ａ，１６０３ｂ，１６０３ｃ，１６０４ａ，１６０４ｂ，１６０４ｃ，１６０４ｄとして示す信号は、存在しなくなる。予約信号は、ＣＣＡがＣＯＳに対する送信タイミング以前に成功的である場合、ＣＣＡスロットとＣＯＳとの間で送信されることに留意しなければならない。本発明の原理を外れない範囲内の他の可能なＣＯＳ設計は、図１６Ｅ(ＣＯＳがＰＳＳ及びＳＳＳで構成)及び図１６Ｆを含む。
【００９９】
図１７Ａ及び図１７Ｂは、本発明による第４の方法のＣＯＳの例を示す。第４の方法では、本明細書で説明された第１及び第２の方法に対するＣＯＳの固定長領域の送信に対する一条件がさらに指定され得る。具体的に、送信前の最後のＣＣＡスロットがＬＡＡセルによってアイドル状態であると決定される場合、及び特定条件が満たされる場合には、ＣＯＳの可変長領域及び固定長領域がすべてＬＡＡセルにより送信される。そうでないと、送信前の最後のＣＣＡスロットがＬＡＡセルによってアイドル状態であると決定される場合及び条件が満たされない場合、ＣＯＳの可変長領域のみが主にチャンネル占有目的のために送信される。最後のアイドルＣＣＡスロットが次のサブフレームの開始直前である場合、可変長領域の持続期間はゼロミリ秒であることに留意しなければならない。この条件の一例では、ＬＡＡセルによる最後の送信の終了以後の時間となり得る(Ｐ-ＯＦＦで表示される)。
【０１００】
図１７Ａ及び図１７Ｂを参照すると、Ｐ-ＯＦＦ≧ｘｍｓ(１７４０ａ)である場合、この条件を満たし、ＣＯＳ  １７６０ａの固定長領域１７６２ａ及び可変長領域１７６１ａのＰＳＳ及びＳＳＳのような物理信号らが送信になる。そうでない場合には、この条件が満たされず(１７４０ｂ)、ＣＯＳの固定長領域のＰＳＳ及びＳＳＳのような物理信号が送信されないが、可変長領域１７６１ｂが送信される。図１７Ａ及び図１７Ｂは、要素１７２０ａ，１７２０ｂ，１７２１ａ，１７２１ｂ，１７１０ａ，１７１０ｂ，１７３０ａ，１７３０ｂ，１７５０ａ，１７５０ｂ，１７６０ｂ，１７６１ｂ、及び１７６２ｂも示している。
【０１０１】
第５の方法では、第１の方法、第２の方法、第３の方法、又は第４の方法によるＣＯＳ送信は、予め決定されるか、あるいは設定可能なシステムフレーム又はフレームのみで発生できる。例えば、第１のフレーム構造タイプによるＰＳＳ、ＳＳＳ、ＣＲＳ、ＣＳＩ-ＲＳマッピングである場合、ＣＯＳの可変長領域がサブフレーム９にのみ存在でき、あるいはサブフレーム４及びサブフレーム９にのみ存在できる(ＬＢＴ(Listen-Before-Talk  protocol)が実行されると仮定する場合)。したがって、ＣＯＳの固定長領域がサブフレーム０にのみ存在でき、あるいはサブフレーム５及びサブフレーム９のみに存在できる。第２のフレーム構造タイプによるＰＳＳ、ＳＳＳ、ＣＲＳ、ＣＳＩ-ＲＳマッピングである場合には、ＣＯＳの可変長領域がサブフレーム０にのみ存在し、あるいはサブフレーム５及びサブフレーム０にのみ存在することができる(ＬＢＴ又はチャンネルアクセスプロトコルが実行されると仮定する場合)。それによって、ＣＯＳの固定長領域がサブフレーム１にのみ存在したり、あるいはサブフレーム６及びサブフレーム１にのみ存在したりする。他の条件がシステムフレームに与えられ、ここで、ＣＯＳは、例えばすべての偶数システムフレーム番号で送信され得る。
【０１０２】
本明細書で説明するすべての方法において、ＣＲＳ、ＰＳＳ、ＳＳＳ、又はＣＳＩ-ＲＳのないＣＯＳのリソース要素である場合、ネットワークは、特定規定要件を満たすためにこれら位置で信号を送信できる。また、物理チャンネルは、このようなリソース要素にマッピングされ、これが、ブロードキャスト又はユニキャストメッセージを含む制御メッセージ又はデータを搬送できる。
【０１０３】
サブフレームにおいて、ＣＯＳが第１のスロットで送信される場合、ＰＤＣＣＨ/ＥＰＤＣＣＨ/ＰＤＳＣＨ(例えば、ユニキャスト用)がＣＯＳサブフレームで送信されないと仮定する場合、ＥＰＤＣＣＨ/ＰＤＳＣＨは、サブフレームの第２のスロットで送信される。この場合、１スロットＥＰＤＣＣＨ又はＰＤＳＣＨ送信方法を定義する必要がある。特に、１スロットＥＰＤＣＣＨ又はＰＤＳＣＨに対するＤＭ-ＲＳリソース要素マッピングが定義される必要がある。
【０１０４】
図１８は、本発明による１スロットＰＤＳＣＨ/ＥＰＤＳＣＨに対する例示的なＤＭＲＳリソース要素マッピングを示す。また、ＤＭ-ＲＳリソース要素マッピングの第５の方法は、ＥＰＤＣＣＨ又はＰＤＳＣＨが(スロットの残りはＣＯＳにより占有される)スロットの一部及び以後のスロット全体で送信される場合に適用できる。図１８を参照すると、１スロットＥＰＤＣＣＨ/ＰＤＳＣＨ１８０３に対する例示的なＤＭＲＳリソース要素マッピングが示される。図１８は、要素１８０１を含む。１スロットＥＰＤＣＣＨ/ＰＤＳＣＨ１８０３は、ＤＬサブフレームの第２のスロットでＣＯＳ１８０２以後に送信される。レガシーＬＴＥの場合、第１のＤＭ-ＲＳは、第１のスロットの最後の２個のＯＦＤＭシンボルにマッピングされ、第２のＤＭ-ＲＳは、ＤＬサブフレームの第２のスロットの最後の２個のＯＦＤＭシンボルにマッピングされる。しかしながら、１スロットＥＰＤＣＣＨ/ＰＤＳＣＨの場合には、第１のＤＭ-ＲＳは、第２のスロット上の最初の２個のＯＦＤＭシンボル１８０４にマッピングされ、第２のＤＭ-ＲＳが、継続して第２のスロットの最後の２個のＯＦＤＭシンボル１８０５にマッピングされる。ＥＰＤＣＣＨ/ＰＤＳＣＨは、リソース要素１８０６にマッピングされる。ＥＰＤＣＣＨ又はＰＤＳＣＨ又は他のＤＭ-ＲＳベース物理チャンネルがＣＯＳサブフレームにマッピングされ、このＣＯＳが従来のＤＭ-ＲＳと衝突するＰＳＳ及びＳＳＳを含む場合、[９]で提案されるようなＰＳＳ及びＳＳＳとの衝突を避けるＤＭ-ＲＳ設計が適用され得る。
【０１０５】
図１９Ａは、本発明による１スロットＰＤＳＣＨ/ＥＰＤＣＣＨ１９０３ａに対する他の例示的なＤＭＲＳリソース要素マッピングを示す。図１９Ａに示すように、ＣＯＳは、ＣＣＡ１９０１ａ以後のサブフレームｎの第１のスロット１９０２ａに位置し、可変長領域(＜１スロット)のみで構成される。ＤＭＲＳ  ＲＥは、サブフレームの第２のスロットの最初の２個のＯＦＤＭシンボル１９０４ａ及び最後の２個のＯＦＤＭシンボル１９０５ａに位置することができる。制御又はデータ情報は、サブフレームの第２のスロットの他のＲＥ１９０６ａにマッピングされ得る。これは、ＣＯＳオーバーヘッドが１スロットＰＤＳＣＨ/ＥＰＤＣＣＨで最小化する一例である。図１９Ｂは、本発明によるノーマルＰＤＳＣＨ/ＥＰＤＣＣＨ１９０３ｂに対する例示的なＤＭＲＳリソース要素マッピングを示す。図１９Ｂに示すように、可変長領域１９０２ｂのＣＯＳがＣＣＡ１９０１ｂ以後のサブフレーム(サブフレームｎ-１）の第２のスロットに位置する場合、ＰＤＳＣＨ/ＥＰＤＣＣＨは、サブフレームｎ１９０３ｂで１スロットより多いことがある[１]。ＤＭＲＳ  ＲＥは、サブフレームの第１のスロットの最後の２個のＯＦＤＭシンボル１９０４ｂ及びサブフレームの第２のスロットの最後の２個のＯＦＤＭシンボル１９０５ｂに位置できる。この場合、ＰＤＣＣＨは、サブフレームｎでも送信できる。一つの含意(implication)は、ＰＤＣＣＨの存在(したがって、ＵＥがＰＤＣＣＨをモニタリング/受信する必要性)がＣＯＳの時間位置に基づくことである。例えば、ＣＯＳがサブフレームｎの第１のスロットに存在する場合、ＰＤＣＣＨは、サブフレームｎで送信されず、その他にＣＯＳがサブフレームｎの第２のスロットに存在する場合には、ＰＤＣＣＨは、サブフレームｎ＋１で送信される。さらに、ＵＥによりモニタリング又は受信される物理的制御チャンネルのタイプも、ＣＯＳの時間位置に基づくことができる。例えば、ＣＯＳがサブフレームｎの第１のスロットに存在する場合、ＵＥは、サブフレームｎでＥＰＤＣＣＨをモニタリングする(そして、サブフレームｎではＰＤＣＣＨをモニタリングしない)。一方、ＣＯＳがサブフレームｎの第２のスロットに存在する場合、ＵＥは、サブフレームｎ＋１でＰＤＣＣＨをモニタリングする(そして、サブフレームｎ＋１ではＥＰＤＣＣＨをモニタリングしない)。その上に、ＰＳＳ/ＳＳＳがＥＰＤＣＣＨ/ＰＤＳＣＨと同一のスロット又はサブフレームで送信される場合、ＰＳＳ/ＳＳＳの位置は、ＤＭ-ＲＳとの衝突を避けるように変更され得る(例えば、ＳＳＳが第２のスロットの第３のＯＦＤＭシンボルに存在し、ＰＳＳがＥＰＤＣＣＨ/ＰＤＳＣＨサブフレームの第２のスロットの第４のＯＦＤＭシンボルに存在できる)。１スロットＥＰＤＣＣＨ/ＰＤＳＣＨに対するＤＭ-ＲＳとＣＲＳ(例えば、ポート０）の衝突は、(第１のＣＲＳ  ＲＥが、同一のＯＦＤＭシンボルでＣＲＳ  ＲＥの間に６個のサブキャリア間隔を有する、最小サブキャリアインデックスにマッピングされる)ゼロ周波数シフトのような(ＰＣＩに依存しない)固定周波数シフトで回避され得る。
【０１０６】
第２の実施形態は、ＬＡＡのための向上したディスカバリ信号に関するものである。ＬＡＡのためのディスカバリ信号は、向上したセル検出をサポートするように改善できる。具体的に、セル検出誤警報(false  alarm)又は誤検出率(misdetection  rate）は、送信周期内でのＰＳＳ及びＳＳＳ反復により減少することができる。ＵＥは、セル検出のための反復ＰＳＳ及びＳＳＳのエネルギー蓄積を実行できる。この向上したディスカバリ信号設計は、ディスカバリ信号送信[８](例えば、向上したディスカバリ信号がディスカバリ信号測定タイミング設定(Discovery  signal  Measurement  Timing  Configuration：ＤＭＴＣ)に対応する時間ウィンドウ内のＣＣＡ以後に送信される[８]の実施形態２)に適用できる。
【０１０７】
ＰＳＳ及びＳＳＳの反復は、ＬＡＡセルにより同一のチャンネルアクセスインスタンス内で実行できる。これは、セル検出待ち時間(latency)及びＵＥセル検出アルゴリズム複雑性が減少させ得る。ＣＣＡが送信以前に必要なため、複数のチャンネルアクセスインスタンスにわたるＰＳＳ及びＳＳＳの反復は、反復ＰＳＳ/ＳＳＳの時間位置に対する仮定の数がチャンネルアクセスインスタンスの数と共に指数関数的に(exponentially)増加するため、ＵＥ  ＰＳＳ/ＳＳＳエネルギー蓄積アルゴリズムを複雑にすることができる。
【０１０８】
第１のアプローチでは、ＰＳＳ及びＳＳＳは、ＣＲＳ送信に使用されないＯＦＤＭシンボルで反復される。図２０Ａは、本発明による例示的に向上したディスカバリ信号を示す。ディスカバリ信号オケージョンが１ｍｓであると仮定する。図２０Ａに示すように、送信以前のアイドルＣＣＡ２００１ａはサブフレームｎ-１の第２のスロットで検出され、予約信号２００６ａはサブフレームｎ-１の残り持続期間の間に送信され、ＣＲＳポート０  ２００５ａはレガシー方法によってサブフレームｎにマッピングされ(各スロットの第１及び第５のＯＦＤＭシンボル)、ＰＳＳ２００３ａ及びＳＳＳ２００４ａは、サブフレームｎ内でＣＲＳポート０送信に使用されないＯＦＤＭシンボルに反復的にマッピングされる。特に、ＰＳＳは、第２、第４、第７、第１０、第１３のＯＦＤＭシンボルにマッピングされる一方で、ＳＳＳは、第３、第６、第９、第１１、第１４のＯＦＤＭシンボルにマッピングされる。ＰＳＳ、ＳＳＳ、又はＣＲＳにマッピングされないリソース要素は、予約信号で送信され、あるいはこれらは、干渉を減少させるために空いているリソース要素であり得る。
【０１０９】
図２０Ｂは、本発明による向上したディスカバリ信号の他の例を示す。図２０Ｂに示すように、送信以前のアイドルＣＣＡは、サブフレームｎ-１の第１のスロットで検出される。予約信号オーバーヘッドを減少させるために、向上したディスカバリ信号は、サブフレームｎ-１の第２のスロット及びサブフレームｎの第１のスロット２００２ｂにわたっている。ＣＲＳポート０  ２００５ｂは、サブフレームｎ-１の第２のスロット及びサブフレームｎの第１のスロット(各スロットの第１、第５のＯＦＤＭシンボル)にマッピングされ、ＰＳＳ２００３ｂ及びＳＳＳ２００４ｂは、ＣＲＳポート０の送信に使用されないＯＦＤＭシンボルで反復してマッピングされる。ＰＳＳ、ＳＳＳ、又はＣＲＳにマッピングされないリソース要素は、予約信号で送信され、あるいはこれらは、干渉を低減させるように空いているリソース要素であることによって干渉を低減させることもある。図２０Ｃは、本発明による向上したディスカバリ信号の他の例を示す。第１のアプローチに対する代案として、図２０Ｃに示すように、ＰＳＳ、ＳＳＳ、及びＣＲＳの送信が一つのスロットに減少する場合、向上したディスカバリ信号のオーバーヘッドが減少できる。
【０１１０】
図２０Ｄは、本発明による向上したディスカバリ信号のもう一つの例を示す。図２０Ｄに示すように、向上したディスカバリ信号は、一つのスロットを有する向上したディスカバリ信号である。第１のアプローチの他の代案として、図２０Ｄに示すように、ＰＳＳ及びＳＳＳは、アイドルＣＣＡ以後に可変長領域で送信される。予約信号は、次のＯＦＤＭシンボル境界まで、ＯＦＤＭシンボルより短い持続期間でアイドルＣＣＡ以後に継続して送信することができる。
【０１１１】
図２０Ｅは、本発明による向上したディスカバリ信号の一例を示す。図２０Ｅに示すように、第２のアプローチでは、ＣＲＳは、向上したディスカバリ信号に含まれず、ＰＳＳ、ＳＳＳ、及びこれらの反復のみが向上したディスカバリ信号として送信される。図２０Ｆは、本発明による向上したディスカバリ信号の一例を示す。具体的に、図２０Ｆは、１スロットＰＳＳ/ＳＳＳ反復の減少したオーバーヘッドを示す。ＰＳＳ及びＳＳＳは、システム帯域幅の中心６個の物理的リソースブロックで送信される。また、ＣＲＳが(例えば、[８]の実施形態２で説明したようなデータ受信以前にＵＥによる微細同期化を容易にするために)向上したディスカバリ信号と同一のサブフレームで送信される場合、ＣＲＳは、向上したディスカバリ信号により占有されるリソース要素でパンクチャリング(puncturing)できる。他の代案では、反復ＰＳＳ及び反復ＳＳＳは、ＣＲＳでパンクチャリングされる。
【０１１２】
第１のアプローチの他の代案において、ＤＲＳサブフレームの最後の２個のＯＦＤＭシンボルはヌル(null)であり、ＣＳＩ-ＲＳ(ＣＳＩフィードバックのためにサポートされるＣＳＩ-ＲＳポートの数に従ってポート１５、又はポート１５乃至２２)を搬送するために使用され得る。これは、図２０Ｇに示される。図２０Ｇは、要素２００１ｇ、２００２ｇ、２００３ｇ、２００４ｇ、及び２００５ｇを含む。
【０１１３】
第１のアプローチの他の代案では、反復ＰＳＳは時間に連続してマッピングされ、反復ＳＳＳは、時間に連続してマッピングされる。また、連続するＰＳＳは、連続するＳＳＳ以前にまずマッピングされ得る。これは、効率的な方式でＵＥがまずＰＳＳを検出した後に、ＳＳＳを検出可能にする。これに対して図２０Ｈに示し、ここで、ＤＲＳサブフレームに４個のＰＳＳ及び４個のＳＳＳが存在する。図２０Ｈは、要素２００１ｈ，２００２ｈ，２００３ｈ，２００４ｈ、及び２００５ｈを含む。
【０１１４】
第１のアプローチの他の代案では、時間ドメインでＰＳＳとＳＳＳを反復することに加えて、ＰＳＳ及びＳＳＳは、セル検出信頼度を向上させるために周波数ドメインでも反復することができる。図２０Ｉにこれを示し、ここで、ＰＳＳ及びＳＳＳは(例えば、周波数ドメインで３個のＰＲＢ及びＤＲＳサブフレームでの総１２セットのＰＳＳ及びＳＳＳのために時間ドメインで４回)反復される。図２０Ｉは、要素２００１ｉ，２００２ｉ，２００３ｉ，２００４ｉ、及び２００５iを含む。
【０１１５】
第３のアプローチにおいて、ＣＲＳ、ＰＳＳ、ＳＳＳは、条件が満たされるまで反復される。例えば、このような条件は、送信されるＰＳＳ及びＳＳＳの数が少なくても所定の数(例えば、各同期化信号タイプに対して２)であるか、あるいはＣＲＳ  ＯＦＤＭシンボルの数が少なくても他の所定の数(例えば、２又は４シンボル)であることを含むことができる。この送信数の条件は、ＵＥに知られており、ネットワークにより固定又は設定され得る。ここで議論されるアプローチ及び実施形態において、ＣＳＩ-ＲＳが設定される場合、ＣＳＩ-ＲＳを有するＯＦＤＭシンボルがＰＳＳ及びＳＳＳを含まないことを理解しなければならない(例えば、第２のスロットの第３及び第４のシンボル、又は向上したディスカバリ信号サブフレームの第２のスロットの第６及び第７のシンボル)。他の代案では、ＰＳＳ及びＳＳＳは、ＣＳＩ-ＲＳでパンクチャリングされ得る。
【０１１６】
いくつかのケースにおいて、クリアチャンネル評価(Clear  Channel  Assessment：ＣＣＡ)スロットの長さ及びＣＣＡスロットのタイミングに対する定義が必要である。ＣＣＡスロットの周波数範囲は、２０ＭＨｚであり得る。特定のタイミング及び持続期間を有するＣＣＡスロットが占められる場合、ＬＡＡデバイスは、チャンネルが占有されると仮定し、そうでない場合には、チャンネルがアイドル状態であると仮定する。特定チャンネルアクセスプロトコルによれば、ＬＡＡデバイスは、送信以前に、アイドル状態であるＣＣＡスロットの数を決定する必要がある。例えば、ＬＡＡデバイスにより、(１乃至３２のような)最小値から最大値までの範囲でランダムな整数を定められ、この定められた値は、バックオフカウンタの初期値として設定される。ＣＣＡスロットがアイドル状態と決定される場合、バックオフカウンタは減少する。そうでない場合、バックオフカウンタは減少しない。バックオフカウンタが０に達する場合、ＬＡＡデバイスが送信できる。
【０１１７】
第１のアプローチにおいて、ＣＣＡスロットは、一つのＬＡＡ  ＯＦＤＭシンボル長(又はＳＣ-ＦＤＭがアップリンクのために採用される場合、一つのＬＡＡ  ＳＣ-ＦＤＭシンボル長）として定義される。図２１Ａ及び図２１Ｂは、本発明による第１のアプローチのＣＣＡスロット定義の例を示す。ノーマルサイクリックプレフィックスの場合、図２１Ａに示すように、ＣＣＡスロットは、ＬＡＡスロット(０.５ｍｓ）の第１のＯＦＤＭシンボル及びＬＡＡスロットの第２乃至第７のＯＦＤＭシンボルに対して各々７１.９μｓ及び７１.３μｓである。図２１Ｂに示すように、拡張したサイクリックプレフィックスの場合、ＣＣＡスロットは、１５ｋＨｚ及び７.５ｋＨｚのサブキャリア間隔に対して各々８３.３μｓ及び１６６.７μｓである。ＣＣＡスロットは、ＬＡＡ  ＯＦＤＭシンボルと正確に整列する。ＣＣＡスロットは、時間で連続的であり得る。このアプローチの利点は、ＬＡＡ  ＯＦＤＭヌメロロジー(numerology)を使用するＣＣＡスロット持続期間及びタイミングの整列である。ＣＣＡスロットは、時間で連続される。このアプローチでは、ＣＣＡプロトコルが満たされる以後に(例えば、バックオフカウンタが０に到達した場合)、ＬＡＡデバイスは、一部ＬＡＡスロット又はサブフレームに対応する信号を送信する。
【０１１８】
図２２は、本発明によるＣＣＡスロット定義の例を示す。第２のアプローチでは、ＣＣＡスロットは、一つのＬＡＡスロット(０.５ｍｓ)に定義される。ＣＣＡスロットは、ＬＡＡスロットと正確に整列する。ＣＣＡスロットは、時間連続的であり得る。このアプローチの利点は、ＬＡＡ  ＯＦＤＭヌメロロジーを使用するＣＣＡスロット持続期間及びタイミングの整列である。第３のアプローチでは、ＣＣＡスロットが一つのＬＡＡサブフレーム(１ｍｓ)に定義される。ＣＣＡスロットは、ＬＡＡサブフレームと正確に整列する。ＣＣＡスロットは、時間で連続される。このアプローチの利点は、ＬＡＡ  ＯＦＤＭヌメロロジーを使用するＣＣＡスロット持続期間及びタイミングの整列である。
【０１１９】
図２３は、本発明によるＣＣＡスロット定義の例を示す。第４のアプローチにおいて、ＣＣＡスロットは、２０μｓのように、サブシンボル持続期間に定義される。図２３に示すように、ＣＣＡスロットは、各ＯＦＤＭシンボル境界直前に位置する。第４のアプローチの代案では、ＣＣＡスロットは、各ＬＡＡスロット直前に位置する。もう一つの代案では、ＣＣＡスロットは、各ＬＡＡサブフレーム直前に位置する。このアプローチにおいて、ＣＣＡスロットは、時間で連続しない。第５のアプローチでは、ＣＣＡスロットは、サブシンボル持続期間、例えば、２０μｓに定義される。図２３に示すように、ＣＣＡスロットは、各ＯＦＤＭシンボル境界直前に位置する。第４のアプローチの代案では、ＣＣＡスロットは、各ＬＡＡスロット直後に位置する。もう一つの代案で、ＣＣＡスロットは、各ＬＡＡサブフレーム直後に位置する。このアプローチで、ＣＣＡスロットは、時間で連続的でない。
【０１２０】
図２４は、本発明によるＣＣＡスロット定義の他の例を示す。第６のアプローチでは、図２４に示すように、ＣＣＡスロットは、サブシンボル持続期間、例えば、２０μｓに定義される。ＣＣＡスロットの開始を決定することは、ＬＡＡデバイスが担当できる。一つの代案において、ＣＣＡスロットが固定した持続期間を有する。他の代案では、ＣＣＡスロットは、バックオフカウンタ値１に対応する最後のＣＣＡスロット(例えば、送信が許容される前にアイドル状態であると決定される最後のＣＣＡスロット)に対して可能になることを除き、固定した持続期間を有し、ここでＣＣＡスロット持続期間は、次のＯＦＤＭシンボル境界まで拡張される。このアプローチの利点は、最後のアイドルＣＣＡスロット以後の一部ＯＦＤＭシンボル送信が避けられることである。第６のアプローチの原理は、一つのＬＡＡ  ＯＦＤＭシンボルのＣＣＡスロット長にも適用し、最後のアイドルＣＣＡスロットに対するスロット又はサブフレーム境界まで拡張することができる。同様に、第６のアプローチの原理は、一つのＬＡＡスロットのＣＣＡスロット長に適用し、最後のアイドルＣＣＡスロットに対するサブフレーム境界まで拡張することもできる。
【０１２１】
図２５は、本発明によるＣＣＡスロット定義の他の例を示す。第７のアプローチでは、図２５に示すように、チャンネル/キャリアが占められることに決定された以後に存在するＣＣＡスロット(ＣＣＡスロットＡ）は、チャンネル/キャリアがアイドル状態であると決定された以後に存在するＣＣＡスロット(ＣＣＡスロットＢ)より長い持続期間を有する。例えば、ＣＣＡスロットＡは、３４μs又は４０μｓ又は４３μｓであり、ＣＣＡスロットＢは２０μｓであり得る。より長いＣＣＡスロットＡの利点は、ＷｉＦｉ(例えば、ＩＥＥＥ８０２．１１ｎ、ＩＥＥＥ８０２．１１ａｃ)とのより良い共同チャンネル共存を可能にし、それによってＡＣＫ/ＮＡＣＫがデータ受信以後に１６μｓで送信される。上述したアプローチのうち、２つ以上が組み合わせられることを理解しなければならない。例えば、第１のアプローチは、第２、第３、第４、第５、第６、又は第７のアプローチのうち少なくとも一つと組み合わせられる。すなわち、第１、第２、第３、第４、第５、第６、又は第７のアプローチのうち任意の組み合わせが共に使用できる。
【０１２２】
いくつかのケースでは、ＬＡＡデバイスに対するＬＢＴ(Listen-Before-Talk)又はチャンネルアクセスプロトコルの定義が必要である。デバイスは、チャンネルが第１のＣＣＡスロットに対して占有されないことを発見した直後に送信できる[７]。すべてのＬＡＡデバイスが同時にシステムに入ると仮定すれば、基準[７]に示すようなプロトコルは、初期ＣＣＡスロットを有するＬＡＡデバイスを好むことができる。チャンネルアクセス優先順位をランダム化するために、拡張したＣＣＡ手順は、チャンネルにアクセスする第１の試みに適用され得る。すなわち、拡張したＣＣＡ手順は、ＬＡＡデバイスがチャンネルにアクセスする必要があるたびに適用される。
【０１２３】
一実施形態において、負荷ベースＬＡＡ端末に対するＬＢＴプロトコルの一例が提供される。オペレーティングチャンネルでの送信又は送信のバースト以前に、端末は、拡張したＣＣＡチェックを実行するようになり、ランダム係数(factor)ＮにＣＣＡ観測時間を掛ける持続期間でオペレーティングチャンネルが観測される。ＣＣＡ観測時間の持続期間は、２０μｓより小さくてはならない。Ｎは、送信開始以前に観測される必要がある総アイドル周期となるクリアアイドルスロットの数を定義する。Ｎ値は、拡張したＣＣＡが要求されるたびに範囲ｑ０..ｑ１でランダムに選択され、この値はカウンタに格納される。ｑ０は、例えば０又は１、あるいは１..４のような範囲の固定した整数値であり得る。ｑ１は、例えば、範囲４..３２、又は整数集合[１５，３１，６３]のうち整数値であり得る(他の値、例えば、＞３２が排除されない)。カウンタは、ＣＣＡスロットが“非占有(unoccupied)”されると考慮されるたびに減少する。チャンネルのエネルギーレベルが本願で論議されるような電力レベルに対応するしきい値を超える場合には、そのオペレーティングチャンネルが占められることが考慮される。カウンタが０に至る場合、端末は送信できる。負荷ベースＬＡＡ端末に対するＬＢＴプロトコルは、(固定又は可変競合ウィンドウサイズの)ランダムバックオフを有するＬＢＴプロトコルとも称され、このような２つの用語は、本願で相互交換的に使用される。負荷ベースのＬＢＴプロトコルの他の例は、[１０]で説明されるようなカテゴリ３ＬＢＴ及びカテゴリ４ＬＢＴの手順を含む。
【０１２４】
一実施形態において、ｑ０又はｑ１の値はｑ１＝２５、又はｑ１＝３２、又は３２より大きい整数、例えば６４のように、ＬＡＡデバイスに対して固定又は設定され得る。ｑ０又はｑ１は、所定のプロトコルに従って時間が経つに従って変更又は調整され、例えば、ｑ０又はｑ１は、ＣＣＡチェック結果に従って又はＵＥによるＡＣＫ/ＮＡＣＫフィードバックに従って(最大値内で)線形的に又は指数関数的に増加する(これは、ｑ０が固定され、ｑ１が時間によって調整される場合を含む)。
【０１２５】
ｑ１値は、意図的な送信の目的又はタイプに基づくことができる。例えば、意図的送信が(例えば、[８]で提案されたＤＭＴＣ内で)セル検出及び/又は概略的な同期化に使用されるディスカバリ信号又は物理信号である場合、意図する送信がユニキャストデータであるケース(例えば、ユニキャストデータの場合ｑ１＝３２、ディスカバリ信号の場合ｑ１＝５)に比べてｑ１がより小さい値に設定され得る。これは、ディスカバリ信号がユニキャストメッセージより高い優先順位を有することを意味する。他の例では、意図的送信がセル検出又は粗い(coarse)同期化に使用されるディスカバリ信号又は物理信号である場合には、ｑ０又はｑ１が固定できる。一方、ｑ０又はｑ１は、(例えば、ＵＥによるＡＣＫ/ＮＡＣＫフィードバックによって又はＣＣＡチェック結果に従って)例えば、ユニキャスト制御又はデータ送信のための線形的/指数関数的バックオフで適応できる。他の実施形態において、意図的送信は、セル検出又は粗い同期化に使用されるディスカバリ信号又は物理信号である場合には、ｑ０又はｑ１が(最大値内で)線形的に増加できる。これに対して、ｑ０又はｑ１は、ユニキャスト制御又はデータ送信のために(指数関数的にバックオフ)(最大値内で)指数関数的に増加できる。
【０１２６】
他の実施形態において、ｑ０又はｑ１あるいは両方ともが([８]で提案されるように)ＤＭＴＣ持続期間に基づく。例えば、ｑ１は、ＤＭＴＣ持続期間の増加に比例して増加し、例えば、ｑ１＝α×ＤＭＴＣ持続期間であり、ここでαは予め定義され、あるいは設定可能な値である。他の実施形態では、ブロードキャストメッセージに対するｑ１値は、ユニキャストメッセージに対するｑ１値より小さいことがある。意図する送信が複数のメッセージ又は送信タイプを含む場合に、ｑ１値は、より高い優先順位(例えば、より小さいｑ１値)を有するメッセージ又は送信に基づく。送信タイプに基づいたＬＢＴプロトコル設計に対する詳細は本明細書で論議される。ＣＣＡ観測時間又はスロットに対する定義も本明細書で論議される。
【０１２７】
端末がオペレーティングチャンネルを使用する総時間は、最大チャンネル占有時間が(１３/３２)×ｑ２ｍｓより短いことがあり、以後にデバイスが本明細書で論議されるような拡張ＣＣＡを実行するようになる。ｑ１が３２以下である場合、ｑ２は、ｑ１と同一であり得る。ｑ１が３２より大きい場合、ｑ２が３２であり得る(ｑ２＝ｍｉｎ(３２，ｑ１)のように、３２より小さい他の値も可能)。実際の最大チャンネル占有時間は、最も近いｍｓに下がることができる(例えば、１０.２ｍｓは１０ｍｓに下がる)。実際の最大チャンネル占有時間は、１０ｍｓまで制限され、例えば最大チャンネル占有時間＝ｍａｘ(１０ｍｓ，ｑ２)となり得る。
【０１２８】
また、最大チャンネル占有時間は、意図した送信の目的又はタイプに基づく。例えば、意図された送信が(例えば、[８]で提案するようなＤＭＴＣ内で)セル検出又は粗い同期化に使用されるディスカバリ信号又は物理信号である場合には、意図された送信がユニキャストデータであるケースより、ｑ２又は最大チャンネル占有時間がより小さい値であり得る。例えば、最大チャンネル占有時間は、ユニキャストデータの場合に１０ｍｓであり、ディスカバリ信号の場合には２ｍｓであり得る。他の実施形態では、最大チャンネル占有時間は、ユニキャストデータの場合には４ｍｓであり、ディスカバリ信号の場合には１２ＯＦＤＭシンボルであり得る。
【０１２９】
ＵＬがＬＡＡに対してサポート又は設定されない場合に適用されない一実施形態では、この端末に対して意図されたパケットの正しい受信の際に、端末は、ＣＣＡをスキップし、直ちに管理及び制御フレーム(例えば、ＡＣＫ及びブロックＡＣＫフレーム）の送信に進む。端末による連続する送信シーケンスは、新たなＣＣＡを実行しない場合、本明細書で定義される最大チャンネル占有時間を超えないことがある。
【０１３０】
ＣＣＡに対するエネルギー検出しきい値は、送信器の最大送信電力(ＰＨ)に比例する。したがって、２３ｄＢｍ  ＥＩＲＰ送信器の場合、ＣＣＡしきい値レベル(ＴＬ）は、受信器に入力で-７３ｄＢｍ/ＭＨｚ以下である(０ｄＢｉ受信アンテナを仮定する場合)。いくつかの送信電力レベルの場合、ＣＣＡしきい値レベルＴＬは、ＴＬ＝-７３ｄＢｍ/ＭＨｚ＋２３-ＰＨ公式を使用して計算される(０ｄＢｉ受信アンテナ及びｄＢｍ  ＥＩＲＰで指定されたＰＨを仮定する場合)。
【０１３１】
拡張したＣＣＡ手順は、拡張したＣＣＡ手順のために考慮されたＣＣＡスロットとしてフレーム以前に各ＣＣＡスロットを処理することで、“フレームベース”ＬＡＡ端末に適用できる。拡張したＣＣＡに対するパラメータは、無線チャンネルの混雑レベルに基づいて適応又は設定され、これは、(例えば、最も最近の拡張したＣＣＡ手順又は過去のいくつかの拡張したＣＣＡ手順から)占有されたＣＣＡスロットの数又は占有されたＣＣＡスロットの百分率により定量化できる。例えば、最も最近の拡張したＣＣＡ手順からの占有されたＣＣＡスロットの数又は百分率が第１のしきい値より大きい場合には、バックオフの量を制御するｑ１がＬＡＡデバイスによって増加できる。同様に、占有されたＣＣＡスロットの数又は百分率が第２のしきい値より低い場合には、より小さいｑ１値が設定され、あるいは現在ｑ１値がＬＡＡデバイスによって減少できる。第１のしきい値は、第２のしきい値と同一であるか、あるいは異なる(例えば、低い)ことができる。
【０１３２】
ＬＡＡデバイスが無線チャンネルを占有する干渉タイプを決定する場合には、干渉ソースのタイプ、例えば干渉ソースのＲＡＴタイプに基づき、拡張したＣＣＡに対するパラメータが適応又は設定され得る。一例として、値ｑ１は(例えば、最も最近で拡張したＣＣＡ手順又は過去のいくつかの拡張したＣＣＡ手順から)非ＬＡＡデバイスにより占有されるＣＣＡスロットの数又は百分率に基づいて設定され、あるいは適応され得る。例えば、最も最近の拡張したＣＣＡ手順からの非ＬＡＡデバイスによる占有されたＣＣＡスロットの数又は百分率が第１のしきい値より大きい場合、より大きいｑ１値が設定されるか、あるいは現在ｑ１が減少する。同様に、非ＬＡＡデバイスによる占有されたＣＣＡスロットの数又は百分率が第２のしきい値より低い場合、より小さいｑ１値が設定されるか、あるいは現在ｑ１がＬＡＡデバイスにより減少することができる。第１のしきい値は、第２のしきい値と同一であり、あるいは異なる(例えば、低い)ことができる。
【０１３３】
他の実施形態において、値ｑ１が異なるオペレータのＬＡＡデバイスの占有されるＣＣＡスロットの数又は百分率に基づいて設定又は適応できる。例えば、最も最近の拡張したＣＣＡ手順からの異なるオペレータのＬＡＡデバイスによる占有されるＣＣＡスロットの数又は百分率が第１のしきい値より大きい場合、より大きいｑ１値が設定され、現在ｑ１が増加され得る。同様に、異なるオペレータのＬＡＡデバイスによる占有されたＣＣＡスロットの数又は百分率が第２のしきい値より小さい場合には、より小さいｑ１値が設定され、あるいは現在ｑ１がＬＡＡデバイスにより減少することができる。
【０１３４】
本明細書で機論されるように、ＬＢＴプロトコルは、物理信号/チャンネルタイプのような送信タイプ又は送信機能に従って異なることができる。その理由の一つは、特定送信タイプのチャンネルアクセスに対するより高い優先順位を可能にし、それによってアンライセンススペクトルで不連続送信を有する制御/データ受信のためにＵＥには粗い同期化を獲得することが重要であるので、粗い同期化に使用されるディスカバリ信号に対してチャンネルアクセスにおいてより高い優先順位が与えられる。もう一つの理由は、同一のサブフレームで複数のＬＡＡセルのディスカバリ信号をより容易に多重化するためである。
【０１３５】
他の実施形態において、意図された送信が(例えば、[８]で提案するようなＤＭＴＣ内で)セル検出又は粗い同期化及びＲＲＭに使用されるディスカバリ信号又は物理信号である場合、ＬＢＴプロトコルは、[７]の“フレームベース端末”に対して定義されることに従う(又は類似する)ことができる。ユニキャスト制御又はデータ送信のためのＬＢＴプロトコルは、[７]の“負荷ベース端末”に対して定義されることに従うことができる。
【０１３６】
セル検出及び/又は粗い同期化及びＲＲＭのためのディスカバリ信号に対する“フレームベース”ＬＢＴプロトコルの例示的な構成において、最大チャンネル占有時間は、１ｍｓ(又は１サブフレーム）として定義され、チャンネル占有以後のアイドル時間は、１ＯＦＤＭシンボルに定義できる。他の実施形態において、最大チャンネル占有時間は、１サブフレームマイナス１ＯＦＤＭシンボル(例えば、ノーマルＣＰに対する１３ＯＦＤＭシンボル)に定義でき、チャンネル占有以後のアイドル時間は１ＯＦＤＭシンボルに定義できる。他の実施形態において、最大チャンネル占有時間は、１サブフレームマイナス２ＯＦＤＭシンボル(例えば、ノーマルＣＰに対する１２ＯＦＤＭシンボル)に定義でき、チャンネル占有以後のアイドル時間は、２ＯＦＤＭシンボルに定義できる。もう一つの実施形態において、最大チャンネル占有時間は、１スロットに定義でき、チャンネル占有以後のアイドル時間は、１ＯＦＤＭシンボル又は１ＯＦＤＭシンボルの一部分(例えば、０.０４６ｍｓ)に定義できる。例えば、測定正確度を改善させるためのチャンネル占有時間が１ｍｓを超える他の例も可能である。セル検出、ＲＲＭ、又は粗い同期化のためのディスカバリ信号送信が制限されるリソース、例えば[８]で説明されるようなＤＭＴＣ持続期間内でのみ送信される場合、“フレームベース”ＬＢＴプロトコルは、ＤＭＴＣ持続期間内のみで動作することに注意しなければならない。“フレームベース”ＬＢＴプロトコルの一例は、単一の感知間隔に基づいたＬＢＴプロトコルであり、この２つの用語は、本明細書で相互交換的に使用される。“フレーム-ベース”ＬＢＴの他の例は、[１０]で説明されるようなカテゴリ２ＬＢＴ手順である。
【０１３７】
セル検出又は粗い同期化及びＲＲＭのためのディスカバリ信号に対する“フレームベース”ＬＢＴプロトコルを採用する利点は、これらが同一のキャリア周波数上で動作する場合にも、同一のサブフレーム又は時間位置での複数の隣接するセルからのディスカバリ信号の送信をより容易に多重化することである。これは、隣接セルが時間同期化され(例えば、オペレータの内部配置シナリオの場合)、そのセルのＣＣＡスロも同期化されると仮定する。他の利点は、“負荷ベース”ＬＢＴプロトコルに要求されるチャンネル予約信号が不要になることである。
【０１３８】
ＬＡＡセルは、同一のノードからノードから異なる送信タイプを送信する必要があるため、２つ以上のＬＢＴプロトコルが相互に作用する方法を指定する必要がある。一つのアプローチでは、ＬＢＴプロトコルが同時に動作できる。このようなアプローチに対して、第１の“負荷ベース”ＬＢＴプロトコルのバックオフメカニズムが他のＬＢＴプロトコル、例えば他の“負荷ベース”ＬＢＴプロトコル又は“フレームベース”ＬＢＴプロトコルの現在状態により影響を受ける方法を指定する必要がある。
【０１３９】
第１のＬＢＴプロトコルがチャンネルに対して競合すると仮定すると、第１の実施形態では、第１の“負荷ベース”ＬＢＴプロトコルに対するバックオフカウンタは、第２のＬＢＴプロトコルに対応する送信状態で中止し、あるいは固定することにより、第１のＬＢＴプロトコルのバックオフカウンタ値が第２のＬＢＴプロトコルの成功的完了以後に信号送信の間に減少しないようにする。一つのオプションでは、ＣＣＡが第１のＬＢＴプロトコルに対して実行される以前に、追加的なアイドル周期が、第２のＬＢＴプロトコルに対応する送信以後に挿入される。ＣＣＡスロットがアイドル状態の場合である場合、バックオフカウンタがカウントダウンを続けることができる。第２のＬＢＴプロトコルが“フレームベース”プロトコルである場合、追加アイドル周期は、第２のＬＢＴプロトコルに対する送信以後に必要なアイドル周期と同一であり得る。一実施形態において、アイドル周期は、第１のＬＢＴプロトコルに対するＣＣＡスロットとして含まれ、これは、バックオフカウンタがカウントダウンする以前にＣＣＡが許容される必要があることを示す。他の実施形態では、第２のＬＢＴプロトコルが送信を開始する場合、バックオフカウンタがリセットされる。
【０１４０】
第２の実施形態では、第１の“負荷ベース”ＬＢＴプロトコルに対するバックオフカウンタが、ＣＣＡスロットが第２のＬＢＴプロトコルに対応する送信状態でアイドル状態のように継続される。これは、第１の“負荷ベース”ＬＢＴプロトコルによる外部干渉に対するＣＣＡスロットチェックにより“アイドル”結果となることを他のノードがその送信によりバックオフされ、あるいはアイドル状態に維持されると仮定する場合、第２のＬＢＴプロトコルによる送信が表すと仮定するためである。一実施形態において、第１のＬＢＴプロトコルが第２のＬＢＴプロトコルに対応する送信周期の間に送信を開始しない場合には、第２のＬＢＴプロトコルに対応する送信以後に追加アイドル周期が挿入される。第２のＬＢＴプロトコルが“フレームベース”プロトコルである場合に、この追加アイドル周期は、第２のＬＢＴプロトコルの送信以後に必要なアイドル周期と同一であり得る。他の実施形態では、アイドル周期は、第１のＬＢＴプロトコルに対するＣＣＡスロットとして含まれ、これは、バックオフカウンタがカウントダウンする前にＣＣＡが許容する必要があることを示す。もう一つの実施形態では、第２のＬＢＴプロトコルに対応する送信周期で送信が発生する場合、第１のＬＢＴプロトコルによる送信に追加制約が加えられ、例えば、最大チャンネル占有時間が第２のＬＢＴプロトコルに対して設定又は定義されることに制限される。
【０１４１】
第３の実施形態において、第１の“負荷ベース”ＬＢＴプロトコルに対するバックオフカウンタは、第２のＬＢＴプロトコルの状態が送信状態に遷移された後に０となり、これが第１の“負荷ベース”ＬＢＴプロトコルが送信状態に遷移されることを示す。これは、第１及び第２のＬＢＴプロトコルからの送信が同一のサブフレームで多重化できることを意味する。この場合の利点は、第１のＬＢＴプロトコルがより多くの送信機会が得られるようになる。一実施形態では、第１のＬＢＴプロトコルによる送信に追加制限が与えられ、例えば、最大チャンネル占有時間は、第２のＬＢＴプロトコルに対して設定又は定義されることに制限される。
【０１４２】
第４の実施形態において、第１、第２、又は第３の実施形態は、第１のＬＢＴプロトコルに対応する送信タイプに基づいて適用される。例えば、第１のＬＢＴプロトコルがＲＲＭ又は粗い同期化をサポートする送信タイプに対応する場合には、第１のＬＢＴプロトコルが第３の実施形態に従うようになり、第１のＬＢＴプロトコルがユニキャスト制御/データ送信に対応する場合には、第１のＬＢＴプロトコルは、第１の実施形態又は第２の実施形態に従うようになる。その理由は、ＲＲＭ又は粗い同期化機能に対してチャンネルアクセス優先順位を提供できるためである。
【０１４３】
送信優先順位は、異なる送信タイプによって異なるので、送信タイプに従って送信優先順位を制御するための追加メカニズムが有用であり得る。一つのアプローチで、ＣＣＡスロット持続期間は、送信タイプに基づく。より大きいＣＣＡスロット持続期間は、より低い優先順位の送信タイプに対して定義できる。例えば、粗い同期化及びＲＲＭに使用されるディスカバリ信号にユニキャスト制御又はデータ送信より高い優先順位付けが与えられる場合、ディスカバリ信号に対するＣＣＡスロット持続期間は、ユニキャスト制御又はデータ送信に対するＣＣＡスロット持続期間(例えば、３０μｓ、３４μｓ、４０μｓ)より短いことがある(例えば、２０μｓ)。他のアプローチにおいて、チャンネルは、送信タイプに基づいて(バックオフカウンタの減少(例えば、負荷ベース)を継続し、あるいは送信決定を定めるために(例えば、フレームベース))ノーマルＣＣＡスロット持続期間(例えば、２０μｓ）を再開する以前に最後の検出された使用中ＣＣＡスロット以後の異なる持続時間の間には、送信器によってアイドル状態として感知できる。例えば、持続時間は、高い優先順位を有する送信タイプの場合に０μｓであり、持続時間は、低い優先順位を有する送信タイプの場合に２０μｓであり得る。
【０１４４】
図２６は、本発明による方法の一例を示す。ステップ２６０５において、ＬＡＡデバイスは、送信するデータを受信する。ステップ２６１０において、“Ｎ”値が１乃至ｑ１の範囲でランダムに選択されてカウンタに格納される。ステップ２６１５において、ＬＡＡデバイスは、ＣＣＡ観測時間(ＣＣＡスロット）の持続期間でオペレーティングチャンネルを観測する。ステップ２６２０において、ＬＡＡは、オペレーティングチャンネルが占有されるか否かを判定する。オペレーティングチャンネルが占有される場合、ＬＡＡデバイスは、ステップ２６１５で、ＣＣＡ観測時間(ＣＣＡスロット）の持続期間でオペレーティングチャンネルを再び観測する。オペレーティングチャンネルが占有されない場合には、ステップ２６２５で、カウンタが減少する。ステップ２６３０において、ＬＡＡは、カウンタ値が０であるか否かを判定する。カウンタ値が０でない場合、ＬＡＡは、ステップ２６１５で、ＣＣＡ観測時間(ＣＣＡスロット）の持続期間でオペレーティングチャンネルを再び観測する。カウンタ値が０である場合、ステップ２６３５で、ＬＡＡが最大チャンネル占有時間以下の時間でデータを送信する。
【０１４５】
以上、本発明の詳細な説明においては具体的な実施形態に関して説明したが、特許請求の範囲を外れない限り、様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【符号の説明】
【０１４６】
１００  ネットワーク
１２０  カバレッジ領域
１２５  カバレッジ領域
１３０  ネットワーク
２０５  チャンネル符号化及び変調ブロック
２１０  直列−並列ブロック
２１５  ＩＦＦＴブロック
２２０  並列−直列ブロック
２２５  加算サイクリックプレフィックスブロック
２３０  アップコンバータ
２５５  ダウンコンバータ
２６０  除去サイクリックプレフィックスブロック
２６５  直列−並列ブロック
２７０  ＦＦＴブロック
２７５  並列−直列ブロック
２８０  チャンネル復号化及び復調ブロック
３０５  アンテナ
３１０  RF送受信器
３１５  ＴＸ処理回路
３２０  ＲＸ処理回路
３３０  メモリ
３３５  バックホール又はネットワークインターフェース
４０５  アンテナ
４１０  ＲＦ送受信器
４１５  ＴＸ処理回路
４２０  マイクロホン
４２５  ＲＸ処理回路
４３０  スピーカ
４４０  メインプロセッサ
４４５  Ｉ／Ｏインターフェース
４５０  キーパッド
４５５  ディスプレイ
４６０  メモリ
４６１  基本オペレーティングシステムプログラム
４６２  アプリケーション
８１０  ライセンススペクトル
８２０  アンライセンススペクトル
【図１】
2017535198.tif 000007
【図２Ａ】
2017535198.tif 000008
【図２Ｂ】
2017535198.tif 000009
【図３】
2017535198.tif 000010
【図４】
2017535198.tif 000011
【図５】
2017535198.tif 000012
【図６】
2017535198.tif 000013
【図７】
2017535198.tif 000014
【図８】
2017535198.tif 000015
【図９】
2017535198.tif 000016
【図１０Ａ】
2017535198.tif 000017
【図１０Ｂ】
2017535198.tif 000018
【図１１Ａ】
2017535198.tif 000019
【図１１Ｂ】
2017535198.tif 000020
【図１２Ａ】
2017535198.tif 000021
【図１２Ｂ】
2017535198.tif 000022
【図１２Ｃ】
2017535198.tif 000023
【図１２Ｄ】
2017535198.tif 000024
【図１３Ａ】
2017535198.tif 000025
【図１３Ｂ】
2017535198.tif 000026
【図１３Ｃ】
2017535198.tif 000027
【図１３Ｄ】
2017535198.tif 000028
【図１４Ａ】
2017535198.tif 000029
【図１４Ｂ】
2017535198.tif 000030
【図１４Ｃ】
2017535198.tif 000031
【図１４Ｄ】
2017535198.tif 000032
【図１５Ａ】
2017535198.tif 000033
【図１５Ｂ】
2017535198.tif 000034
【図１６Ａ】
2017535198.tif 000035
【図１６Ｂ】
2017535198.tif 000036
【図１６Ｃ】
2017535198.tif 000037
【図１６Ｄ】
2017535198.tif 000038
【図１６Ｅ】
2017535198.tif 000039
【図１６Ｆ】
2017535198.tif 000040
【図１７Ａ】
2017535198.tif 000041
【図１７Ｂ】
2017535198.tif 000042
【図１８】
2017535198.tif 000043
【図１９Ａ】
2017535198.tif 000044
【図１９Ｂ】
2017535198.tif 000045
【図２０Ａ】
2017535198.tif 000046
【図２０Ｂ】
2017535198.tif 000047
【図２０Ｃ】
2017535198.tif 000048
【図２０Ｄ】
2017535198.tif 000049
【図２０Ｅ】
2017535198.tif 000050
【図２０Ｆ】
2017535198.tif 000051
【図２０Ｇ】
2017535198.tif 000052
【図２０Ｈ】
2017535198.tif 000053
【図２０Ｉ】
2017535198.tif 000054
【図２１Ａ】
2017535198.tif 000055
【図２１Ｂ】
2017535198.tif 000056
【図２２】
2017535198.tif 000057
【図２３】
2017535198.tif 000058
【図２４】
2017535198.tif 000059
【図２５】
2017535198.tif 000060
【図２６】
2017535198.tif 000061
【手続補正書】
【提出日】平成29年5月9日(2017.5.9)
【手続補正１】
【補正対象書類名】明細書
【補正対象項目名】全文
【補正方法】変更
【補正の内容】
【発明の詳細な説明】
【技術分野】
【０００１】
本発明は、一般的に無線通信システムに関するもので、より具体的にはアンライセンススペクトルにおけるＬＴＥ(Long Term Evolution)無線通信に関する。
【背景技術】
【０００２】
４Ｇ(4th-generation)通信システムの商用化以後に増加している無線データトラフィック需要を満たすために、改善された５Ｇ通信システム又はプリ(pre)-５Ｇ通信システムを開発するための努力がなされている。そのために、５Ｇ通信システム又はプリ５Ｇ通信システムは、‘４Ｇ以後ネットワーク(beyond 4G network)’又は‘ＬＴＥ以後システム(Post  LTE  System)'とも呼ばれる。
【０００３】
より高いデータレートを達成するために、５Ｇ通信システムは、超高周波(ｍｍＷａｖｅ)帯域、例えば６０ＧＨｚ帯域での実現が考慮されている。このような無線波の伝搬損失を低減して送信距離を増加するために、５Ｇ通信システムでは、ビームフォーミング(beam  forming)技術、大規模多重入力多重出力(massive  MIMO)技術、全次元ＭＩＭＯ(ＦＤ-ＭＩＭＯ)技術、アレイアンテナ技術、アナログビームフォーミング技術、及び大規模アンテナ技術が論議されている。
【０００４】
さらに、システムネットワークの改善のために、５Ｇ通信システムでは、改善された小型セル、クラウド無線アクセスネットワーク(cloud  RAN)、超高密度ネットワーク(ultra-dense  network)、デバイス間(Ｄ２Ｄ)通信、無線バックホール、移動ネットワーク、協力通信(cooperative  communication)、ＣｏＭＰ(Coordinated  Multi-Point)、受信端干渉除去などに基づいた方式による開発がなされている。
【０００５】
５Ｇシステムでは、向上した符号化変調(Advanced  Coding  Modulation：ＡＣＭ)方式としてハイブリッド周波数シフトキーイング(ＦＳＫ)及び直交振幅変調(ＱＡＭ)変調(ＦＱＡＭ)とスライディングウィンドウ重畳符号化(ＳＷＳＣ）、向上したアクセス技術としてフィルタバンクマルチキャリア(ＦＢＭＣ)方式、非直交多重アクセス(ＮＯＭＡ)方式、及びスパースコード多重アクセス(ＳＣＭＡ)方式が開発されている。
【０００６】
ＬＡＡ(Licensed  Assisted  Access）は、アンライセンス周波数スペクトル(５ＧＨｚ)でのＬＴＥ無線アクセス技術(ＲＡＴ）を称する。ＲＥＬ-１３の場合、ＬＡＡセル/キャリアは、キャリアアグリゲーションのＳＣｅｌｌである。ＷｉＦｉネットワークとの共存のために、ＬＢＴ(Listen-Before-Talk)/ＣＣＡ(Clear  Channel  Assessment)及び制限された最大送信持続期間を有する不連続送信が要求される。
【発明の概要】
【発明が解決しようとする課題】
【０００７】
したがって、上記した従来技術の問題点を解決するために、本発明の目的は、アンライセンススペクトルでＬＴＥセルの効率的なオペレーションを提供することにある。
【課題を解決するための手段】
【０００８】
本発明の実施形態による方法は、無線通信システムにおける免許帯域に対応する第１の周波数帯域と非免許帯域に対応する第２の周波数帯域に基づく通信サービスをサポートする基地局の方法であって、ダウンリンクで送信するデータが存在する場合、第１の期間の間に上記第２の周波数帯域がアイドル状態であるか否かをセンシングするンシング動作を予め決定された回数だけ遂行するステップと、上記センシング動作が上記予め決定された 回数だけ遂行される前に上記ダウンリンクで送信するデータが存在しない場合、第２の期間の間に上記第２の周波数帯域を使用して探索信号を送信するステップと、を含み、上記センシング動作が遂行される回数は上記第２の期間の間に固定され、上記センシング動作が遂行された回数は、上記ダウンリンクを通して送信するデータが存在しないことを認知した時点に上記センシング動作が遂行された回数であることを特徴とする。
本発明の実施形態による方法は、無線通信システムにおける免許帯域に対応する第１の周波数帯域と非免許帯域に対応する第２の周波数帯域に基づく通信サービスをサポートする端末の方法であって、第２の期間の間に上記第２の周波数帯域で送信される探索信号を受信するステップを含み、上記探索信号は、センシング動作が予め決定された回数だけ遂行される前にダウンリンクで送信されるデータが存在しない場合に送信され、上記センシング動作は、第１の期間の間に上記第２の周波数帯域がアイドル状態であるか否かをセンシングするための動作を示し、上記ダウンリンクで送信されるデータが存在する場合に上記予め決定された回数だけ遂行され、上記センシング動作が遂行される回数は上記第２の期間の間に固定され、上記センシング動作が遂行された回数は、上記ダウンリンクで送信されるデータが存在しないことを認知した時点に上記センシング動作が遂行された回数であることを特徴とする端末方法。
本発明の実施形態による装置は、無線通信システムにおける免許帯域に対応する第１の周波数帯域と非免許帯域に対応する第２の周波数帯域に基づく通信サービスをサポートする基地局であって、送信部と、ダウンリンクで送信するデータが存在する場合、第１の期間の間に上記第２の周波数帯域がアイドル状態であるか否かをセンシングするセンシング動作を予め決定された回数だけ遂行し、上記センシング動作が上記予め決定された回数だけ遂行される前に上記ダウンリンクで送信するデータが存在しない場合、第２の期間の間に上記第２の周波数帯域を使用して探索信号を送信するように常時送信部を制御する制御部と、を含み、上記センシング動作が遂行される回数は上記第２の期間の間に固定され、上記センシング動作が遂行された回数は、上記ダウンリンクを通して送信するデータが存在しないことを認知した時点に上記センシング動作が遂行された回数であることを特徴とする基地局。
本発明の実施形態による装置は、無線通信システムにおける免許帯域に対応する第１の周波数帯域と非免許帯域に対応する第２の周波数帯域に基づく通信サービスをサポートする端末であって、受信部と、第２の期間の間に上記第２の周波数帯域で送信される探索信号を受信するように上記受信部を制御する制御部と、を含み、上記探索信号は、センシング動作が予め決定された回数だけ遂行される前にダウンリンクで送信されるデータが存在しない場合に送信され、上記センシング動作は、第１の期間の間に上記第２の周波数帯域がアイドル状態であるか否かをセンシングするための動作を示し、上記ダウンリンクで送信されるデータが存在する場合に上記予め決定された回数だけ遂行され、上記センシング動作が遂行される回数は上記第２の期間の間に固定され、上記センシング動作が遂行された回数は上記ダウンリンクで送信されるデータが存在しないことを認知した時点に上記センシング動作が遂行された回数であることを特徴とする端末。
【０００９】
本発明を詳細に説明するのに先立って、本明細書の全般にわたって使用される特定の単語及び語句の定義を開示することが望ましい。“含む（include）”及び “備える（comprise）”という語句だけではなく、その派生語（derivatives thereof）は、限定されない含有(inclusion)を意味する。“又は（or）”という用語は、“及び／又は（and/or）”の意味を包括する。“関連した（associated with）”及び“それと関連した（associated therewith）”という語句だけではなく、その派生語句は、“含む（include）”、“含まれる（be included within）”、“相互に接続する（interconnect with）”、“包含する（contain）”、“包含される（be contained within）”、“接続する（connect to or with）”、“結合する（couple to or with）”、“疎通する（be communicable with）”、“協力する（cooperate with）”、“相互配置する（interleave）”、“並置する（juxtapose）”、“近接する（be proximate to）”、“接する（be bound to or with）”、“有する（have）”、及び“特性を有する（have a property of）”などを意味することができる。制御部は、少なくとも１つの動作を制御する装置、システム又はその部分を意味するもので、ハードウェア、ファームウェア、ソフトウェア、又は、それらのうちの２つ以上の組合せで実現することができる。特定の制御部に関連する機能は、集中しているか、あるいは近距離、又は遠距離に分散されることもあることに留意すべきである。特定の単語及び語句に関するこのような定義は、本明細書の全般にわたって規定されるもので、当業者には、大部分の場合ではなくても、多くの場合において、このような定義がそのように定義された単語及び語句の先行使用にはもちろん、将来の使用にも適用されるものであることが自明である。
【００１０】
本発明のより完全な理解及びそれに従う利点は、添付された図面とともに考慮すれば、後述する詳細な説明を参照してより容易に理解できる。また、図面中、同一の参照符号は、同一であるか又は類似した構成要素を示す。
【図面の簡単な説明】
【００１１】
【図１】本発明による無線ネットワークの一例を示す図である。
【図２Ａ】本発明による直交周波数分割多重接続(ＯＦＤＭＡ)送信及び受信経路の一実施形態を示す図である。
【図２Ｂ】本発明による直交周波数分割多重接続(ＯＦＤＭＡ)送信及び受信経路の一実施形態を示す図である。
【図３】本発明による基地局(ＢＳ)の一例を示す図である。
【図４】本発明による移動局(ＭＳ)の例を示す図である。
【図５】本発明によるＤＬ送信時間間隔(ＴＴＩ)の構成例を示す図である。
【図６】本発明によるサブフレーム内のＣＲＳ  ＲＥマッピングの一例を示す図である。
【図７】本発明によるＦＤＤ及びＴＤＤのためのＰＳＳ/ＳＳＳに対するタイムドメイン位置の例を示す図である。
【図８】本発明によるライセンススペクトル上のキャリア及びアンライセンススペクトル上のキャリアのキャリアアグリゲーションの一例を示す図である。
【図９】本発明によるＬＡＡダウンリンクキャリアの送信パターンの一例を示す図である。
【図１０Ａ】本発明によるＤＲＳオケージョンの例を示す図である。
【図１０Ｂ】本発明によるＤＲＳオケージョンの例を示す図である。
【図１１Ａ】本発明によるＦＤＤ及びＴＤＤのためのＫｍｓの持続期間を有するＤＲＳオケージョンの例を示す図である。
【図１１Ｂ】本発明によるＦＤＤ及びＴＤＤのためのＫｍｓの持続期間を有するＤＲＳオケージョンの例を示す図である。
【図１２Ａ】本発明による第１のフレーム構造タイプを有する第１の方法のＣＯＳの例を示す図である。
【図１２Ｂ】本発明による第１のフレーム構造タイプを有する第１の方法のＣＯＳの例を示す図である。
【図１２Ｃ】本発明による第１のフレーム構造タイプを有する第１の方法のＣＯＳの例を示す図である。
【図１２Ｄ】本発明による第１のフレーム構造タイプを有する第１の方法のＣＯＳの例を示す図である。
【図１３Ａ】本発明による第２のフレーム構造タイプを有する第１の方法のＣＯＳの例を示す図である。
【図１３Ｂ】本発明による第２のフレーム構造タイプを有する第１の方法のＣＯＳの例を示す図である。
【図１３Ｃ】本発明による第２のフレーム構造タイプを有する第１の方法のＣＯＳの例を示す図である。
【図１３Ｄ】本発明による第２のフレーム構造タイプを有する第１の方法のＣＯＳの例を示す図である。
【図１４Ａ】本発明による第１のフレーム構造タイプを有する第２の方法のＣＯＳの例を示す図である。
【図１４Ｂ】本発明による第１のフレーム構造タイプを有する第２の方法のＣＯＳの例を示す図である。
【図１４Ｃ】本発明による第１のフレーム構造タイプを有する第２の方法のＣＯＳの例を示す図である。
【図１４Ｄ】本発明による第１のフレーム構造タイプを有する第２の方法のＣＯＳの例を示す図である。
【図１５Ａ】本発明による第２のフレーム構造を有する第２の方法のＣＯＳの例を示す図である。
【図１５Ｂ】本発明による第２のフレーム構造を有する第２の方法のＣＯＳの例を示す図である。
【図１６Ａ】本発明による第３の方法のＣＯＳの例を示す図である。
【図１６Ｂ】本発明による第３の方法のＣＯＳの例を示す図である。
【図１６Ｃ】本発明による第３の方法のＣＯＳの例を示す図である。
【図１６Ｄ】本発明による第３の方法のＣＯＳの例を示す図である。
【図１６Ｅ】本発明による第３の方法のＣＯＳの例を示す図である。
【図１６Ｆ】本発明による第３の方法のＣＯＳの例を示す図である。
【図１７Ａ】本発明による第４の方法のＣＯＳの例を示す図である。
【図１７Ｂ】本発明による第４の方法のＣＯＳの例を示す図である。
【図１８】本発明による１スロットＰＤＳＣＨ/ＥＰＤＣＣＨに対するＤＭＲＳリソース要素マッピングの一例を示す図である。
【図１９Ａ】本発明による１スロットＰＤＳＣＨ/ＥＰＤＣＣＨに対するＤＭＲＳリソース要素マッピングの他の例を示す図である。
【図１９Ｂ】本発明によるノーマルＰＤＳＣＨ/ＥＰＤＣＣＨに対するＤＭＲＳリソース要素マッピングの他の例を示す図である。
【図２０Ａ】本発明による進化したディスカバリ信号の例を示す図である。
【図２０Ｂ】本発明による進化したディスカバリ信号の例を示す図である。
【図２０Ｃ】本発明による進化したディスカバリ信号の例を示す図である。
【図２０Ｄ】本発明による進化したディスカバリ信号の例を示す図である。
【図２０Ｅ】本発明による進化したディスカバリ信号の例を示す図である。
【図２０Ｆ】本発明による進化したディスカバリ信号の例を示す図である。
【図２０Ｇ】本発明による進化したディスカバリ信号の例を示す図である。
【図２０Ｈ】本発明による進化したディスカバリ信号の例を示す図である。
【図２０Ｉ】本発明による進化したディスカバリ信号の例を示す図である。
【図２１Ａ】本発明によるＣＣＡスロット定義の例を示す図である。
【図２１Ｂ】本発明によるＣＣＡスロット定義の例を示す図である。
【図２２】本発明によるＣＣＡスロット定義の例を示す図である。
【図２３】本発明によるＣＣＡスロット定義の例を示す図である。
【図２４】本発明によるＣＣＡスロット定義の例を示す図である。
【図２５】本発明によるＣＣＡスロット定義の例を示す図である。
【図２６】本発明による方法の一例を示す図である。
【発明を実施するための形態】
【００１２】
以下、本発明の望ましい実施形態を添付の図面を参照して詳細に説明する。
【００１３】
次の文献及び標準技術は、本明細書で完全に説明されたように本発明に組み込まれる：3GPP  TS  36.211  v12.3.0,  “E-UTRA,Physical  channels  and  modulation.”[1];3GPP  TS  36.212  v12.2.0,“E-UTRA,  Multiplexing  and  Channel  coding”  [2];3GPP  TS  36.213  v12.3.0,  “E-UTRA,  Physical  Layer  Procedures”[3];3GPP  TR  36.872  V12.1.0,  “Small  cell  enhancements  for  E-UTRA  and  E-UTRAN-Physical  layer  aspects”[4];3GPP  TS  36.  133  v12.5.0,  “E-UTRA  Requirements  for  support  of  radio  resource  management”[5];3GPP  TS  36．331  v12.3.0,  “E-UTRA,  Radio  Resource  Control(RRC)  Protocol  Specification”[6];ETSI  EN  301  893  V1.7.1(2012-06),Harmonized  European  Standard,  “Broadband  Radio  Access  Networks(BRAN);5GHz  high  performance  RLAN”[7];WD-201409-004-1-US0“Methods  and  apparatus  of  LTE  cell  detection,  synchronization  and  measurement  on  unlicensed  spectrum”[8];WD-201203-008-1-US0“METHODS  AND  APPARATUS  FOR  DEMODULATION  REFERENCE  ｎSIGNALS  AND  SYNCHRONIZATION  SIGNALS  IN  EXTENSION  CARRIER  OF  LTE  ADVANCED”[9];及び3GPP  TS  36.889  v13.0.0  (2015-06)“Study  on  Licensed-Assisted  Access  to  Unlic
ensed  Spectrum”[10].
【００１４】
本特許文献において本発明の原理を説明するために使われる、後述する図１乃至図２６、及び多様な実施形態は、単に例示の方法によるものであり、いかなる方式でも本発明の範囲を制限すると解釈されてはならない。当業者は、本発明の原理が適切に配列された任意の無線通信システムで実現可能であることが理解できる。
【００１５】
図１は、本発明による無線ネットワーク１００の一例を示す。図１に示す無線ネットワーク１００の実施形態は、単に説明のためのものである。無線ネットワーク１００に対する他の実施形態は、本発明の範囲を逸脱することなく使用され得る。
【００１６】
図１に示すように、無線ネットワーク１００は、ＢＳ１０１、ＢＳ１０２、及びＢＳ１０３を含む。ＢＳ１０１は、ＢＳ１０２及びＢＳ１０３と通信する。さらに、ＢＳ１０１は、少なくとも一つのインターネットプロトコル(ＩＰ)ネットワーク１３０、例えばインターネット、専用ＩＰネットワーク、又は他のデータネットワークとも通信する。
【００１７】
ネットワークタイプに基づき、よく知られている他の用語が“ｅＮｏｄｅＢ”又は“ｅＮＢ”あるいは“アクセスポイント”のような“基地局”又は“ＢＳ”の代わりに使用されてもよい。これら用語は、交互に使用でき、本特許文献では移動局(ＭＳ)に対する無線アクセスを提供するネットワークインフラストラクチャコンポーネントを称するものとして使用される。また、ネットワークタイプに従って、よく知られている他の用語は、“ユーザー端末”、“ＵＥ”、“加入者局”、“遠隔端末”、“無線端末”、又は“ユーザーデバイス”のような“移動局”又は“ＭＳ”の代わりに使用されてもよい。これら用語は、交互に使用でき、本特許文献では、ＭＳが移動デバイス(例えば、携帯電話又はスマートフォン)でも、一般的に考慮される固定デバイス(例えば、デスクトップコンピュータ又は自動販売機)でも、ＢＳに無線でアクセスする遠隔無線端末を称するものとして使用される。
【００１８】
ＢＳ１０２は、ＢＳ１０２のカバレッジ領域１２０内の第１の複数のＭＳに対してネットワーク１３０への無線広帯域アクセスを提供する。第１の複数のＭＳは、中小企業(ＳＢ)に位置するＭＳ１１１、大企業(Ｅ)に位置するＭＳ１１２、ＷｉＦｉホットスポット(ＨＳ）に位置するＭＳ１１３、第１の住居地域(Ｒ)に位置するＭＳ１１４、第２の住居地域(Ｒ)に位置するＭＳ１１５、及び携帯電話、無線ラップトップ、無線ＰＤＡのようなモバイルデバイス(Ｍ)であるＭＳ１１６を含む。ＢＳ１０３は、ＢＳ１０３のカバレッジ領域１２５内の第２の複数のＭＳに対してネットワーク１３０への無線広帯域アクセスを提供する。第２の複数のＭＳは、ＭＳ１１５及びＭＳ１１６を含む。一部の実施形態において、ＢＳ１０１-１０３のうち一つ以上は、５Ｇ、ＬＴＥ、ＬＴＥ-Ａ、ＷｉＭＡＸ、又は他の向上した無線通信技術を用いて相互及びＭＳ１１１-１１６と通信する。
【００１９】
点線は、単に例示及び説明の目的でほぼ円形で示すカバレッジ領域１２０及び１２５の概略的な範囲を示す。ＢＳに関連したカバレッジ領域、例えばカバレッジ領域１２０及び１２５は、ＢＳの構成、及び自然及び人工障害物に関連した無線環境の変化に応じて、不規則な形態を含む他の形態を有することが明らかに理解されよう。
【００２０】
以下、より詳細に説明するように、ネットワーク１００内の各種デバイス(例えば、ＢＳ及びＭＳ)は、チャンネル推定に関する技術をサポートする。
【００２１】
図１は、無線ネットワーク１００の一例を示すが、図１に対して多様な変化がなされることができる。例えば、無線ネットワーク１００は、任意の適切な配列で任意の個数のＢＳ及び任意の個数のＭＳを含んでもよい。また、ＢＳ１０１は、任意の個数のＭＳと直接通信し、このＭＳにネットワーク１３０への無線広帯域アクセスを提供できる。同様に、各ＢＳ１０２-１０３は、ネットワーク１３０と直接通信し、ＭＳにネットワーク１３０への直接無線広帯域アクセスを提供する。さらに、ＢＳ１０１，１０２、及び/又は１０３は、外部電話ネットワーク又は他のタイプのデータネットワークのような他の又は追加の外部ネットワークへのアクセスを提供できる。
【００２２】
図２Ａ及び図２Ｂは、本発明による直交周波数分割多重接続(ＯＦＤＭＡ)送信及び受信経路の実施形態を示す。図２Ａにおいて、送信経路２００は、図１のｅＮＢ１０２のようなｅＮＢで実現できる。図２Ｂにおいて、受信経路２５０は、図１のＵＥ１１６のようなＵＥで実現できる。しかしながら、受信経路２５０は、図１のｅＮＢ１０２のようなｅＮＢで実現でき、送信経路２００は、ＵＥで実現できることが理解される。送信経路２００及び受信経路２５０は、本明細書で説明するｅＮＢ間の調整方法を実現するように構成される。
【００２３】
送信経路２００は、チャンネル符号化及び変調ブロック２０５、直列-並列(S-to-P)ブロック２１０、サイズＮ逆高速フーリエ変換(ＩＦＦＴ)ブロック２１５、並列-直列(P-to-S）ブロック２２０、加算サイクリックプレフィックスブロック２２５、及びアップコンバータ(ＵＣ)２３０を含む。受信経路２５０は、ダウンコンバータ(ＤＣ)２５５、除去サイクリックプレフィックスブロック２６０、直列-並列(S-to-P)ブロック２６５、サイズＮ高速フーリエ変換(ＦＦＴ)ブロック２７０、並列-直列(P-to-S）ブロック２７５、及びチャンネル復号化及び復調ブロック２８０を含む。
【００２４】
図２Ａ及び図２Ｂのコンポーネントのうち少なくとも一部はソフトウェアで実現でき、他のコンポーネントは設定可能なハードウェア又はソフトウェアと設定可能なハードウェアとの混合により実現できる。特定の例として、ＦＦＴブロック２７０及びＩＦＦＴブロック２１５は、設定可能なソフトウェアアルゴリズムで実現でき、ここでサイズＮの値は、その実現によって修正されることがある。
【００２５】
さらに、ＦＦＴ及びＩＦＦＴを用いて説明したが、これは、単に例示によるものであって、本発明の範囲を限定するものとして解釈されてはならない。他のタイプの変換、例えばＤＦＴ(Discrete  Fourier  Transform)及びＩＤＦＴ(Inverse  Discrete  Fourier  Transform)関数が使用され得る。ＤＦＴ及びＩＤＦＴ関数の場合、変数Ｎの値は、任意の整数(例えば、１，２，３，４など)であり、ＦＦＴ及びＩＦＦＴ関数の場合、変数Ｎの値は２の自乗(例えば、１，２，４，８、１６など)である任意の整数であり得ると理解できる。
【００２６】
送信経路２００において、チャンネル符号化及び変調ブロック２０５は、一連の情報ビットを受信し、符号化(例えば、ターボ又はＬＤＰＣ符号化)を適用し、その入力ビットを変調(例えば、ＱＰＳＫ(Quadrature  Phase  Shift  Keying)又はＱＡＭ(Quadrature  Amplitude  Modulation))することで、周波数-領域変調シンボルのシーケンスを生成する。直列-並列ブロック２１０は、直列変調されたシンボルを並列データに変換(例えば、逆多重化)してＮ並列シンボルストリームを生成し、ここで、ＮはｅＮＢ１０２及びＵＥ１１６で使用されるＩＦＦＴ/ＦＦＴサイズである。サイズＮ  ＩＦＦＴブロック２１５は、Ｎ並列シンボルストリーム上でＩＦＦＴ動作を実行し、時間-領域出力信号を生成する。並列-直列ブロック２２０は、サイズＮ  ＩＦＦＴブロック２１５からの並列時間-領域出力シンボルを変換(例えば、多重化)し、直列時間-領域信号を生成する。加算サイクリックプレフィックスブロック２２５は、時間-領域信号にサイクリックプレフィックスを挿入する。アップコンバータ２３０は、無線チャンネルを介する送信のために加算サイクリックプレフィックスブロック２２５の出力をＲＦ周波数で変調(例えば、アップコンバート)する。また、この信号は、ＲＦ周波数に変換する以前に、ベースバンドでフィルタリングされることもある。
【００２７】
送信されたＲＦ信号は、無線チャンネルを通過した以後にＵＥ１１６に到達し、ｅＮＢ１０２での動作に対する逆動作が実行される。ダウンコンバータ２５５は、受信された信号をベースバンド周波数にダウンコンバートし、除去サイクリックプレフィックスブロック２６０は、そのサイクリックプレフィックスを除去し、直列時間-領域ベースバンド信号を生成する。直列-並列ブロック２６５は、時間-領域ベースバンド信号を並列時間-領域信号に変換する。サイズＮ  ＦＦＴブロック２７０は、ＦＦＴアルゴリズムを遂行してＮ並列周波数-領域信号を生成する。並列-直列ブロック２７５は、並列周波数-領域信号を変調したデータシンボルのシーケンスに変換する。チャンネル復号化及び復調ブロック２８０は、変調されたシンボルに対して復調及び復号化することにより、元の入力データストリームを回復する。
【００２８】
ｅＮＢ１０１-１０３は、各々ＵＥ１１１-１１６へのダウンリンク送信と類似した送信経路を実現し、ＵＥ１１１-１１６からのアップリンク受信と類似した受信経路を実現することができる。同様に、ＵＥ１１１-１１６は、各々ｅＮＢ１０１-１０３へのアップリンク送信のためのアーキテクチャに対応する送信経路を実現でき、ｅＮＢ１０１-１０３からのダウンリンク受信のためのアーキテクチャに対応する受信経路を実現できる。
【００２９】
いくつかの実施形態において、ｅＮＢは、一つ又は複数のセルを有し、各々のセルは、一つ又は複数のアンテナアレイを有することができる。また、セル内の各アレイは、時間分割デュプレックス(ＴＤＤ)システムでの異なるアップリンク及びダウンリンク比率のような異なるフレーム構造を有することができる。一つのアレイ又は一つのセルに複数のＴＸ/ＲＸ(送信/受信)チェーンが適用できる。セル内の一つ又は複数のアンテナアレイが同一のダウンリンク制御チャンネル(例えば、同期化チャンネル、物理的ブロードキャストチャンネルなど)送信を行うことができ、他のチャンネル(例えば、データチャンネル)は、各々のアンテナアレイに固有のフレーム構造で送信され得る。
【００３０】
図２Ａ及び図２Ｂは、ＯＦＤＭＡ送信及び受信経路の例を示すが、多様な変化が図２Ａ及び図２Ｂに対してなされる。例えば、図２Ａ及び図２Ｂの各種コンポーネントが組み合わせられ、さらに細分化され、あるいは省略され、特定の必要によって追加のコンポーネントが付加することも可能である。
【００３１】
図３は、本発明によるＢＳ１０２の一例を示す。図２に示すＢＳ１０２の実施形態は、単に説明のためのものであり、図１のＢＳ１０１及び１０３は、同一であり、類似した構成を有することができる。しかしながら、ＢＳは、各種の多様な構成からなり、図３は、ＢＳに対する任意の特定実現で本発明の範囲を制限するものではない。
【００３２】
図３に示すように、ＢＳ１０２は、複数のアンテナ３０５ａ-３０５ｎ、複数のＲＦ送受信器３１０ａ-３１０ｎ、送信(ＴＸ)処理回路３１５、及び受信(ＲＸ)処理回路３２０を含む。また、ＢＳ１０２は、制御器/プロセッサ３２５、メモリ３３０、及びバックホール又はネットワークインターフェース３３５を含む。
【００３３】
ＲＦ送受信器３１０ａ-３１０ｎは、アンテナ３０５ａ-３０５ｎから、ネットワーク１００内でＭＳにより送信される信号のような着信(incoming)ＲＦ信号を受信する。ＲＦ送受信器３１０ａ-３１０ｎは、着信ＲＦ信号をダウンコンバート(down-convert)し、ＩＦ又はベースバンド信号を生成する。ＩＦ又はベースバンド信号は、ベースバンド又はＩＦ信号をフィルタリングし、復号化し、及び/又はデジタル化することによって処理されたベースバンド信号を生成するＲＸ処理回路３２０に伝送される。ＲＸ処理回路３２０は、この処理されたベースバンド信号を、追加処理のために制御器/プロセッサ３２５に送信する。
【００３４】
ＴＸ処理回路３１５は、制御器/プロセッサ３２５からアナログ又はデジタルデータ(例えば、音声データ、Ｗｅｂデータ、電子メール、又は双方向ビデオゲームデータ)を受信する。ＴＸ処理回路３１５は、発信(outgoing)ベースバンドデータを符号化、多重化、及び/又はデジタル化して処理されたベースバンド又はＩＦ信号を生成する。ＲＦ送受信器３１０ａ-３１０ｎは、ＴＸ処理回路３１５から、着信処理されたベースバンド又はＩＦ信号を受信し、そのベースバンド又はＩＦ信号を、アンテナ３０５ａ-３０５ｎを介して送信されるＲＦ信号にアップコンバートする。
【００３５】
制御器/プロセッサ３２５は、ＢＳ１０２の全般的なオペレーションを制御する一つ以上のプロセッサ又は他のプロセシングデバイスを含むことができる。例えば、制御器/プロセッサ３２５は、よく知られている原理によってＲＦ送受信器３１０ａ-３１０ｎ、ＲＸ処理回路３２０、及びＴＸ処理回路３１５により順方向チャンネル信号の受信及び逆方向チャンネル信号の送信を制御できる。制御器/プロセッサ３２５は、より向上した無線通信機能のような追加機能もサポートできる。例えば、制御器/プロセッサ３２５は、ビームフォーミング(beamforming)又は方向ルーティング(directional  routing)動作をサポートし、ここで、複数のアンテナ３０５ａ-３０５ｎからの出力信号が異なるように加重処理されることにより、出力信号を所望の方向に効果的に制御できる。任意の各種多様な他の機能が制御器/プロセッサ３２５によりＢＳ１０２にサポートできる。いくつかの実施形態では、制御器/プロセッサ３２５は、少なくとも一つのマイクロプロセッサ又はマイクロ制御器を含む。
【００３６】
また、制御器/プロセッサ３２５は、メモリ３３０に常駐するプログラム及び他のプロセス、例えばコホンＯＳを実行できる。制御器/プロセッサ３２５は、実行プロセスによる要求に従ってデータをメモリ３３０の内部に又は外部に移動させることができる。
【００３７】
また、制御器/プロセッサ３２５は、バックホール又はネットワークインターフェース３３５にカップリングされる。バックホール又はネットワークインターフェース３３５は、ＢＳ１０２がバックホール接続を通じてあるいはネットワークを介して他のデバイス又はシステムと通信することを可能にする。インターフェース３３５は、任意の適切な有線又は無線接続を通じる通信をサポートできる。例えば、ＢＳ１０２がセルラー通信システム(例えば、５Ｇ、ＬＴＥ、又はＬＴＥ-Ａをサポートすること)の一部として実現される場合、インターフェース３３５は、ＢＳ１０２が有線又は無線バックホール接続を通じて他のＢＳと通信することを可能にする。ＢＳ１０２がアクセスポイントとして実現される場合、インターフェース３３５は、ＢＳ１０２が有線又は無線ローカル領域ネットワークを介してあるいは有線又は無線接続を通じてより大きいネットワーク(例えば、インターネット）に伝送することを可能にする。インターフェース３３５は、有線又は無線接続、例えばイーサネット（登録商標）又はＲＦ送受信器を通じる通信をサポートする任意の適切な構造を含む。
【００３８】
メモリ３３０は、制御器/プロセッサ３２５にカップリングされる。メモリ３３０の一部はＲＡＭを含み、メモリ３３０の他の一部は、フラッシュメモリ又は他のＲＯＭを含むことができる。
【００３９】
図３がＢＳ１０２の一例を示すが、多様な変化が図３に対してなされることができる。例えば、ＢＳ１０２は、図３に示す各コンポーネントに対する任意の個数を含むことができる。一つの特定例として、アクセスポイントは、複数のインターフェース３３５を含むことができ、制御器/プロセッサ３２５は、異なるネットワークアドレスの間でデータをルーティングするルーティング機能をサポートできる。他の特定例として、単一インスタンスのＴＸ処理回路３１５及び単一インスタンスのＲＸ処理回路３２０を含むことを示すが、ＢＳ１０２は、各々に対する複数のインスタンスを含むことができる(例えば、ＲＦ送受信器当たり一つ)。また、図３の各種コンポーネントが組み合わせられ、より細分化され、あるいは省略され、特定必要に従って追加のコンポーネントが付加され得る。
【００４０】
図４は、本発明によるＭＳ１１６の一例を示す。図４に示すＭＳ１１６の実施形態は、単に説明のためのものであり、図１のＭＳ１１１-１１５は同一であり、あるいは類似した構成を有することができる。しかしながら、ＭＳは、各種の多様な構成からなり、図４は、ＭＳに対する任意の特定実現で本発明の範囲を制限するものではない。
【００４１】
図４に示すように、ＭＳ１１６は、アンテナ４０５、無線周波数(ＲＦ)送受信器４１０、送信(ＴＸ)処理回路４１５、マイクロホン４２０、及び受信(ＲＸ)処理回路４２５を含む。また、ＭＳ１１６は、スピーカ４３０、メインプロセッサ４４０、入/出力(Ｉ/Ｏ)インターフェース(ＩＦ)４４５、キーパッド４５０、ディスプレイ４５５、及びメモリ４６０を含む。メモリ４６０は、基本オペレーティングシステム(ＯＳ)プログラム４６１及び一つ以上のアプリケーション４６２を含む。
【００４２】
ＲＦ送受信器４１０は、ネットワーク１００のＢＳにより送信される着信ＲＦ信号をアンテナ４０５から受信する。ＲＦ送受信器４１０は、着信ＲＦ信号をダウンコンバートし、中間周波数(ＩＦ)又はベースバンド信号を生成する。ＩＦ又はベースバンド信号は、そのベースバンド又はＩＦ信号をフィルタリングし、復号化し、及び/又はデジタル化することにより処理されたベースバンド信号を生成するＲＸ処理回路４２５に送信される。ＲＸ処理回路４２５は、処理されたベースバンド信号をスピーカ４３０に送信し(例えば、音声データ用)、あるいは追加処理のためにプロセッサ４４０に送信する(例えば、Ｗｅｂブラウジングデータ用)。
【００４３】
ＴＸ処理回路４１５は、マイクロホン４２０からアナログ又はデジタル音声データを受信するか、あるいはメインプロセッサ４４０から他の発信ベースバンドデータ(例えば、Ｗｅｂデータ、電子メール、又は双方向ビデオゲームデータ)を受信する。ＴＸ処理回路４１５は、発信ベースバンドデータを符号化、多重化、及び/又はデジタル化し、処理されたベースバンド又はＩＦ信号を生成する。ＲＦ送受信器４１０は、ＴＸ処理回路４１５から発信処理されたベースバンド又はＩＦ信号を受信し、そのベースバンド又はＩＦ信号を、アンテナ４０５を介して送信されるＲＦ信号にアップコンバートする。
【００４４】
メインプロセッサ４４０は、一つ以上のプロセッサ又は他の処理デバイスを含み、メモリ４６０に格納された基本ＯＳプログラム４６１を実行することにより、ＭＳ１１６の全般的な動作を制御できる。例えば、メインプロセッサ４４０は、よく知られている原理によってＲＦ送受信器４１０、ＲＸ処理回路４２５、及びＴＸ処理回路４１５により順方向チャンネル信号の受信及び逆方向チャンネル信号の送信を制御できる。いくつかの実施形態で、メインプロセッサ４４０は、少なくとも一つのマイクロプロセッサ又はマイクロ制御器を含む。
【００４５】
メインプロセッサ４４０は、ＢＳからサウンディング設定メッセージを受信し、ＢＳに一つ以上のＵＬ-ＳＲＳを送信するオペレーションのように、メモリ４６０に常駐する他のプロセス及びプログラムを実行できる。メインプロセッサ４４０は、実行プロセスによる要求に従ってデータをメモリ４６０の内部に又は外部に移動できる。一部実施形態において、メインプロセッサ４４０は、ＯＳプログラム４６１に基づき、あるいはＢＳ又はオペレータから受信される信号に応答してアプリケーション４６２を実行するように構成される。メインプロセッサ４４０は、Ｉ/Ｏインターフェース４４５にカップリングされ、ＭＳ１１６にラップトップコンピュータ及びハンドヘルドコンピュータのような他の装置に接続する能力を提供する。Ｉ/Ｏインターフェース４４５は、これら補助装置とメイン制御器４４０との間の通信経路である。
【００４６】
また、メインプロセッサ４４０は、キーパッド４５０及びディスプレイ装置４５５にカップリングされる。ＭＳ１１６のオペレータは、キーパッド４５０を用いてＭＳ１１６にデータを入力できる。ディスプレイ４５５は、例えば、Ｗｅｂサイトからのテキスト及び/又は少なくとも制限されたグラフィックをレンダリングする液晶ディスプレイ又は他のディスプレイであり得る。あるいは、キーパッド４５０は、例えばディスプレイ４５５がタッチスクリーンを示す場合、ディスプレイ４５５に含まれることができる。
【００４７】
メモリ４６０は、メインプロセッサ４４０にカップリングされる。メモリ４６０の一部は、ランダムアクセスメモリ(ＲＡＭ)を含み、メモリ４６０の他の一部はフラッシュメモリ又は他の読み取り専用メモリ(ＲＯＭ)を含むことができる。
【００４８】
図４は、ＭＳ１１６の一例を示すが、多様な変化が図４に対してなされることができる。例えば、図４の多様なコンポーネントは組み合わせられ、より細分化され、省略され、特定の必要に従って追加コンポーネントが付加され得る。一つの特定例として、メインプロセッサ４４０は、複数のプロセッサ、例えば一つ以上の中央処理装置(ＣＰＵ)及び一つ以上のグラフィック処理装置(ＧＰＵ)に分割できる。また、図４が携帯電話やスマートフォンのように構成されたＭＳ１１６を示すが、ＭＳは、他のタイプのモバイル又は固定デバイスとして動作するように構成されることもできる。
【００４９】
ＤＬ信号は、情報コンテンツを伝送するデータ信号、ＤＣＩ(DL  Control  Information)を伝送する制御信号、及びパイロット信号とも知られている基準信号(ＲＳ)を含む。ｅＮｏｄｅＢは、各々のＰＤＳＣＨ(Physical  DL  Shared  Channel)又はＰＤＣＣＨ(Physical  DL  Control  Channel)を介してデータ情報又はＤＣＩを送信する。ダウンリンク割り当てに使用可能なＤＣＩフォーマットは、ＤＣＩフォーマット１Ａ、１Ｂ、１Ｃ、１Ｄ、２、２ａ、２ｂ、２Ｃ、及び２Ｄを含む。ＵＥは、そのＵＥに対するダウンリンクユニキャスト受信方法を決定する送信モードに設定できる。与えられた送信モードにおいて、ＵＥは、ＤＣＩフォーマット１Ａ及びＤＣＩフォーマット１Ｂ、１Ｄ、２、２ａ、２ｂ、２Ｃ、又は２Ｄのうちいずれか一つを用いてユニキャストダウンリンク割り当てを受信できる。ｅＮｏｄｅＢは、ＵＥ共通ＲＳ(ＣＲＳ)、チャンネル状態情報ＲＳ(ＣＳＩ-ＲＳ)、及び復調ＲＳ(ＤＭＲＳ)を含む複数タイプのＲＳのうち一つ以上を送信する。ＣＲＳは、ＤＬシステム帯域幅(ＢＷ)を通じて送信され、データ又は制御信号を復調し、あるいは測定を実行するためにＵＥにより使用され得る。ＣＲＳオーバーヘッドを減少するために、ｅＮｏｄｅＢは、ＣＲＳより時間及び/又は周波数ドメイン密度がより小さいＣＳＩ-ＲＳを送信できる。チャンネル測定のために、非ゼロ電力ＣＳＩ-ＲＳ(ＮＺＰ  ＣＳＩ-ＲＳ)リソースが使用できる。干渉測定リソース(ＩＭＲ)の場合、ゼロ電力ＣＳＩ-ＲＳ(ＺＰ  ＣＳＩ-ＲＳ)に関連したＣＳＩ干渉測定(ＣＳＩ-ＩＭ)リソースが使用され得る[３]。ＵＥは、ｅＮｏｄｅＢから上位階層シグナリングを通じてＣＳＩ-ＲＳ送信パラメータを決定できる。ＤＭＲＳは、各々のＰＤＳＣＨのＢＷのみで送信され、ＵＥは、このＤＭＲＳを用いてＰＤＳＣＨ内の情報を復調することができる。
【００５０】
図５は、本発明によるＤＬ送信時間間隔(DL  Transmission  Time  Interval：ＴＴＩ)の構造の一例を示す。図５を参照すると、ＤＬシグナリングは、直交周波数分割多重(ＯＦＤＭ)を使用し、ＤＬ  ＴＴＩは、１ミリ秒(ｍｓ）の持続期間を有するとともにタイムドメインでＮ＝１４個のＯＦＤＭシンボル(又は２個のスロット）を含んで周波数ドメインでＫ個のリソースブロック(ＲＢ)を含む。第１のタイプの制御チャンネル(ＣＣＨ)は、第１のＮ１ＯＦＤＭシンボル５１０(送信を含まないこと、Ｎ１＝０)で送信される。残りのＮ-Ｎ１ＯＦＤＭシンボルは、主にＰＤＳＣＨ５２０を送信するために使用され、ＴＴＩの一部ＲＢでは第２のタイプのＣＣＨ(ＥＣＣＨ)５３０を送信するために使用される。
【００５１】
図６は、本発明によるＤＬ  ＳＦ構造の一例を示す。図６に示すＤＬ  ＳＦ構造の実施形態は、単に例示のためのものである。他の実施形態が本発明の範囲を逸脱しない範囲内で考慮できる。
【００５２】
ＤＬ  ＳＦ６１０は、１ミリ秒(msec）の持続期間を有し、データ情報、ＤＣＩ、又はＲＳを送信するための２個のスロット６２０及び
【００５３】
【数１】
2017535198.tif 000062
【００５４】
シンボルを含む。第１の
【００５５】
【数２】
2017535198.tif 000063
【００５６】
ＳＦシンボルは、ＰＤＣＣＨ及び他の制御チャンネル(図示せず)６３０を送信するために使用できる。残りの
【００５７】
【数３】
2017535198.tif 000064
【００５８】
ＳＦシンボルは、主にＰＤＳＣＨ６４０を送信するために使用される。送信帯域幅は、リソースブロック(ＲＢ)と称される周波数リソースユニットで構成される。各々のＲＢは、サブキャリア、又はリソース要素(ＲＥ)で構成される。例えば、
【００５９】
【数４】
2017535198.tif 000065
【００６０】
である。ＵＥ１１６は、ＰＤＳＣＨ送信帯域幅のために総ＭPDSCH  ＲＥに対するＭPDSCH  ＲＢが割り当てられる。１ＲＢの周波数ユニット及び１ＳＦの時間ユニットは、ＰＲＢ対と称される。いくつかのシンボルの一部ＲＥは、ＣＲＳ６５０、ＣＳＩ-ＲＳ、又はＤＭＲＳを含む。
【００６１】
図６のＳＦシンボルは、“ノーマル”サイクリックプレフィックス(ＣＰ)サイズを有し、ＳＦ当たり１４個のシンボルが存在する。大型セルでのオペレーションにおいては、ＳＦシンボルが“拡張した(extended)”ＣＰサイズを有することができ、ＳＦ当たり１２個のシンボルが存在する([１]を参照)。
【００６２】
セル検索及び同期化をサポートするために、ＤＬ信号は、プライマリ同期化信号(ＰＳＳ）及びセカンダリ同期化信号(ＳＳＳ)のような同期化信号を含む。同一の構造を有するが、１０個のサブフレームを含む１フレーム内の同期化信号の時間-ドメイン位置は、セルが周波数分割デュプレックス(ＦＤＤ)で動作するか、あるいは時間分割デュプレックス(ＴＤＤ)で動作するかによって異なり得る。したがって、同期化信号を獲得した以後に、ＵＥは、セルがＦＤＤ動作するか、あるいはＴＤＤで動作するか及びフレーム内のサブフレームインデックスを判定できる。ＰＳＳ及びＳＳＳは、動作帯域幅の中央７２個のサブキャリア(リソース要素(ＲＥ)とも称される)を占める。さらに、ＰＳＳ及びＳＳＳは、セルに対する物理的セル識別子(ＰＣＩＤ)を通知するので、ＰＳＳ及びＳＳＳを獲得した以後に、ＵＥは、送信セルのＰＣＩＤがわかる。
【００６３】
図７は、本発明によるＦＤＤ及びＴＤＤのためのＰＳＳ/ＳＳＳに対するタイムドメイン位置の例を示す。図７を参照すると、ＦＤＤの場合、すべてのフレーム７０５において、ＰＳＳ７２５は、サーフフレーム０及び５  ７１０，７１５の第１のスロット最後のシンボル内で送信され、ここで、一つのサブフレームは、２個のスロットを含む。ＳＳＳ  ７２０は、同一のスロットの第２の最後のシンボル内で送信される。ＴＤＤの場合、すべてのフレーム７５５において、ＰＳＳ７９０は、サブフレーム１及び６  ７６５，７８０の第３のシンボル内で送信され、ＳＳＳ７８５は、サブフレーム０及び５  ７６０，７７０の最後のシンボルで送信される。このような差異によりセルでのデュプレックス方式を検出するようになる。ＰＳＳ及びＳＳＳに対するリソース要素は、任意の他のタイプのＤＬ信号送信に利用されることができない。
【００６４】
連邦通信委員会(Federal  Communications  Commission：ＦＣＣ)は、無償の公開アクセススペクトルを提供するためのアンライセンスキャリアを定義した。ＵＥによるアンライセンスキャリアの使用は、ＵＥがライセンスキャリアでの通信に顕著な干渉を発生させないという条件及びアンライセンスキャリアでの通信が干渉から保護されないという条件下でのみ許容される。例えば、アンライセンスキャリアは、ＩＥＥＥ８０２.１１デバイスにより使用できる、産業、科学、及び医療(Industrial，Scientific and medical：ＩＳＭ)キャリア及びアンライセンス国家情報インフラストラクチャ(Unlicensed National Information Infrastructure：ＵＮＩＩ)キャリアを含む。ＬＡＡ(Licensed Assisted Access)又はＬＴＥ-Ｕ(LTE-Unlicensed)とも知られている、アンライセンス周波数スペクトル上で無線アクセス技術(Radio  Access  Technology：ＲＡＴ）を使用することができる。図８に示すように、ＬＡＡに対して可能な配置シナリオは、キャリアアグリゲーションの一部としてＬＡＡキャリアを配置することであり、ここで、ＬＡＡキャリアは、ライセンススペクトル上の他のキャリアとアグリゲーションされる。
【００６５】
図８は、本発明によるライセンススペクトル８１０上のキャリア及びアンライセンススペクトル８２０上のキャリアのキャリアアグリゲーションの一例を示す。通常の配置で、ライセンススペクトル８１０上のキャリアは、プライマリセル(ＰＣｅｌｌ)として割り当てられ、アンライセンススペクトル８２０上のキャリアは、ＵＥ８３０に対するセカンダリセル(ＳＣｅｌｌ)として割り当てられる。図８は、ＬＡＡセルがアップリンクキャリアなしにダウンリンクキャリアで構成される一例を示す。
【００６６】
ＬＡＡキャリアと同一のアンライセンススペクトル上で動作する他のＲＡＴが存在するため、アンライセンス周波数スペクトル上でのＬＡＡと他のＲＡＴの共存を可能にする必要性がある。例えば、ＵＥ又はＮｏｄｅＢが送信する以前にキャリア感知多重アクセス(Carrier  Sense  Multiple  Access：ＣＳＭＡ）が適用され、ＵＥ又はｅＮＢは、所定の時間周期でチャンネルをモニタリングすることで、そのチャンネルで進行中である送信があるか否かを判定する。他の送信がチャンネルで感知しない場合、ＵＥ又はＮｏｄｅＢが送信され、そうでない場合には、ＵＥ又はＮｏｄｅＢが送信を延期する。
【００６７】
図９は、本発明によるＬＡＡダウンリンクキャリアの送信パターンの一例を示す。図９を参照すると、ＬＴＥ-Ｕオン-オフサイクル９５０のうち、ＬＡＡキャリアは、周期Ｐ-ＯＮの間にオン(ＯＮ)９２０及び９３０であり、周期Ｐ-ＯＦＦの間にオフである。ＬＡＡキャリアがオンである場合、ＰＳＳ、ＳＳＳ、ＣＲＳ、ＤＭＲＳ、ＰＤＳＣＨ、ＰＤＣＣＨ、ＥＰＤＣＣＨ、及びＣＳＩ-ＲＳのうち少なくとも一つを含むＬＴＥ信号が送信される一方で、ＬＡＡキャリアがオフである場合には、いかなる信号も送信しない。ＯＮ周期(例えば、最大チャンネル占有時間）は、規定に従って定義された最大持続期間、例えば(ヨーロッパ規定ＥＴＳＩ  ＥＮ３０１８９３  Ｖ１.７．１によれば)１０ｍｓを有することができる。Ｐ-ＯＮに対する長さは、ＬＡＡキャリアでのトラフィックパターン又はバッファ状態及び共存メトリック要求事項又は目標に従ってＬＡＡのスケジューラにより調整され、あるいは適応され得る。ＷｉＦｉ  ＡＰ又は他のＲＡＴ送信は、ＬＡＡ干渉がないので、送信のためにＰ-ＯＦＦ周期を利用できる。
【００６８】
ＬＢＴ(Listen-Before-Talk)プロトコルが適用される場合に、チャンネル占有が終了した以後にアイドル周期が存在でき、ここで、例えばフレームベース端末の場合、チャンネル占有時間の最小アイドル周期(例えば、５％)が指定される(ヨーロッパ規定ＥＴＳＩ  ＥＮ３０１８９３  Ｖ１.７.１によれば[７])。このアイドル周期は、アイドル周期の最後ＣＣＡ(Clear  Channel  Assessment)周期を含むことができ、ここでキャリア感知がＵＥにより実行される。
【００６９】
このＬＢＴプロトコルは、負荷ベース端末に対して定義できる[７]。例えば、オペレーティングチャンネル上での送信又は送信のバースト前に、端末は、“エネルギー検出”を使用してクリアチャンネル評価(Clear  Channel  Assessment：ＣＣＡ)チェックを実行する。端末は、２０μｓ以上であるＣＣＡ観測時間の持続期間でオペレーティングチャンネルを観測する。オペレーティングチャンネルは、チャンネルのエネルギーレベルが送信器の最大送信電力(ＰＨ)に比例するしきい値を超える場合に占められると考慮される。チャンネルがクリアされることを端末が発見する場合には、直ちに送信可能である。
【００７０】
オペレーティングチャンネルが占められることを端末が発見する場合には、該当チャンネルで送信しなくなる。端末は、ランダム係数ＮにＣＣＡ観測時間を掛けた持続期間でオペレーティングチャンネルを観測する拡張したＣＣＡチェックを実行するようになる。Ｎは、送信開始前に観測される必要のある総アイドル周期となるクリアアイドルスロットの数を定義する。拡張ＣＣＡが必要であるたびに、Ｎの値は１乃至ｑの範囲でランダムに選択される。Ｎ値はカウンタに格納される。ｑの値は、４乃至３２の範囲で選択される。カウンタは、ＣＣＡスロットが“空いている(unoccupied)”と考慮されるたびに減少する。カウンタが０に達する場合に、端末は送信できる。
【００７１】
端末がオペレーティングチャンネルを使用する全時間は、(１３/３２)×ｑｍｓより小さい最大チャンネル占有時間であり、その後に、デバイスは、本明細書で説明されるように拡張ＣＣＡを遂行するようになる。
【００７２】
この端末のためのものとして予定されたパケットを正しく受信すると、端末は、ＣＣＡをスキップし、管理及び制御フレーム(例えば、ＡＣＫ及びブロックＡＣＫフレーム）の送信にすぐに進まれる。端末による連続する送信シーケンスは、新たなＣＣＡを実行しない場合、本明細書で定義される最大チャンネル占有時間を超えてはならない。
【００７３】
ＣＣＡのためのエネルギー検出しきい値は、送信器の最大送信電力(ＰＨ)に比例する。例えば、２３ｄＢｍ  ＥＩＲＰ(Equivalent  Isotropically  Radiated  Power)送信器の場合、ＣＣＡしきいレベル(ＴＬ）は、受信器に対する入力で-７３ｄＢｍ/ＭＨｚ以下とならなければならない。他の送信電力レベルの場合、ＣＣＡしきいレベル(ＴＬ）は、次の公式を用いて計算される。ＴＬ＝-７３ｄＢｍ/ＭＨｚ＋２３-ＰＨ(ｄＢｍ  ＥＩＲＰで指定されたＰＨ及び０ｄＢｉ受信アンテナを仮定)。
【００７４】
ディスカバリ基準信号(Discovery  Reference  Signal：ＤＲＳ）又はディスカバリ信号(Discovery  Signal：ＤＳ)は、アンライセンススペクトル上でＬＴＥセルにより送信される。ＤＲＳは、設定される場合、プライマリ同期化信号(ＰＳＳ）、第２の同期化信号(ＳＳＳ）、共通基準信号(ＣＲＳ）、及びチャンネル状態情報基準信号(ＣＳＩ-ＲＳ)のような物理信号で構成される。アンライセンススペクトル上のＬＴＥセルに対するＤＲＳの目的又は機能は、ＬＴＥセルのディスカバリ、ＬＴＥセルへの同期化、ＬＴＥセルの無線リソース管理(Radio  Resource  Management：ＲＲＭ)、及びチャンネル状態情報(Channel  State  Information：ＣＳＩ)測定を含み、これに限定されるものではない。
【００７５】
セルによるＤＲＳ送信インスタンスは、場合によって以下ではセルのＤＲＳオケージョンと称される。ＤＲＳオケージョンの持続期間は、固定され、あるいはネットワークにより(例えば、無線リソース制御(ＲＲＣ)により設定され得る。持続期間(ｍｓ又はサブフレーム単位）は、１，２，３，４、又は５であり得る。可能なＤＲＳオケージョン持続期間は、デュプレックシングモード(例えば、ＦＤＤ用)に基づき、この持続期間は、１乃至５であり、ＴＤＤ用であり、この持続期間は２乃至５であり得る。ＦＤＤ用の１ｍｓ持続期間とＴＤＤ用の２ｍｓ持続期間のＤＲＳオケージョンに対する物理信号及び対応するリソース要素(ＲＥ)マッピングは、図１０Ａ及び図１０Ｂに示す。
【００７６】
図１０Ａ及び図１０Ｂは、本発明によるＤＲＳオケージョンの例を示す。図１０Ａは、ＦＤＤ用の１ｍｓのＤＲＳオケージョンの一例を示し、図１０Ｂは、ＴＤＤ用の２ｍｓのＤＲＳオケージョンの一例を示す。図１０Ａ及び図１０Ｂを参照すると、ＤＲＳオケージョンは、ＣＲＳ１０１０ａ，１０１０ｂ(例えば、アンテナポート０[１])、ＰＳＳ１０２０ａ，１０２０ｂ、ＳＳＳ１０３０ａ，１０３０ｂ、及びＣＳＩ-ＲＳ１０４０ａ，１０４０ｂを含むことができる。ＣＳＩ-ＲＳが構成される場合、ＣＳＩ-ＲＳは、ＤＲＳオケージョンのみに存在する可能性もある。ＣＳＩ-ＲＳの位置は、ＬＴＥ  Ｒｅｌ-１０/１１仕様([１]及び[３]を参照)により許容される任意の位置であるか、あるいはアンライセンスキャリアでの動作のために設計される新たな位置でもある。複数のＣＳＩ-ＲＳリソースが同一のＤＲＳオケージョン内で送信され、複数のサブフレームを通じて送信され得る。ＴＤＤのためのＤＲＳオケージョンの第２のサブフレームは、特殊サブフレームであり、この場合、ＣＲＳは、サブフレームのダウンリンクパイロット時間スロット(Downlink  Pilot  Time  Slot：ＤｗＰＴＳ）領域でのみ存在する。
【００７７】
図１１Ａ及び図１１Ｂは、本発明によるＦＤＤ用及びＴＤＤ用のＫｍｓ持続期間(例えば、Ｋ≦５）を有するＤＲＳオケージョンの例を示す。図１１Ａ及び図１１Ｂを参照すると、ＣＲＳ１１１０ａ、１１１０ｂ(例えば、アンテナポート０）は、すべてのＤＬサブフレーム及び特殊サブフレームのＤｗＰＴＳで送信できる。ＰＳＳ１１２０ａ，１１２０ｂ及びＳＳＳ１１３０ａ，１１３０ｂはＤＲＳオケージョン持続期間の間に一回だけ送信され、ＤＲＳオケージョン内のその位置は、ネットワークにより固定又は設定され得る。固定したＰＳＳ及びＳＳＳ一の一例いおいて、ＰＳＳ及びＳＳＳは、ＦＤＤの場合、ＤＲＳオケージョンの第１のサブフレームで送信され、ＴＤＤの場合、ＳＳＳ及びＰＳＳは、ＤＲＳオケージョンの第１及び第２のサブフレームで各々送信できる。ＣＳＩ-ＲＳが構成される場合、ＣＳＩ-ＲＳ１１４０ａ，１１４０ｂは、ＤＲＳオケージョンのみで存在できる。
【００７８】
ＬＡＡデバイスは、ｅＮｏｄｅＢであり、あるいはＬＡＡキャリア上で動作するＵＥであると理解しなければならない。また、本明細書で説明する実施形態は、アンライセンススペクトル上でのオペレーションに限定されるものではないことを理解しなければならない。例えば、本明細書で説明される実施形態は、略式でライセンススペクトル、ライセンス共有スペクトル上で実現されることもできる。
【００７９】
第１の実施形態は、チャンネル占有信号に関するものである。少なくとも第１の実施形態では、ＬＡＡセルが、特定ＬＢＴ(Listen-Before-Talk)プロトコル又はチャンネルアクセスプロトコルによる最後のＣＣＡスロットがアイドル状態であると決定された直後に、信号を送信し始めることができると仮定する。例えば、ＣＣＡスロットは、２０μｓであり得る。他のＣＣＡスロット長が排除されない。
【００８０】
送信前の最後のＣＣＡスロットがＬＡＡセルによりアイドル状態に決定される場合、ＬＡＡセルは、チャンネル占有信号(Channel  Occupany  Signal：ＣＯＳ）と称される一連の信号を送信するように進むことができる。ＣＯＳの機能としては、ＵＥに対するチャンネル占有/予約、ＡＧＣ(Automatic  Gain  Control)設定、ＵＥによるＬＡＡセル信号時間及び/又は周波数同期化(例えば、ＰＳＳ、ＳＳＳ、ＣＲＳのうちいずれか一つ以上を使用)、ＵＥによるＲＲＭ(ＣＲＳ又はＣＳＩ-ＲＳ使用)及びＣＳＩ測定(ＣＳＩ-ＲＳ使用）を含み、これに限定されるものではない。ＣＯＳは、時間可変長領域及び時間固定長領域で構成される。可変長領域の長さは、ＬＡＡセルの次のサブフレーム又はスロットタイミングまでの残りの持続期間に基づき、さらに(送信前最後のアイドルＣＣＡスロットの異なる時間位置のため)相互に異なる送信インスタンスに対して異なり得る。
【００８１】
最後のアイドルＣＣＡスロットが次のサブフレーム開始直前である場合、可変長領域の持続期間は、０ミリ秒であり得ることに留意しなければならない。ＣＣＡスロットがＯＦＤＭシンボル境界に対して整列されない場合、可変長領域は、部分ＯＦＤＭシンボル又は整数ＯＦＤＭシンボルプラス部分ＯＦＤＭシンボルで構成され得る。ＣＯＳの固定長領域は、０.５ｍｓ(又は１スロット)又は１ｍｓ(又は１サブフレーム)又は１.５ｍｓ(又は１.５サブフレーム)あるいは２ｍｓ(又は２サブフレーム)又は(一つのＯＦＤＭシンボルを含む)固定した数のＯＦＤＭシンボルであり得る。ＣＯＳ送信後制限された数のサブフレーム又はスロットである場合、復調基準信号(Demodulation  Reference  Signal：ＤＭ-ＲＳ）、ＣＲＳ、ＣＳＩ-ＲＳ、位置決定基準信号(Positioning  Reference  Signal：ＰＲＳ）のうちいずれか一つ以上を含む物理信号、及び物理的ダウンリンク制御チャンネル(Physical  Downlink  Control  Channel：ＰＤＣＣＨ)、向上した物理的ダウンリンク制御チャンネル(Enhanced  Physical  Downlink  Control  Channel：ＥＰＤＣＣＨ)、物理的ダウンリンク共有チャンネル(Physical  Downlink  Shared  Channel：ＰＤＳＣＨ)、物理的マルチキャストチャンネル(Physical  Multicast  Channel：ＰＭＣＨ)のうちいずれか一つ以上を含む物理チャンネルが送信できる。ＣＯＳ持続期間と後続する物理信号及び物理チャンネル送信持続期間の和は、最大チャンネル占有持続期間を超えないようにしなければならない。
【００８２】
図１２Ａ、図１２Ｂ、図１２Ｃ、及び図１２Ｄは、本発明による第１のフレーム構造を有する第１の方法のＣＯＳの例を示す。第１の方法の少なくとも一実施形態においては、少なくともＣＲＳがサブフレームの可変長領域に対応するＯＦＤＭシンボルに属するリソース要素のセットにマッピングされる。サブフレームでのＣＲＳマッピングは、レガシーＣＲＳマッピング方法に従うことができる。他の信号(規定要件を満たす任意の信号であること)は、ＣＲＳにマッピングされないリソース要素にマッピングされ得る。このような信号は、ＵＥにより復号化される必要がなく、この信号の目的は、チャンネルを予約することにより、アンライセンスチャンネル上でオペレーティングする他のデバイスが、占められるチャンネルを感知するようにし、ＵＥのＡＧＣチューニングに対する基準を提供することにある。このような信号は予約信号(reservation  signal）と称される。あるいは、ＣＲＳは、可変長領域にマッピングされず、規定要件を満たす任意の信号(例えば、予約信号）がその代わりに送信できる。ＣＯＳの固定長領域は、ＰＳＳ、ＳＳＳ、ＣＳＲＳ、及びＣＳＩ-ＲＳ(例えば、ＰＳＳ、ＳＳＳ、ＣＳＲ、及びＣＳＩ-Ｒのみが含まれ、ＣＳＲ及びＣＳＩ-ＲＳのみが含まれる)のうちいずれか一つ以上を含む一つのサブフレームであり、あるいはＣＲＳ(例えば、ポート０、又はポート０及びポート１)を含む一つのＯＦＤＭシンボルであり得る。リソース要素マッピングは、レガシーＬＴＥのフレーム構造タイプ１(ＦＤＤ)に対して定義されることと同様である。ＣＯＳがＰＳＳ、ＳＳＳ、ＣＲＳ、及び可能であればＣＳＩ-ＲＳを含む場合、サブフレームは、ＤＲＳ(Discovery  Reference  Signal)又はＤＳ(Discovery  Signal)サブフレーム又は同期化サブフレームであると考慮される。ＰＳＳ、ＳＳＳ、ＣＲＳ、又はＣＳＩ-ＲＳにマッピングされない他のリソース要素である場合、規定要件を満たす任意の信号が送信できる。あるいは、ＰＤＣＣＨ、ＥＰＤＣＣＨ、ＰＤＳＣＨ、又は新たな物理チャンネルがその代わりに送信できる。もう一つの代案では、ＣＯＳの最初の一つ又は個数のＯＦＤＭシンボルが予約信号のような第１の信号を含むことができ、ＣＯＳの残りのＯＦＤＭシンボルは、ＰＤＣＣＨ、ＥＰＤＣＣＨ、ＰＤＳＣＨ、又は新たな物理チャンネルのような第２の信号を含むことができる。少なくとも図１２Ａ、図１２Ｂ、図１２Ｃ、及び図１２Ｄを参照すると、ＰＳＳ、ＳＳＳ、ＣＲＳ、及びＣＳＩ-ＲＳがＣＯＳに含まれると仮定する。
【００８３】
図１２Ａ及び図１２Ｂを参照すると、最後のアイドルＣＣＡスロット１２０１ａ、１２０１ｂ以後に、ＬＡＡセルは、一つのサブフレームの可変長領域１２０３ａ，１２０３ｂ、及び固定長領域１２０４ａ，１２０４ｂで構成されるＣＯＳ１２０２ａ，１２０２ｂを送信できる。ＰＳＳ１２０６ａ、１２０６ｂ、ＳＳＳ１２０５ａ，１２０５ｂ、及びＣＳＩ-ＲＳ１２１０ａ，１２１０ｂは、フレーム構造タイプ１による固定長領域でマッピングされ、ＣＲＳ１２０７ａ，１２０７ｂは、可変長領域と固定長領域両方ともにマッピングされる。可変長領域でＣＲＳにマッピングされないリソース要素１２０９ａ，１２０９ｂは、予約信号で送信できる。ＰＤＣＣＨ/ＥＰＤＣＣＨ/ＰＤＳＣＨ、又は新たな物理チャンネルは、固定長領域でＰＳＳ、ＳＳＳ、ＣＲＳ、又はＣＳＩ-ＲＳにマッピングされないリソース要素１２０８ａ，１２０８ｂにマッピングされることがある。
【００８４】
図１２Ａ及び図１２Ｂは、最後のアイドルＣＣＡの異なる時間位置の例を示す。図１２Ａに示すように、最後のアイドルＣＣＡスロットは、サブフレームｎ-１の第２のスロットに位置し、可変長領域は、一つのスロットより小さい。図１２Ｂに示すように、最後のアイドルＣＣＡスロットは、サブフレームｎの第１のスロットに位置し、可変長領域は、一つのスロットより大きく、一つのサブフレームよりは小さい。ＣＯＳは、(例えば、ＰＳＳ及びＳＳＳが異なるサブフレームで送信される場合)ＰＳＳ及びＳＳＳを含めないこともあり、この場合、１２０５ａ、１２０５ｂ、１２０６ａ、１２０６ｂとして示す信号は存在しなくなる。この第１の実施形態において、可変長領域の最大持続期間は、一つのサブフレームより小さいことがある。これは、ＬＡＡセルが機会を得るとすぐに無線チャンネルを占めることを可能にする。
【００８５】
図１２Ｃ及び図１２Ｄを参照すると、第１の方法の少なくとも第２の実施形態では、可変長領域の最大持続期間が一つのスロットであり、あるいは一つのスロットより小さいことがある。これは、ＣＯＳの可変長領域により導入される干渉を減少させることができる。最後のアイドルＣＣＡスロットがサブフレームの第１のスロットに存在する場合、他のＣＣＡが次のサブフレームの開始直前にＣＣＡスロットで発生できる。ＣＣＡスロットがアイドル状態であると決定される場合に、ＬＡＡセルが送信でき、そうでない場合には、拡張したＣＣＡ手順又はバックオフ(back-off)手順に従ってＬＡＡセルがバックオフを開始できる。一実施形態において、最後のアイドルＣＣＡスロットがサブフレームｎ-１の第１のスロットに存在する場合、可変長領域は、ＣＣＡスロットからサブフレームｎ-１の第１のスロットの最後まで１２０３ｃ，１２０３ｄである。固定長領域は、サブフレームｎ-１の第２のスロットから始めてサブフレームｎの第１のスロットの終わりまで１２０４ｃ、１２０４ｄである。ＰＳＳ及びＳＳＳは、サブフレームｎの第１のスロット１２０５ｃ，１２０５ｄに存在し、あるいはサブフレームｎ−１の第２のスロット１２０５ｄ，１２０６ｄに存在することができる。ＣＣＡスロット１２０１ｃ、１２０１ｄは、ＣＣＡスロット１２０１ａ，１２０１ｂと同一であるか、あるいは類似することができる。ＣＯＳ１２０２ｃ，１２０２ｄは、ＣＯＳ１２０２ａ，１２０２ｂと同一であるか類似する。ＣＲＳ１２０７ｃ，１２０７ｄは、ＣＲＳ１２０７ａ、１２０７ｂと同一であり、あるいは類似する。リソース要素１２０８ｃ，１２０８ｄは、リソース要素１２０８ａ，１２０８ｂと同一であるか、類似することができる。リソース要素１２０９ｃ，１２０９ｄは、リソース要素１２０９ａ，１２０９ｂと同一であるか類似することができる。ＣＳＩ-ＲＳ１２１０ｃ，１２１０ｄは、ＣＳＩ-ＲＳ１２１０ａ，１２１０ｂと同一であるか類似することができる。
【００８６】
第１の方法の原理は、ＣＯＳに対するＰＳＳ、ＳＳＳ、ＣＲＳ、及びＣＳＩ-ＲＳのリソース要素マッピング、第２のフレーム構造タイプＴＤＤに従う場合に適用することができる。図１３Ａ、図１３Ｂ、図１３Ｃ、及び図１３Ｄは、本発明による第２のフレーム構造タイプを有する第１の方法のＣＯＳの例を示す。図１３Ａ及び図１３Ｂを参照すると、ＣＯＳ１３０２ａ，１３０２ｂの固定長領域１３０４ａ，１３０４ｂは、ＰＳＳ１３０６ａ，１３０６ｂ、ＣＲＳ１３０７ａ，１３０７ｂ、及びＣＳＩ-ＲＳ１３０８ａ、１３０８ｂのうち一つ以上を含み、その持続期間は、１ｍｓであり得る。ＣＯＳ１３０２ａ，１３０２ｂの可変長領域１３０３ａ，１３０３ｂは、ＳＳＳ１３０５ａ，１３０５ｂ、ＣＲＳ１３０７ａ、１３０７ｂ、及びＣＳＩ-ＲＳのうち一つ以上を含み、その持続期間は、最大１ｍｓであり得る。可変長領域でＣＲＳにマッピングされないリソース要素１３０９ａ，１３０９ｂは、予約信号で送信できる。ＰＤＣＣＨ/ＥＰＤＣＣＨ/ＰＤＳＣＨ、又は新たな物理チャンネルは、固定長領域でＰＳＳ、ＳＳＳ、ＣＲＳ、又はＣＳＩ-ＲＳにマッピングされないリソース要素１３１０ａ，１３１０ｂにマッピングされる。
【００８７】
図１３Ａ及び図１３Ｂは、最後のアイドルＣＣＡの異なる時間位置の例を示す。サブフレームｎ-１の可変長領域が短くてＳＳＳ１３０５ａ，１３０５ｂ、又はＳＳＳ及び少なくとも一つのＣＲＳシンボルがサブフレームｎ-１で送信される場合に、ＳＳＳがサブフレームｎで送信され、ＰＳＳがサブフレームｎ＋１の代わりに送信される(例えば、ＣＯＳは、３個のサブフレーム(サブフレームｎ-１、サブフレームｎ、及びサブフレームｎ＋１）の幅となる)。他の代案では、ＰＳＳ及びＳＳＳの位置が変更されることにより、ＰＳＳは、固定長領域の第２のスロットの第３のＯＦＤＭシンボルにマッピングされ、ＳＳＳは、固定長領域の第１のスロットの最後のＯＦＤＭシンボルにマッピングされる。もう一つの代案では、フレーム構造タイプ２に対するＰＳＳ及びＳＳＳ位置の変更が、図１３Ｃ及び図１３Ｄに示すように可変長領域に依存しなくなる。ＣＯＳは、ＰＳＳ及びＳＳＳを含めないこともあり(例えば、これらが異なるサブフレームで送信される場合)、この場合、１３０５ａ，１３０５ｂ，１３０５ｃ，１３０５ｄ，１３０６ａ，１３０６ｂ，１３０６ｃ，１３０６ｄとして示す信号は存在しなくなる。ＣＣＡスロット１３０１ａ，１３０１ｂ，１３０１ｃ，及び１３０１ｄは、ＣＣＡスロット１２０１ａ，１２０１ｂ，１２０１ｃ，及び１２０１ｄと各々同一であるか類似することができ、ＣＯＳ１３０２ｃ，１３０２ｄは、ＣＯＳ１３０２ａ，１３０２ｂと同一であるか類似することができ、ＣＲＳ１３０７ｃ，１３０７ｄはＣＲＳ１３０７ａ，１３０７ｂと同一であるか類似することができ、ＣＳＩ-ＲＳ１３０８ｃ，１３０８ｄは、ＣＳＩ-ＲＳ１３０８ａ，１３０８ｂと同一であるか類似することができる。リソース要素１３０９ｃ、１３０９ｄは、リソース要素１３０９ａ，１３０９ｂと同一であるか類似することができる。リソース要素１３１０ｃ，１３１０ｄは、リソース要素１３１０ａ，１３１０ｂと同一であるか類似することができる。
【００８８】
図１４Ａ、図１４Ｂ、図１４Ｃ、及び図１４Ｄは、本発明による第１のフレーム構造を有する第２の方法のＣＯＳの例を示す。第２の方法の例において、ＣＯＳの固定長領域は、ＣＲＳ、ＰＳＳ、ＳＳＳ、及びＣＳＩ-ＲＳのうち一つ以上を含む一つのＬＴＥスロットであると定義される(例えば、ＰＳＳ、ＳＳＳ、ＣＲＳ、及びＣＳＩ-ＲＳのすべてが含まれ、あるいはＣＲＳ及びＣＳＩ-ＲＳのみが含まれる)。ＣＯＳの１スロット固定長領域に対する物理信号におけるリソース要素マップピングは、フレーム構造タイプ１に対するＤＲＳサブフレームの第１のスロット(又は同等にはフレーム構造タイプ１に対するサブフレーム０の第１のスロット）と同一であり得る。第２の方法の変形例としては、最後のアイドルＣＣＡスロットの時間に従ってＣＯＳの１スロット固定長領域がＬＡＡサブフレームの第１のスロット又は第２のスロットのうちいずれか一つで送信され得る。
【００８９】
ＣＯＳの可変長領域は、その可変長領域の最大持続期間が一つのスロットであり、あるいは一つのスロットより小さく、最後のアイドルＣＣＡスロットの時間に従ってＬＡＡサブフレームの第１のスロット又は第２スロットのうちいずれか一つで送信されることを除き、第１の方法で説明された設計と同一であり得る。ＰＳＳ、ＳＳＳ、ＣＲＳ、又はＣＳＩ-ＲＳにマッピングされないリソース要素である場合、予約信号のような規定要件を満たす任意の信号が送信できる。あるいは、ＰＤＣＣＨ、ＥＰＤＣＣＨ、ＰＤＳＣＨ、又は一つ以上の新たな物理チャンネルがその代わりに送信できる。もう一つの代案の例では、ＣＯＳの最初の一つ又は数個のＯＦＤＭシンボルが予約信号のような第１の信号を含むことができ、ＣＯＳのＯＦＤＭシンボルのうち残りがＰＤＣＣＨ、ＥＰＤＣＣＨ、ＰＤＳＣＨ、又は新たな物理チャンネルのような第２の信号を含むことができる。
【００９０】
図１４Ａ、図１４Ｂ、図１４Ｃ、及び図１４Ｄを参照すると、最後のアイドルＣＣＡスロット１４０１ａ，１４０１ｃがＬＡＡサブフレームの第２のスロットで発生する場合、ＣＯＳ１４０２ａ，１４０２ｃの１スロット固定長領域１４０４ａ，１４０４ｃは、図１４Ａ及び図１４Ｃに各々示すように最後のアイドルＣＣＡスロットのサブフレーム直後のサブフレームの第１のスロットで送信される。最後のアイドルＣＣＡスロット１４０１ｂ，１４０１ｄがＬＡＡサブフレームの第１のスロットで発生する場合、ＣＯＳの１スロット固定長領域は、図１４ｂ及び図１４ｄに各々示すように、最後のアイドルＣＣＡスロットのサブフレーム直後のサブフレームの第２のスロットで受信される。すなわち、ＰＳＳ及びＳＳＳの位置は、最後のアイドルＣＣＡスロットがＬＡＡサブフレームの第１のスロットで発生するかあるいは第２のスロットで発生するかに基づく。ＰＳＳ１４０６ａ，１４０６ｂ，１４０６ｃ，１４０６ｄ及びＳＳＳ１４０５ａ，１４０５ｂ，１４０５ｃ，１４０５ｄは、図１４Ａ及び図１４Ｂに示すように固定長領域１４０４ａ，１４０４ｂに位置し、あるいは図１４Ｃ及び図１４Ｄに示すように可変長領域１４０３ｃ、１３０３ｄに位置することができる。ＣＲＳ１４０７ａ，１４０７ｂ，１４０７ｃ，１４０７ｄリソース要素マッピングは、すべての例で同一であり得る。ＰＳＳ及びＳＳＳが可変長領域に位置する場合に、例えば、可変長領域が短くてＰＳＳ及びＳＳＳが送信されない場合、ＰＳＳ及びＳＳＳが固定長領域でその代わりに送信されるような追加条件が指定され得る。ＣＯＳは、ＰＳＳ及びＳＳＳを含めないこともあり(例えば、これらが異なるサブフレームで送信される場合)、この場合、１４０５ａ，１４０５ｂ，１４０５ｃ，１４０５ｄ，１４０６ａ，１４０６ｂ，１４０６ｃ，１４０６ｄとして示す信号は存在しなくなる。
【００９１】
第２の方法の原理は、ＣＯＳに対するＰＳＳ、ＳＳＳ、ＣＲＳ、及びＣＳＩ-ＲＳのリソース要素マッピングが第２のフレーム構造タイプ(ＴＤＤ)に従う場合に適用できる。図１５Ａ及び図１５Ｂを参照すると、最後のアイドルＣＣＡスロット１５０１ａ，１５０１ｂ以後に、ＬＡＡセルはＣＯＳ１５０２ａ，１５０２ｂを送信し、ここで可変長領域の持続期間１５０３ａ，１５０３ｂは、最大１スロットであり、固定長領域の持続期間１５０４ａ，１５０４ｂは１スロットである。ＣＣＡスロットがサブフレームｎ-１の第２のスロットに位置する場合、ＳＳＳ１５０５ａ及びＰＳＳ１５０６ａは、サブフレームｎ-１の第２のスロット及びサブフレームｎの第１のスロットに各々マッピングされる。一方、ＣＣＡスロットがサブフレームｎの第１のスロットに位置する場合には、ＳＳＳ１５０５ｂ及びＰＳＳ１５０６ｂがサブフレームｎの第１のスロット及び第２のスロットに各々マッピングされる。ＣＯＳは、ＰＳＳ及びＳＳＳを含めないこともあり(例えば、これらが異なるサブフレームに送信される場合)、この場合、１５０５ａ，１５０５ｂ，１５０６ａ，１５０６ｂとして示す信号は存在しなくなる。
【００９２】
図１６Ａ、図１６Ｂ、図１６Ｃ、及び図１６Ｄは、本発明による第３の方法のＣＯＳの例を示す。ＣＣＡスロットのタイミングに関係なく、最後のアイドルＣＣＡスロット直後の物理信号(ＰＳＳ、ＳＳＳ、ＣＲＳのうちいおずれか一つ以上を含む)及びＣＯＳのＯＦＤＭシンボルの第１のセットでのこれらリソース要素マッピングが固定される。図１６Ａは、ＣＯＳが第１のスロットに存在することを示し、図１６ＢはＣＯＳが第２のスロットに存在することを示す。他の例は、図１６Ｃ乃至図１６Ｆに示す。
【００９３】
図１６Ａ、図１６Ｂ、図１６Ｃ、及び図１６Ｄを参照すると、最後のアイドルＣＣＡスロット以後の第１のＯＦＤＭシンボル１６０１ａ，１６０１ｂ，１６０１ｃ，１６０１ｄ(シンボルＬで表示され、ここでノーマルサイクリックプレフィックスの場合Ｌ{０…６}であり、拡張サイクリックプレフィックスの場合Ｌ{０…５}）は、ＣＲＳ１６０５ａ，１６０５ｂ，１６０５ｃ，１６０５ｄを送信するために使用される。シンボルｌ’でのＣＲＳに対するリソース要素マッピング(ノーマルサイクリックプレフィックスの場合ｌ’＝０…６、拡張サイクリックプレフィックスの場合ｌ’＝０…５）は、従来又はレガシーＬＴＥスロットのＯＦＤＭシンボルｌ’-Ｌ(図１６Ｃ及び図１６Ｄの場合、ＣＲＳシフト０)又はＯＦＤＭシンボル(ｌ’-Ｌ＋４)(図１６Ａ及び図１６Ｂの場合、ＣＲＳ周波数シフト３)と同一であり得る。第１のＣＲＳ  ＯＦＤＭシンボルの次にはＳＳＳ１６０３ａ，１６０３ｂ，１６０３ｃ，１６０３ｄ及びＰＳＳ１６０４ａ，１６０４ｂ，１６０４ｃ，１６０４ｄＯＦＤＭシンボルが後続する。ＣＯＳの持続期間は固定され、例えば４，５，８，１２、又は１４ＯＦＤＭシンボルのような少なくとも４個のＯＦＤＭシンボルであり得る。ＣＯＳの持続期間は、ＣＲＳシンボルの数(例えば、２又は４ＣＲＳシンボル)及び必要なＰＳＳ/ＳＳＳシンボルの数に依存する。４個のＯＦＤＭシンボルを有するＣＯＳが図１６Ａ及び1６Ｂに示し、５個のＯＦＤＭシンボルを有するＣＯＳが図１６Ｃ及び図１６Ｄに示す。ＣＯＳ持続時間は、動的であり、例えばＬＡＡスロットの最後までに拡張され、あるいは第１のＬＡＡスロットの最後のプラス一つの追加的なＬＡＡスロットまでに拡張され得る。ＣＲＳマッピングは、レガシーマッピングのようにＣＲＳリソース要素間の同一の相対的時間及び周波数間隔で第２のスロットに対して継続され得る。
【００９４】
第１のＬＡＡスロットの残りが４ＯＦＤＭシンボルより少ないか(図１６Ａ及び図１６Ｂの場合)、あるいは５ＯＦＤＭシンボルより少ない場合(図１６Ｃ及び図１６Ｄの場合)、ＣＲＳ及びＰＳＳ/ＳＳＳのマッピングは、第２のＬＡＡスロットに続けられる。他の設計オプションは、ＰＳＳとＳＳＳの位置を変えること、第１及び第２のＯＦＤＭシンボルにＳＳＳ及びＰＳＳを配置し、第３のＯＦＤＭシンボルからＣＲＳを配置することを含む。他の設計オプションでは、ＳＳＳ及びＰＳＳが第１及び第２のＯＦＤＭシンボルにマッピングされ、１又は２又は３のような複数の連続するＯＦＤＭシンボル対いに対して反復され(反復回数はＵＥに対する制御/データチャンネルが開始される次のサブフレーム境界又は時間境界に依存でき)、ＣＲＳがマッピングされないか、あるいはＰＳＳとＳＳＳ、これらの反復により占有されないサブキャリアのみにマッピングされることもある。ＰＳＳ、ＳＳＳ、ＣＲＳ、又はＣＳＩ-ＲＳにマッピングされないリソース要素である場合、予約信号のような規定要件を満たす任意の信号が送信できる。
【００９５】
他のオプションでは、固定長さＣＯＳが予約信号のみにマッピングされる。ＥＰＤＣＣＨ及びＰＤＳＣＨは、チャンネル推定のための基準信号としてＤＭ-ＲＳを有するサブフレームの残りの領域で送信できる。ＣＯＳ領域が固定した持続期間を有する場合、ＥＰＤＣＣＨ及びＰＤＳＣＨ領域は、フレキシブルな持続期間を有するが、最小持続期間、例えば、サブフレームの少なくとも一つのスロットを有する。最小ＥＰＤＣＣＨ/ＰＤＳＣＨ領域持続期間条件が満たされない場合、ＣＯＳ領域は、サブフレーム境界の最後まで拡張され、又は予約信号がＣＯＳの最後とＥＰＤＣＣＨ/ＰＤＳＣＨの開始との間に挿入されることもある。ＤＭ-ＲＳ  ＲＥマッピングは、レガシー方法に従い、又は図１８で説明される方法に従うことがある。ＣＯＳは、ＰＳＳ及びＳＳＳを含めないこともあり(例えば、これらが異なるサブフレームで送信される場合)、この場合、１６０３ａ，１６０３ｂ，１６０３ｃ，１６０４ａ，１６０４ｂ，１６０４ｃ，１６０４ｄとして示す信号は、存在しなくなる。予約信号は、ＣＣＡがＣＯＳに対する送信タイミング以前に成功的である場合、ＣＣＡスロットとＣＯＳとの間で送信されることに留意しなければならない。本発明の原理を外れない範囲内の他の可能なＣＯＳ設計は、図１６Ｅ(ＣＯＳがＰＳＳ及びＳＳＳで構成)及び図１６Ｆを含む。
【００９６】
図１７Ａ及び図１７Ｂは、本発明による第４の方法のＣＯＳの例を示す。第４の方法では、本明細書で説明された第１及び第２の方法に対するＣＯＳの固定長領域の送信に対する一条件がさらに指定され得る。具体的に、送信前の最後のＣＣＡスロットがＬＡＡセルによってアイドル状態であると決定される場合、及び特定条件が満たされる場合には、ＣＯＳの可変長領域及び固定長領域がすべてＬＡＡセルにより送信される。そうでないと、送信前の最後のＣＣＡスロットがＬＡＡセルによってアイドル状態であると決定される場合及び条件が満たされない場合、ＣＯＳの可変長領域のみが主にチャンネル占有目的のために送信される。最後のアイドルＣＣＡスロットが次のサブフレームの開始直前である場合、可変長領域の持続期間はゼロミリ秒であることに留意しなければならない。この条件の一例では、ＬＡＡセルによる最後の送信の終了以後の時間となり得る(Ｐ-ＯＦＦで表示される)。
【００９７】
図１７Ａ及び図１７Ｂを参照すると、Ｐ-ＯＦＦ≧ｘｍｓ(１７４０ａ)である場合、この条件を満たし、ＣＯＳ  １７６０ａの固定長領域１７６２ａ及び可変長領域１７６１ａのＰＳＳ及びＳＳＳのような物理信号らが送信になる。そうでない場合には、この条件が満たされず(１７４０ｂ)、ＣＯＳの固定長領域のＰＳＳ及びＳＳＳのような物理信号が送信されないが、可変長領域１７６１ｂが送信される。図１７Ａ及び図１７Ｂは、要素１７２０ａ，１７２０ｂ，１７２１ａ，１７２１ｂ，１７１０ａ，１７１０ｂ，１７３０ａ，１７３０ｂ，１７５０ａ，１７５０ｂ，１７６０ｂ，１７６１ｂ、及び１７６２ｂも示している。
【００９８】
第５の方法では、第１の方法、第２の方法、第３の方法、又は第４の方法によるＣＯＳ送信は、予め決定されるか、あるいは設定可能なシステムフレーム又はフレームのみで発生できる。例えば、第１のフレーム構造タイプによるＰＳＳ、ＳＳＳ、ＣＲＳ、ＣＳＩ-ＲＳマッピングである場合、ＣＯＳの可変長領域がサブフレーム９にのみ存在でき、あるいはサブフレーム４及びサブフレーム９にのみ存在できる(ＬＢＴ(Listen-Before-Talk  protocol)が実行されると仮定する場合)。したがって、ＣＯＳの固定長領域がサブフレーム０にのみ存在でき、あるいはサブフレーム５及びサブフレーム９のみに存在できる。第２のフレーム構造タイプによるＰＳＳ、ＳＳＳ、ＣＲＳ、ＣＳＩ-ＲＳマッピングである場合には、ＣＯＳの可変長領域がサブフレーム０にのみ存在し、あるいはサブフレーム５及びサブフレーム０にのみ存在することができる(ＬＢＴ又はチャンネルアクセスプロトコルが実行されると仮定する場合)。それによって、ＣＯＳの固定長領域がサブフレーム１にのみ存在したり、あるいはサブフレーム６及びサブフレーム１にのみ存在したりする。他の条件がシステムフレームに与えられ、ここで、ＣＯＳは、例えばすべての偶数システムフレーム番号で送信され得る。
【００９９】
本明細書で説明するすべての方法において、ＣＲＳ、ＰＳＳ、ＳＳＳ、又はＣＳＩ-ＲＳのないＣＯＳのリソース要素である場合、ネットワークは、特定規定要件を満たすためにこれら位置で信号を送信できる。また、物理チャンネルは、このようなリソース要素にマッピングされ、これが、ブロードキャスト又はユニキャストメッセージを含む制御メッセージ又はデータを搬送できる。
【０１００】
サブフレームにおいて、ＣＯＳが第１のスロットで送信される場合、ＰＤＣＣＨ/ＥＰＤＣＣＨ/ＰＤＳＣＨ(例えば、ユニキャスト用)がＣＯＳサブフレームで送信されないと仮定する場合、ＥＰＤＣＣＨ/ＰＤＳＣＨは、サブフレームの第２のスロットで送信される。この場合、１スロットＥＰＤＣＣＨ又はＰＤＳＣＨ送信方法を定義する必要がある。特に、１スロットＥＰＤＣＣＨ又はＰＤＳＣＨに対するＤＭ-ＲＳリソース要素マッピングが定義される必要がある。
【０１０１】
図１８は、本発明による１スロットＰＤＳＣＨ/ＥＰＤＳＣＨに対する例示的なＤＭＲＳリソース要素マッピングを示す。また、ＤＭ-ＲＳリソース要素マッピングの第５の方法は、ＥＰＤＣＣＨ又はＰＤＳＣＨが(スロットの残りはＣＯＳにより占有される)スロットの一部及び以後のスロット全体で送信される場合に適用できる。図１８を参照すると、１スロットＥＰＤＣＣＨ/ＰＤＳＣＨ１８０３に対する例示的なＤＭＲＳリソース要素マッピングが示される。図１８は、要素１８０１を含む。１スロットＥＰＤＣＣＨ/ＰＤＳＣＨ１８０３は、ＤＬサブフレームの第２のスロットでＣＯＳ１８０２以後に送信される。レガシーＬＴＥの場合、第１のＤＭ-ＲＳは、第１のスロットの最後の２個のＯＦＤＭシンボルにマッピングされ、第２のＤＭ-ＲＳは、ＤＬサブフレームの第２のスロットの最後の２個のＯＦＤＭシンボルにマッピングされる。しかしながら、１スロットＥＰＤＣＣＨ/ＰＤＳＣＨの場合には、第１のＤＭ-ＲＳは、第２のスロット上の最初の２個のＯＦＤＭシンボル１８０４にマッピングされ、第２のＤＭ-ＲＳが、継続して第２のスロットの最後の２個のＯＦＤＭシンボル１８０５にマッピングされる。ＥＰＤＣＣＨ/ＰＤＳＣＨは、リソース要素１８０６にマッピングされる。ＥＰＤＣＣＨ又はＰＤＳＣＨ又は他のＤＭ-ＲＳベース物理チャンネルがＣＯＳサブフレームにマッピングされ、このＣＯＳが従来のＤＭ-ＲＳと衝突するＰＳＳ及びＳＳＳを含む場合、[９]で提案されるようなＰＳＳ及びＳＳＳとの衝突を避けるＤＭ-ＲＳ設計が適用され得る。
【０１０２】
図１９Ａは、本発明による１スロットＰＤＳＣＨ/ＥＰＤＣＣＨ１９０３ａに対する他の例示的なＤＭＲＳリソース要素マッピングを示す。図１９Ａに示すように、ＣＯＳは、ＣＣＡ１９０１ａ以後のサブフレームｎの第１のスロット１９０２ａに位置し、可変長領域(＜１スロット)のみで構成される。ＤＭＲＳ  ＲＥは、サブフレームの第２のスロットの最初の２個のＯＦＤＭシンボル１９０４ａ及び最後の２個のＯＦＤＭシンボル１９０５ａに位置することができる。制御又はデータ情報は、サブフレームの第２のスロットの他のＲＥ１９０６ａにマッピングされ得る。これは、ＣＯＳオーバーヘッドが１スロットＰＤＳＣＨ/ＥＰＤＣＣＨで最小化する一例である。図１９Ｂは、本発明によるノーマルＰＤＳＣＨ/ＥＰＤＣＣＨ１９０３ｂに対する例示的なＤＭＲＳリソース要素マッピングを示す。図１９Ｂに示すように、可変長領域１９０２ｂのＣＯＳがＣＣＡ１９０１ｂ以後のサブフレーム(サブフレームｎ-１）の第２のスロットに位置する場合、ＰＤＳＣＨ/ＥＰＤＣＣＨは、サブフレームｎ１９０３ｂで１スロットより多いことがある[１]。ＤＭＲＳ  ＲＥは、サブフレームの第１のスロットの最後の２個のＯＦＤＭシンボル１９０４ｂ及びサブフレームの第２のスロットの最後の２個のＯＦＤＭシンボル１９０５ｂに位置できる。この場合、ＰＤＣＣＨは、サブフレームｎでも送信できる。一つの含意(implication)は、ＰＤＣＣＨの存在(したがって、ＵＥがＰＤＣＣＨをモニタリング/受信する必要性)がＣＯＳの時間位置に基づくことである。例えば、ＣＯＳがサブフレームｎの第１のスロットに存在する場合、ＰＤＣＣＨは、サブフレームｎで送信されず、その他にＣＯＳがサブフレームｎの第２のスロットに存在する場合には、ＰＤＣＣＨは、サブフレームｎ＋１で送信される。さらに、ＵＥによりモニタリング又は受信される物理的制御チャンネルのタイプも、ＣＯＳの時間位置に基づくことができる。例えば、ＣＯＳがサブフレームｎの第１のスロットに存在する場合、ＵＥは、サブフレームｎでＥＰＤＣＣＨをモニタリングする(そして、サブフレームｎではＰＤＣＣＨをモニタリングしない)。一方、ＣＯＳがサブフレームｎの第２のスロットに存在する場合、ＵＥは、サブフレームｎ＋１でＰＤＣＣＨをモニタリングする(そして、サブフレームｎ＋１ではＥＰＤＣＣＨをモニタリングしない)。その上に、ＰＳＳ/ＳＳＳがＥＰＤＣＣＨ/ＰＤＳＣＨと同一のスロット又はサブフレームで送信される場合、ＰＳＳ/ＳＳＳの位置は、ＤＭ-ＲＳとの衝突を避けるように変更され得る(例えば、ＳＳＳが第２のスロットの第３のＯＦＤＭシンボルに存在し、ＰＳＳがＥＰＤＣＣＨ/ＰＤＳＣＨサブフレームの第２のスロットの第４のＯＦＤＭシンボルに存在できる)。１スロットＥＰＤＣＣＨ/ＰＤＳＣＨに対するＤＭ-ＲＳとＣＲＳ(例えば、ポート０）の衝突は、(第１のＣＲＳ  ＲＥが、同一のＯＦＤＭシンボルでＣＲＳ  ＲＥの間に６個のサブキャリア間隔を有する、最小サブキャリアインデックスにマッピングされる)ゼロ周波数シフトのような(ＰＣＩに依存しない)固定周波数シフトで回避され得る。
【０１０３】
第２の実施形態は、ＬＡＡのための向上したディスカバリ信号に関するものである。ＬＡＡのためのディスカバリ信号は、向上したセル検出をサポートするように改善できる。具体的に、セル検出誤警報(false  alarm)又は誤検出率(misdetection  rate）は、送信周期内でのＰＳＳ及びＳＳＳ反復により減少することができる。ＵＥは、セル検出のための反復ＰＳＳ及びＳＳＳのエネルギー蓄積を実行できる。この向上したディスカバリ信号設計は、ディスカバリ信号送信[８](例えば、向上したディスカバリ信号がディスカバリ信号測定タイミング設定(Discovery  signal  Measurement  Timing  Configuration：ＤＭＴＣ)に対応する時間ウィンドウ内のＣＣＡ以後に送信される[８]の実施形態２)に適用できる。
【０１０４】
ＰＳＳ及びＳＳＳの反復は、ＬＡＡセルにより同一のチャンネルアクセスインスタンス内で実行できる。これは、セル検出待ち時間(latency)及びＵＥセル検出アルゴリズム複雑性が減少させ得る。ＣＣＡが送信以前に必要なため、複数のチャンネルアクセスインスタンスにわたるＰＳＳ及びＳＳＳの反復は、反復ＰＳＳ/ＳＳＳの時間位置に対する仮定の数がチャンネルアクセスインスタンスの数と共に指数関数的に(exponentially)増加するため、ＵＥ  ＰＳＳ/ＳＳＳエネルギー蓄積アルゴリズムを複雑にすることができる。
【０１０５】
第１のアプローチでは、ＰＳＳ及びＳＳＳは、ＣＲＳ送信に使用されないＯＦＤＭシンボルで反復される。図２０Ａは、本発明による例示的に向上したディスカバリ信号を示す。ディスカバリ信号オケージョンが１ｍｓであると仮定する。図２０Ａに示すように、送信以前のアイドルＣＣＡ２００１ａはサブフレームｎ-１の第２のスロットで検出され、予約信号２００６ａはサブフレームｎ-１の残り持続期間の間に送信され、ＣＲＳポート０  ２００５ａはレガシー方法によってサブフレームｎにマッピングされ(各スロットの第１及び第５のＯＦＤＭシンボル)、ＰＳＳ２００３ａ及びＳＳＳ２００４ａは、サブフレームｎ内でＣＲＳポート０送信に使用されないＯＦＤＭシンボルに反復的にマッピングされる。特に、ＰＳＳは、第２、第４、第７、第１０、第１３のＯＦＤＭシンボルにマッピングされる一方で、ＳＳＳは、第３、第６、第９、第１１、第１４のＯＦＤＭシンボルにマッピングされる。ＰＳＳ、ＳＳＳ、又はＣＲＳにマッピングされないリソース要素は、予約信号で送信され、あるいはこれらは、干渉を減少させるために空いているリソース要素であり得る。
【０１０６】
図２０Ｂは、本発明による向上したディスカバリ信号の他の例を示す。図２０Ｂに示すように、送信以前のアイドルＣＣＡは、サブフレームｎ-１の第１のスロットで検出される。予約信号オーバーヘッドを減少させるために、向上したディスカバリ信号は、サブフレームｎ-１の第２のスロット及びサブフレームｎの第１のスロット２００２ｂにわたっている。ＣＲＳポート０  ２００５ｂは、サブフレームｎ-１の第２のスロット及びサブフレームｎの第１のスロット(各スロットの第１、第５のＯＦＤＭシンボル)にマッピングされ、ＰＳＳ２００３ｂ及びＳＳＳ２００４ｂは、ＣＲＳポート０の送信に使用されないＯＦＤＭシンボルで反復してマッピングされる。ＰＳＳ、ＳＳＳ、又はＣＲＳにマッピングされないリソース要素は、予約信号で送信され、あるいはこれらは、干渉を低減させるように空いているリソース要素であることによって干渉を低減させることもある。図２０Ｃは、本発明による向上したディスカバリ信号の他の例を示す。第１のアプローチに対する代案として、図２０Ｃに示すように、ＰＳＳ、ＳＳＳ、及びＣＲＳの送信が一つのスロットに減少する場合、向上したディスカバリ信号のオーバーヘッドが減少できる。
【０１０７】
図２０Ｄは、本発明による向上したディスカバリ信号のもう一つの例を示す。図２０Ｄに示すように、向上したディスカバリ信号は、一つのスロットを有する向上したディスカバリ信号である。第１のアプローチの他の代案として、図２０Ｄに示すように、ＰＳＳ及びＳＳＳは、アイドルＣＣＡ以後に可変長領域で送信される。予約信号は、次のＯＦＤＭシンボル境界まで、ＯＦＤＭシンボルより短い持続期間でアイドルＣＣＡ以後に継続して送信することができる。
【０１０８】
図２０Ｅは、本発明による向上したディスカバリ信号の一例を示す。図２０Ｅに示すように、第２のアプローチでは、ＣＲＳは、向上したディスカバリ信号に含まれず、ＰＳＳ、ＳＳＳ、及びこれらの反復のみが向上したディスカバリ信号として送信される。図２０Ｆは、本発明による向上したディスカバリ信号の一例を示す。具体的に、図２０Ｆは、１スロットＰＳＳ/ＳＳＳ反復の減少したオーバーヘッドを示す。ＰＳＳ及びＳＳＳは、システム帯域幅の中心６個の物理的リソースブロックで送信される。また、ＣＲＳが(例えば、[８]の実施形態２で説明したようなデータ受信以前にＵＥによる微細同期化を容易にするために)向上したディスカバリ信号と同一のサブフレームで送信される場合、ＣＲＳは、向上したディスカバリ信号により占有されるリソース要素でパンクチャリング(puncturing)できる。他の代案では、反復ＰＳＳ及び反復ＳＳＳは、ＣＲＳでパンクチャリングされる。
【０１０９】
第１のアプローチの他の代案において、ＤＲＳサブフレームの最後の２個のＯＦＤＭシンボルはヌル(null)であり、ＣＳＩ-ＲＳ(ＣＳＩフィードバックのためにサポートされるＣＳＩ-ＲＳポートの数に従ってポート１５、又はポート１５乃至２２)を搬送するために使用され得る。これは、図２０Ｇに示される。図２０Ｇは、要素２００１ｇ、２００２ｇ、２００３ｇ、２００４ｇ、及び２００５ｇを含む。
【０１１０】
第１のアプローチの他の代案では、反復ＰＳＳは時間に連続してマッピングされ、反復ＳＳＳは、時間に連続してマッピングされる。また、連続するＰＳＳは、連続するＳＳＳ以前にまずマッピングされ得る。これは、効率的な方式でＵＥがまずＰＳＳを検出した後に、ＳＳＳを検出可能にする。これに対して図２０Ｈに示し、ここで、ＤＲＳサブフレームに４個のＰＳＳ及び４個のＳＳＳが存在する。図２０Ｈは、要素２００１ｈ，２００２ｈ，２００３ｈ，２００４ｈ、及び２００５ｈを含む。
【０１１１】
第１のアプローチの他の代案では、時間ドメインでＰＳＳとＳＳＳを反復することに加えて、ＰＳＳ及びＳＳＳは、セル検出信頼度を向上させるために周波数ドメインでも反復することができる。図２０Ｉにこれを示し、ここで、ＰＳＳ及びＳＳＳは(例えば、周波数ドメインで３個のＰＲＢ及びＤＲＳサブフレームでの総１２セットのＰＳＳ及びＳＳＳのために時間ドメインで４回)反復される。図２０Ｉは、要素２００１ｉ，２００２ｉ，２００３ｉ，２００４ｉ、及び２００５iを含む。
【０１１２】
第３のアプローチにおいて、ＣＲＳ、ＰＳＳ、ＳＳＳは、条件が満たされるまで反復される。例えば、このような条件は、送信されるＰＳＳ及びＳＳＳの数が少なくても所定の数(例えば、各同期化信号タイプに対して２)であるか、あるいはＣＲＳ  ＯＦＤＭシンボルの数が少なくても他の所定の数(例えば、２又は４シンボル)であることを含むことができる。この送信数の条件は、ＵＥに知られており、ネットワークにより固定又は設定され得る。ここで議論されるアプローチ及び実施形態において、ＣＳＩ-ＲＳが設定される場合、ＣＳＩ-ＲＳを有するＯＦＤＭシンボルがＰＳＳ及びＳＳＳを含まないことを理解しなければならない(例えば、第２のスロットの第３及び第４のシンボル、又は向上したディスカバリ信号サブフレームの第２のスロットの第６及び第７のシンボル)。他の代案では、ＰＳＳ及びＳＳＳは、ＣＳＩ-ＲＳでパンクチャリングされ得る。
【０１１３】
いくつかのケースにおいて、クリアチャンネル評価(Clear  Channel  Assessment：ＣＣＡ)スロットの長さ及びＣＣＡスロットのタイミングに対する定義が必要である。ＣＣＡスロットの周波数範囲は、２０ＭＨｚであり得る。特定のタイミング及び持続期間を有するＣＣＡスロットが占められる場合、ＬＡＡデバイスは、チャンネルが占有されると仮定し、そうでない場合には、チャンネルがアイドル状態であると仮定する。特定チャンネルアクセスプロトコルによれば、ＬＡＡデバイスは、送信以前に、アイドル状態であるＣＣＡスロットの数を決定する必要がある。例えば、ＬＡＡデバイスにより、(１乃至３２のような)最小値から最大値までの範囲でランダムな整数を定められ、この定められた値は、バックオフカウンタの初期値として設定される。ＣＣＡスロットがアイドル状態と決定される場合、バックオフカウンタは減少する。そうでない場合、バックオフカウンタは減少しない。バックオフカウンタが０に達する場合、ＬＡＡデバイスが送信できる。
【０１１４】
第１のアプローチにおいて、ＣＣＡスロットは、一つのＬＡＡ  ＯＦＤＭシンボル長(又はＳＣ-ＦＤＭがアップリンクのために採用される場合、一つのＬＡＡ  ＳＣ-ＦＤＭシンボル長）として定義される。図２１Ａ及び図２１Ｂは、本発明による第１のアプローチのＣＣＡスロット定義の例を示す。ノーマルサイクリックプレフィックスの場合、図２１Ａに示すように、ＣＣＡスロットは、ＬＡＡスロット(０.５ｍｓ）の第１のＯＦＤＭシンボル及びＬＡＡスロットの第２乃至第７のＯＦＤＭシンボルに対して各々７１.９μｓ及び７１.３μｓである。図２１Ｂに示すように、拡張したサイクリックプレフィックスの場合、ＣＣＡスロットは、１５ｋＨｚ及び７.５ｋＨｚのサブキャリア間隔に対して各々８３.３μｓ及び１６６.７μｓである。ＣＣＡスロットは、ＬＡＡ  ＯＦＤＭシンボルと正確に整列する。ＣＣＡスロットは、時間で連続的であり得る。このアプローチの利点は、ＬＡＡ  ＯＦＤＭヌメロロジー(numerology)を使用するＣＣＡスロット持続期間及びタイミングの整列である。ＣＣＡスロットは、時間で連続される。このアプローチでは、ＣＣＡプロトコルが満たされる以後に(例えば、バックオフカウンタが０に到達した場合)、ＬＡＡデバイスは、一部ＬＡＡスロット又はサブフレームに対応する信号を送信する。
【０１１５】
図２２は、本発明によるＣＣＡスロット定義の例を示す。第２のアプローチでは、ＣＣＡスロットは、一つのＬＡＡスロット(０.５ｍｓ)に定義される。ＣＣＡスロットは、ＬＡＡスロットと正確に整列する。ＣＣＡスロットは、時間連続的であり得る。このアプローチの利点は、ＬＡＡ  ＯＦＤＭヌメロロジーを使用するＣＣＡスロット持続期間及びタイミングの整列である。第３のアプローチでは、ＣＣＡスロットが一つのＬＡＡサブフレーム(１ｍｓ)に定義される。ＣＣＡスロットは、ＬＡＡサブフレームと正確に整列する。ＣＣＡスロットは、時間で連続される。このアプローチの利点は、ＬＡＡ  ＯＦＤＭヌメロロジーを使用するＣＣＡスロット持続期間及びタイミングの整列である。
【０１１６】
図２３は、本発明によるＣＣＡスロット定義の例を示す。第４のアプローチにおいて、ＣＣＡスロットは、２０μｓのように、サブシンボル持続期間に定義される。図２３に示すように、ＣＣＡスロットは、各ＯＦＤＭシンボル境界直前に位置する。第４のアプローチの代案では、ＣＣＡスロットは、各ＬＡＡスロット直前に位置する。もう一つの代案では、ＣＣＡスロットは、各ＬＡＡサブフレーム直前に位置する。このアプローチにおいて、ＣＣＡスロットは、時間で連続しない。第５のアプローチでは、ＣＣＡスロットは、サブシンボル持続期間、例えば、２０μｓに定義される。図２３に示すように、ＣＣＡスロットは、各ＯＦＤＭシンボル境界直前に位置する。第４のアプローチの代案では、ＣＣＡスロットは、各ＬＡＡスロット直後に位置する。もう一つの代案で、ＣＣＡスロットは、各ＬＡＡサブフレーム直後に位置する。このアプローチで、ＣＣＡスロットは、時間で連続的でない。
【０１１７】
図２４は、本発明によるＣＣＡスロット定義の他の例を示す。第６のアプローチでは、図２４に示すように、ＣＣＡスロットは、サブシンボル持続期間、例えば、２０μｓに定義される。ＣＣＡスロットの開始を決定することは、ＬＡＡデバイスが担当できる。一つの代案において、ＣＣＡスロットが固定した持続期間を有する。他の代案では、ＣＣＡスロットは、バックオフカウンタ値１に対応する最後のＣＣＡスロット(例えば、送信が許容される前にアイドル状態であると決定される最後のＣＣＡスロット)に対して可能になることを除き、固定した持続期間を有し、ここでＣＣＡスロット持続期間は、次のＯＦＤＭシンボル境界まで拡張される。このアプローチの利点は、最後のアイドルＣＣＡスロット以後の一部ＯＦＤＭシンボル送信が避けられることである。第６のアプローチの原理は、一つのＬＡＡ  ＯＦＤＭシンボルのＣＣＡスロット長にも適用し、最後のアイドルＣＣＡスロットに対するスロット又はサブフレーム境界まで拡張することができる。同様に、第６のアプローチの原理は、一つのＬＡＡスロットのＣＣＡスロット長に適用し、最後のアイドルＣＣＡスロットに対するサブフレーム境界まで拡張することもできる。
【０１１８】
図２５は、本発明によるＣＣＡスロット定義の他の例を示す。第７のアプローチでは、図２５に示すように、チャンネル/キャリアが占められることに決定された以後に存在するＣＣＡスロット(ＣＣＡスロットＡ）は、チャンネル/キャリアがアイドル状態であると決定された以後に存在するＣＣＡスロット(ＣＣＡスロットＢ)より長い持続期間を有する。例えば、ＣＣＡスロットＡは、３４μs又は４０μｓ又は４３μｓであり、ＣＣＡスロットＢは２０μｓであり得る。より長いＣＣＡスロットＡの利点は、ＷｉＦｉ(例えば、ＩＥＥＥ８０２．１１ｎ、ＩＥＥＥ８０２．１１ａｃ)とのより良い共同チャンネル共存を可能にし、それによってＡＣＫ/ＮＡＣＫがデータ受信以後に１６μｓで送信される。上述したアプローチのうち、２つ以上が組み合わせられることを理解しなければならない。例えば、第１のアプローチは、第２、第３、第４、第５、第６、又は第７のアプローチのうち少なくとも一つと組み合わせられる。すなわち、第１、第２、第３、第４、第５、第６、又は第７のアプローチのうち任意の組み合わせが共に使用できる。
【０１１９】
いくつかのケースでは、ＬＡＡデバイスに対するＬＢＴ(Listen-Before-Talk)又はチャンネルアクセスプロトコルの定義が必要である。デバイスは、チャンネルが第１のＣＣＡスロットに対して占有されないことを発見した直後に送信できる[７]。すべてのＬＡＡデバイスが同時にシステムに入ると仮定すれば、基準[７]に示すようなプロトコルは、初期ＣＣＡスロットを有するＬＡＡデバイスを好むことができる。チャンネルアクセス優先順位をランダム化するために、拡張したＣＣＡ手順は、チャンネルにアクセスする第１の試みに適用され得る。すなわち、拡張したＣＣＡ手順は、ＬＡＡデバイスがチャンネルにアクセスする必要があるたびに適用される。
【０１２０】
一実施形態において、負荷ベースＬＡＡ端末に対するＬＢＴプロトコルの一例が提供される。オペレーティングチャンネルでの送信又は送信のバースト以前に、端末は、拡張したＣＣＡチェックを実行するようになり、ランダム係数(factor)ＮにＣＣＡ観測時間を掛ける持続期間でオペレーティングチャンネルが観測される。ＣＣＡ観測時間の持続期間は、２０μｓより小さくてはならない。Ｎは、送信開始以前に観測される必要がある総アイドル周期となるクリアアイドルスロットの数を定義する。Ｎ値は、拡張したＣＣＡが要求されるたびに範囲ｑ０..ｑ１でランダムに選択され、この値はカウンタに格納される。ｑ０は、例えば０又は１、あるいは１..４のような範囲の固定した整数値であり得る。ｑ１は、例えば、範囲４..３２、又は整数集合[１５，３１，６３]のうち整数値であり得る(他の値、例えば、＞３２が排除されない)。カウンタは、ＣＣＡスロットが“非占有(unoccupied)”されると考慮されるたびに減少する。チャンネルのエネルギーレベルが本願で論議されるような電力レベルに対応するしきい値を超える場合には、そのオペレーティングチャンネルが占められることが考慮される。カウンタが０に至る場合、端末は送信できる。負荷ベースＬＡＡ端末に対するＬＢＴプロトコルは、(固定又は可変競合ウィンドウサイズの)ランダムバックオフを有するＬＢＴプロトコルとも称され、このような２つの用語は、本願で相互交換的に使用される。負荷ベースのＬＢＴプロトコルの他の例は、[１０]で説明されるようなカテゴリ３ＬＢＴ及びカテゴリ４ＬＢＴの手順を含む。
【０１２１】
一実施形態において、ｑ０又はｑ１の値はｑ１＝２５、又はｑ１＝３２、又は３２より大きい整数、例えば６４のように、ＬＡＡデバイスに対して固定又は設定され得る。ｑ０又はｑ１は、所定のプロトコルに従って時間が経つに従って変更又は調整され、例えば、ｑ０又はｑ１は、ＣＣＡチェック結果に従って又はＵＥによるＡＣＫ/ＮＡＣＫフィードバックに従って(最大値内で)線形的に又は指数関数的に増加する(これは、ｑ０が固定され、ｑ１が時間によって調整される場合を含む)。
【０１２２】
ｑ１値は、意図的な送信の目的又はタイプに基づくことができる。例えば、意図的送信が(例えば、[８]で提案されたＤＭＴＣ内で)セル検出及び/又は概略的な同期化に使用されるディスカバリ信号又は物理信号である場合、意図する送信がユニキャストデータであるケース(例えば、ユニキャストデータの場合ｑ１＝３２、ディスカバリ信号の場合ｑ１＝５)に比べてｑ１がより小さい値に設定され得る。これは、ディスカバリ信号がユニキャストメッセージより高い優先順位を有することを意味する。他の例では、意図的送信がセル検出又は粗い(coarse)同期化に使用されるディスカバリ信号又は物理信号である場合には、ｑ０又はｑ１が固定できる。一方、ｑ０又はｑ１は、(例えば、ＵＥによるＡＣＫ/ＮＡＣＫフィードバックによって又はＣＣＡチェック結果に従って)例えば、ユニキャスト制御又はデータ送信のための線形的/指数関数的バックオフで適応できる。他の実施形態において、意図的送信は、セル検出又は粗い同期化に使用されるディスカバリ信号又は物理信号である場合には、ｑ０又はｑ１が(最大値内で)線形的に増加できる。これに対して、ｑ０又はｑ１は、ユニキャスト制御又はデータ送信のために(指数関数的にバックオフ)(最大値内で)指数関数的に増加できる。
【０１２３】
他の実施形態において、ｑ０又はｑ１あるいは両方ともが([８]で提案されるように)ＤＭＴＣ持続期間に基づく。例えば、ｑ１は、ＤＭＴＣ持続期間の増加に比例して増加し、例えば、ｑ１＝α×ＤＭＴＣ持続期間であり、ここでαは予め定義され、あるいは設定可能な値である。他の実施形態では、ブロードキャストメッセージに対するｑ１値は、ユニキャストメッセージに対するｑ１値より小さいことがある。意図する送信が複数のメッセージ又は送信タイプを含む場合に、ｑ１値は、より高い優先順位(例えば、より小さいｑ１値)を有するメッセージ又は送信に基づく。送信タイプに基づいたＬＢＴプロトコル設計に対する詳細は本明細書で論議される。ＣＣＡ観測時間又はスロットに対する定義も本明細書で論議される。
【０１２４】
端末がオペレーティングチャンネルを使用する総時間は、最大チャンネル占有時間が(１３/３２)×ｑ２ｍｓより短いことがあり、以後にデバイスが本明細書で論議されるような拡張ＣＣＡを実行するようになる。ｑ１が３２以下である場合、ｑ２は、ｑ１と同一であり得る。ｑ１が３２より大きい場合、ｑ２が３２であり得る(ｑ２＝ｍｉｎ(３２，ｑ１)のように、３２より小さい他の値も可能)。実際の最大チャンネル占有時間は、最も近いｍｓに下がることができる(例えば、１０.２ｍｓは１０ｍｓに下がる)。実際の最大チャンネル占有時間は、１０ｍｓまで制限され、例えば最大チャンネル占有時間＝ｍａｘ(１０ｍｓ，ｑ２)となり得る。
【０１２５】
また、最大チャンネル占有時間は、意図した送信の目的又はタイプに基づく。例えば、意図された送信が(例えば、[８]で提案するようなＤＭＴＣ内で)セル検出又は粗い同期化に使用されるディスカバリ信号又は物理信号である場合には、意図された送信がユニキャストデータであるケースより、ｑ２又は最大チャンネル占有時間がより小さい値であり得る。例えば、最大チャンネル占有時間は、ユニキャストデータの場合に１０ｍｓであり、ディスカバリ信号の場合には２ｍｓであり得る。他の実施形態では、最大チャンネル占有時間は、ユニキャストデータの場合には４ｍｓであり、ディスカバリ信号の場合には１２ＯＦＤＭシンボルであり得る。
【０１２６】
ＵＬがＬＡＡに対してサポート又は設定されない場合に適用されない一実施形態では、この端末に対して意図されたパケットの正しい受信の際に、端末は、ＣＣＡをスキップし、直ちに管理及び制御フレーム(例えば、ＡＣＫ及びブロックＡＣＫフレーム）の送信に進む。端末による連続する送信シーケンスは、新たなＣＣＡを実行しない場合、本明細書で定義される最大チャンネル占有時間を超えないことがある。
【０１２７】
ＣＣＡに対するエネルギー検出しきい値は、送信器の最大送信電力(ＰＨ)に比例する。したがって、２３ｄＢｍ  ＥＩＲＰ送信器の場合、ＣＣＡしきい値レベル(ＴＬ）は、受信器に入力で-７３ｄＢｍ/ＭＨｚ以下である(０ｄＢｉ受信アンテナを仮定する場合)。いくつかの送信電力レベルの場合、ＣＣＡしきい値レベルＴＬは、ＴＬ＝-７３ｄＢｍ/ＭＨｚ＋２３-ＰＨ公式を使用して計算される(０ｄＢｉ受信アンテナ及びｄＢｍ  ＥＩＲＰで指定されたＰＨを仮定する場合)。
【０１２８】
拡張したＣＣＡ手順は、拡張したＣＣＡ手順のために考慮されたＣＣＡスロットとしてフレーム以前に各ＣＣＡスロットを処理することで、“フレームベース”ＬＡＡ端末に適用できる。拡張したＣＣＡに対するパラメータは、無線チャンネルの混雑レベルに基づいて適応又は設定され、これは、(例えば、最も最近の拡張したＣＣＡ手順又は過去のいくつかの拡張したＣＣＡ手順から)占有されたＣＣＡスロットの数又は占有されたＣＣＡスロットの百分率により定量化できる。例えば、最も最近の拡張したＣＣＡ手順からの占有されたＣＣＡスロットの数又は百分率が第１のしきい値より大きい場合には、バックオフの量を制御するｑ１がＬＡＡデバイスによって増加できる。同様に、占有されたＣＣＡスロットの数又は百分率が第２のしきい値より低い場合には、より小さいｑ１値が設定され、あるいは現在ｑ１値がＬＡＡデバイスによって減少できる。第１のしきい値は、第２のしきい値と同一であるか、あるいは異なる(例えば、低い)ことができる。
【０１２９】
ＬＡＡデバイスが無線チャンネルを占有する干渉タイプを決定する場合には、干渉ソースのタイプ、例えば干渉ソースのＲＡＴタイプに基づき、拡張したＣＣＡに対するパラメータが適応又は設定され得る。一例として、値ｑ１は(例えば、最も最近で拡張したＣＣＡ手順又は過去のいくつかの拡張したＣＣＡ手順から)非ＬＡＡデバイスにより占有されるＣＣＡスロットの数又は百分率に基づいて設定され、あるいは適応され得る。例えば、最も最近の拡張したＣＣＡ手順からの非ＬＡＡデバイスによる占有されたＣＣＡスロットの数又は百分率が第１のしきい値より大きい場合、より大きいｑ１値が設定されるか、あるいは現在ｑ１が減少する。同様に、非ＬＡＡデバイスによる占有されたＣＣＡスロットの数又は百分率が第２のしきい値より低い場合、より小さいｑ１値が設定されるか、あるいは現在ｑ１がＬＡＡデバイスにより減少することができる。第１のしきい値は、第２のしきい値と同一であり、あるいは異なる(例えば、低い)ことができる。
【０１３０】
他の実施形態において、値ｑ１が異なるオペレータのＬＡＡデバイスの占有されるＣＣＡスロットの数又は百分率に基づいて設定又は適応できる。例えば、最も最近の拡張したＣＣＡ手順からの異なるオペレータのＬＡＡデバイスによる占有されるＣＣＡスロットの数又は百分率が第１のしきい値より大きい場合、より大きいｑ１値が設定され、現在ｑ１が増加され得る。同様に、異なるオペレータのＬＡＡデバイスによる占有されたＣＣＡスロットの数又は百分率が第２のしきい値より小さい場合には、より小さいｑ１値が設定され、あるいは現在ｑ１がＬＡＡデバイスにより減少することができる。
【０１３１】
本明細書で機論されるように、ＬＢＴプロトコルは、物理信号/チャンネルタイプのような送信タイプ又は送信機能に従って異なることができる。その理由の一つは、特定送信タイプのチャンネルアクセスに対するより高い優先順位を可能にし、それによってアンライセンススペクトルで不連続送信を有する制御/データ受信のためにＵＥには粗い同期化を獲得することが重要であるので、粗い同期化に使用されるディスカバリ信号に対してチャンネルアクセスにおいてより高い優先順位が与えられる。もう一つの理由は、同一のサブフレームで複数のＬＡＡセルのディスカバリ信号をより容易に多重化するためである。
【０１３２】
他の実施形態において、意図された送信が(例えば、[８]で提案するようなＤＭＴＣ内で)セル検出又は粗い同期化及びＲＲＭに使用されるディスカバリ信号又は物理信号である場合、ＬＢＴプロトコルは、[７]の“フレームベース端末”に対して定義されることに従う(又は類似する)ことができる。ユニキャスト制御又はデータ送信のためのＬＢＴプロトコルは、[７]の“負荷ベース端末”に対して定義されることに従うことができる。
【０１３３】
セル検出及び/又は粗い同期化及びＲＲＭのためのディスカバリ信号に対する“フレームベース”ＬＢＴプロトコルの例示的な構成において、最大チャンネル占有時間は、１ｍｓ(又は１サブフレーム）として定義され、チャンネル占有以後のアイドル時間は、１ＯＦＤＭシンボルに定義できる。他の実施形態において、最大チャンネル占有時間は、１サブフレームマイナス１ＯＦＤＭシンボル(例えば、ノーマルＣＰに対する１３ＯＦＤＭシンボル)に定義でき、チャンネル占有以後のアイドル時間は１ＯＦＤＭシンボルに定義できる。他の実施形態において、最大チャンネル占有時間は、１サブフレームマイナス２ＯＦＤＭシンボル(例えば、ノーマルＣＰに対する１２ＯＦＤＭシンボル)に定義でき、チャンネル占有以後のアイドル時間は、２ＯＦＤＭシンボルに定義できる。もう一つの実施形態において、最大チャンネル占有時間は、１スロットに定義でき、チャンネル占有以後のアイドル時間は、１ＯＦＤＭシンボル又は１ＯＦＤＭシンボルの一部分(例えば、０.０４６ｍｓ)に定義できる。例えば、測定正確度を改善させるためのチャンネル占有時間が１ｍｓを超える他の例も可能である。セル検出、ＲＲＭ、又は粗い同期化のためのディスカバリ信号送信が制限されるリソース、例えば[８]で説明されるようなＤＭＴＣ持続期間内でのみ送信される場合、“フレームベース”ＬＢＴプロトコルは、ＤＭＴＣ持続期間内のみで動作することに注意しなければならない。“フレームベース”ＬＢＴプロトコルの一例は、単一の感知間隔に基づいたＬＢＴプロトコルであり、この２つの用語は、本明細書で相互交換的に使用される。“フレーム-ベース”ＬＢＴの他の例は、[１０]で説明されるようなカテゴリ２ＬＢＴ手順である。
【０１３４】
セル検出又は粗い同期化及びＲＲＭのためのディスカバリ信号に対する“フレームベース”ＬＢＴプロトコルを採用する利点は、これらが同一のキャリア周波数上で動作する場合にも、同一のサブフレーム又は時間位置での複数の隣接するセルからのディスカバリ信号の送信をより容易に多重化することである。これは、隣接セルが時間同期化され(例えば、オペレータの内部配置シナリオの場合)、そのセルのＣＣＡスロも同期化されると仮定する。他の利点は、“負荷ベース”ＬＢＴプロトコルに要求されるチャンネル予約信号が不要になることである。
【０１３５】
ＬＡＡセルは、同一のノードからノードから異なる送信タイプを送信する必要があるため、２つ以上のＬＢＴプロトコルが相互に作用する方法を指定する必要がある。一つのアプローチでは、ＬＢＴプロトコルが同時に動作できる。このようなアプローチに対して、第１の“負荷ベース”ＬＢＴプロトコルのバックオフメカニズムが他のＬＢＴプロトコル、例えば他の“負荷ベース”ＬＢＴプロトコル又は“フレームベース”ＬＢＴプロトコルの現在状態により影響を受ける方法を指定する必要がある。
【０１３６】
第１のＬＢＴプロトコルがチャンネルに対して競合すると仮定すると、第１の実施形態では、第１の“負荷ベース”ＬＢＴプロトコルに対するバックオフカウンタは、第２のＬＢＴプロトコルに対応する送信状態で中止し、あるいは固定することにより、第１のＬＢＴプロトコルのバックオフカウンタ値が第２のＬＢＴプロトコルの成功的完了以後に信号送信の間に減少しないようにする。一つのオプションでは、ＣＣＡが第１のＬＢＴプロトコルに対して実行される以前に、追加的なアイドル周期が、第２のＬＢＴプロトコルに対応する送信以後に挿入される。ＣＣＡスロットがアイドル状態の場合である場合、バックオフカウンタがカウントダウンを続けることができる。第２のＬＢＴプロトコルが“フレームベース”プロトコルである場合、追加アイドル周期は、第２のＬＢＴプロトコルに対する送信以後に必要なアイドル周期と同一であり得る。一実施形態において、アイドル周期は、第１のＬＢＴプロトコルに対するＣＣＡスロットとして含まれ、これは、バックオフカウンタがカウントダウンする以前にＣＣＡが許容される必要があることを示す。他の実施形態では、第２のＬＢＴプロトコルが送信を開始する場合、バックオフカウンタがリセットされる。
【０１３７】
第２の実施形態では、第１の“負荷ベース”ＬＢＴプロトコルに対するバックオフカウンタが、ＣＣＡスロットが第２のＬＢＴプロトコルに対応する送信状態でアイドル状態のように継続される。これは、第１の“負荷ベース”ＬＢＴプロトコルによる外部干渉に対するＣＣＡスロットチェックにより“アイドル”結果となることを他のノードがその送信によりバックオフされ、あるいはアイドル状態に維持されると仮定する場合、第２のＬＢＴプロトコルによる送信が表すと仮定するためである。一実施形態において、第１のＬＢＴプロトコルが第２のＬＢＴプロトコルに対応する送信周期の間に送信を開始しない場合には、第２のＬＢＴプロトコルに対応する送信以後に追加アイドル周期が挿入される。第２のＬＢＴプロトコルが“フレームベース”プロトコルである場合に、この追加アイドル周期は、第２のＬＢＴプロトコルの送信以後に必要なアイドル周期と同一であり得る。他の実施形態では、アイドル周期は、第１のＬＢＴプロトコルに対するＣＣＡスロットとして含まれ、これは、バックオフカウンタがカウントダウンする前にＣＣＡが許容する必要があることを示す。もう一つの実施形態では、第２のＬＢＴプロトコルに対応する送信周期で送信が発生する場合、第１のＬＢＴプロトコルによる送信に追加制約が加えられ、例えば、最大チャンネル占有時間が第２のＬＢＴプロトコルに対して設定又は定義されることに制限される。
【０１３８】
第３の実施形態において、第１の“負荷ベース”ＬＢＴプロトコルに対するバックオフカウンタは、第２のＬＢＴプロトコルの状態が送信状態に遷移された後に０となり、これが第１の“負荷ベース”ＬＢＴプロトコルが送信状態に遷移されることを示す。これは、第１及び第２のＬＢＴプロトコルからの送信が同一のサブフレームで多重化できることを意味する。この場合の利点は、第１のＬＢＴプロトコルがより多くの送信機会が得られるようになる。一実施形態では、第１のＬＢＴプロトコルによる送信に追加制限が与えられ、例えば、最大チャンネル占有時間は、第２のＬＢＴプロトコルに対して設定又は定義されることに制限される。
【０１３９】
第４の実施形態において、第１、第２、又は第３の実施形態は、第１のＬＢＴプロトコルに対応する送信タイプに基づいて適用される。例えば、第１のＬＢＴプロトコルがＲＲＭ又は粗い同期化をサポートする送信タイプに対応する場合には、第１のＬＢＴプロトコルが第３の実施形態に従うようになり、第１のＬＢＴプロトコルがユニキャスト制御/データ送信に対応する場合には、第１のＬＢＴプロトコルは、第１の実施形態又は第２の実施形態に従うようになる。その理由は、ＲＲＭ又は粗い同期化機能に対してチャンネルアクセス優先順位を提供できるためである。
【０１４０】
送信優先順位は、異なる送信タイプによって異なるので、送信タイプに従って送信優先順位を制御するための追加メカニズムが有用であり得る。一つのアプローチで、ＣＣＡスロット持続期間は、送信タイプに基づく。より大きいＣＣＡスロット持続期間は、より低い優先順位の送信タイプに対して定義できる。例えば、粗い同期化及びＲＲＭに使用されるディスカバリ信号にユニキャスト制御又はデータ送信より高い優先順位付けが与えられる場合、ディスカバリ信号に対するＣＣＡスロット持続期間は、ユニキャスト制御又はデータ送信に対するＣＣＡスロット持続期間(例えば、３０μｓ、３４μｓ、４０μｓ)より短いことがある(例えば、２０μｓ)。他のアプローチにおいて、チャンネルは、送信タイプに基づいて(バックオフカウンタの減少(例えば、負荷ベース)を継続し、あるいは送信決定を定めるために(例えば、フレームベース))ノーマルＣＣＡスロット持続期間(例えば、２０μｓ）を再開する以前に最後の検出された使用中ＣＣＡスロット以後の異なる持続時間の間には、送信器によってアイドル状態として感知できる。例えば、持続時間は、高い優先順位を有する送信タイプの場合に０μｓであり、持続時間は、低い優先順位を有する送信タイプの場合に２０μｓであり得る。
【０１４１】
図２６は、本発明による方法の一例を示す。ステップ２６０５において、ＬＡＡデバイスは、送信するデータを受信する。ステップ２６１０において、“Ｎ”値が１乃至ｑ１の範囲でランダムに選択されてカウンタに格納される。ステップ２６１５において、ＬＡＡデバイスは、ＣＣＡ観測時間(ＣＣＡスロット）の持続期間でオペレーティングチャンネルを観測する。ステップ２６２０において、ＬＡＡは、オペレーティングチャンネルが占有されるか否かを判定する。オペレーティングチャンネルが占有される場合、ＬＡＡデバイスは、ステップ２６１５で、ＣＣＡ観測時間(ＣＣＡスロット）の持続期間でオペレーティングチャンネルを再び観測する。オペレーティングチャンネルが占有されない場合には、ステップ２６２５で、カウンタが減少する。ステップ２６３０において、ＬＡＡは、カウンタ値が０であるか否かを判定する。カウンタ値が０でない場合、ＬＡＡは、ステップ２６１５で、ＣＣＡ観測時間(ＣＣＡスロット）の持続期間でオペレーティングチャンネルを再び観測する。カウンタ値が０である場合、ステップ２６３５で、ＬＡＡが最大チャンネル占有時間以下の時間でデータを送信する。
【０１４２】
以上、本発明の詳細な説明においては具体的な実施形態に関して説明したが、特許請求の範囲を外れない限り、様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【符号の説明】
【０１４３】
１００  ネットワーク
１２０  カバレッジ領域
１２５  カバレッジ領域
１３０  ネットワーク
２０５  チャンネル符号化及び変調ブロック
２１０  直列−並列ブロック
２１５  ＩＦＦＴブロック
２２０  並列−直列ブロック
２２５  加算サイクリックプレフィックスブロック
２３０  アップコンバータ
２５５  ダウンコンバータ
２６０  除去サイクリックプレフィックスブロック
２６５  直列−並列ブロック
２７０  ＦＦＴブロック
２７５  並列−直列ブロック
２８０  チャンネル復号化及び復調ブロック
３０５  アンテナ
３１０  RF送受信器
３１５  ＴＸ処理回路
３２０  ＲＸ処理回路
３３０  メモリ
３３５  バックホール又はネットワークインターフェース
４０５  アンテナ
４１０  ＲＦ送受信器
４１５  ＴＸ処理回路
４２０  マイクロホン
４２５  ＲＸ処理回路
４３０  スピーカ
４４０  メインプロセッサ
４４５  Ｉ／Ｏインターフェース
４５０  キーパッド
４５５  ディスプレイ
４６０  メモリ
４６１  基本オペレーティングシステムプログラム
４６２  アプリケーション
８１０  ライセンススペクトル
８２０  アンライセンススペクトル
【手続補正２】
【補正対象書類名】特許請求の範囲
【補正対象項目名】全文
【補正方法】変更
【補正の内容】
【特許請求の範囲】
【請求項１】
無線通信システムにおける免許帯域に対応する第１の周波数帯域と非免許帯域に対応する第２の周波数帯域に基づく通信サービスをサポートする基地局の方法であって、
ダウンリンクで送信するデータが存在する場合、第１の期間の間に前記第２の周波数帯域がアイドル状態であるか否かをセンシングするンシング動作を予め決定された回数だけ遂行するステップと、
前記センシング動作が前記予め決定された回数だけ遂行される前に前記ダウンリンクで送信するデータが存在しない場合、第２の期間の間に前記第２の周波数帯域を使用して探索信号を送信するステップと、を含み、
前記センシング動作が遂行される回数は、前記第２の期間の間に固定され、前記センシング動作が遂行された回数は、前記ダウンリンクを通して送信するデータが存在しないことを認知した時点に前記センシング動作が遂行された回数であることを特徴とする基地局方法。
【請求項２】
前記センシング動作が前記予め決定された回数だけ遂行され、前記第２の周波数帯域が前記第１の期間の間に前記アイドル状態であるとセンシングされた場合、前記第２の周波数帯域を使用してデータを送信するステップをさらに含むことを特徴とする請求項１に記載の基地局方法。
【請求項３】
前記予め決定された回数は、予め決定された範囲内でランダムに決定されることを特徴とする請求項１に記載の基地局方法。
【請求項４】
前記第２の周波数帯域は、前記第１の期間の間に前記第２の周波数帯域に対して検出されたパワーが閾値より低い場合、前記アイドル状態としてセンシングされることを特徴とする請求項１に記載の基地局方法。
【請求項５】
前記第２の期間は、予め決定された期間より小さな期間であることを特徴とする請求項１に記載の基地局方法。
【請求項６】
無線通信システムにおける免許帯域に対応する第１の周波数帯域と非免許帯域に対応する第２の周波数帯域に基づく通信サービスをサポートする端末の方法であって、
第２の期間の間に前記第２の周波数帯域で送信される探索信号を受信するステップを含み、
前記探索信号は、センシング動作が予め決定された回数だけ遂行される前にダウンリンクで送信されるデータが存在しない場合に送信され、
前記センシング動作は、第１の期間の間に前記第２の周波数帯域がアイドル状態であるか否かをセンシングするための動作を示し、前記ダウンリンクで送信されるデータが存在する場合に前記予め決定された回数だけ遂行され、
前記センシング動作が遂行される回数は、前記第２の期間の間に固定され、前記センシング動作が遂行された回数は、前記ダウンリンクで送信されるデータが存在しないことを認知した時点に前記センシング動作が遂行された回数であることを特徴とする端末方法。
【請求項７】
前記センシング動作が前記予め決定された回数だけ遂行され、前記第２の周波数帯域が前記第１の期間の間に前記アイドル状態であるとセンシングされた場合、前記第２の周波数帯域で送信されるデータを受信するステップをさらに含むことを特徴とする請求項６に記載の端末方法。
【請求項８】
前記予め決定された回数は、予め決定された範囲内でランダムに決定されることを特徴とする請求項６に記載の端末方法。
【請求項９】
前記第２の周波数帯域は、前記第１の期間の間に前記第２の周波数帯域に対して検出されたパワーが閾値より低い場合、前記アイドル状態としてセンシングされることを特徴とする請求項６に記載の端末方法。
【請求項１０】
前記第２の期間は、予め決定された期間より小さな期間であることを特徴とする請求項６に記載の端末方法。
【請求項１１】
無線通信システムにおける免許帯域に対応する第１の周波数帯域と非免許帯域に対応する第２の周波数帯域に基づく通信サービスをサポートする基地局であって、
送信部と、
ダウンリンクで送信するデータが存在する場合、第１の期間の間に前記第２の周波数帯域がアイドル状態であるか否かをセンシングするセンシング動作を予め決定された回数だけ遂行し、前記センシング動作が前記予め決定された回数だけ遂行される前に前記ダウンリンクで送信するデータが存在しない場合、第２の期間の間に前記第２の周波数帯域を使用して探索信号を送信するように常時送信部を制御する制御部と、を含み、
前記センシング動作が遂行される回数は、前記第２の期間の間に固定され、前記センシング動作が遂行された回数は、前記ダウンリンクを通して送信するデータが存在しないことを認知した時点に前記センシング動作が遂行された回数であることを特徴とする基地局。
【請求項１２】
前記制御部は、前記センシング動作が前記予め決定された回数だけ遂行され、前記第２の周波数帯域が前記第１の期間の間に前記アイドル状態であるとセンシングされた場合、前記第２の周波数帯域を使用してデータを送信するように前記送信部を制御することを特徴とする請求項１１に記載の基地局。
【請求項１３】
前記予め決定された回数は、予め決定された範囲内でランダムに決定されることを特徴とする請求項１１に記載の基地局。
【請求項１４】
前記第２の周波数帯域は、前記第１の期間の間に前記第２の周波数帯域に対して検出されたパワーが閾値より低い場合、前記アイドル状態としてセンシングされることを特徴とする請求項１１に記載の基地局。
【請求項１５】
前記第２の期間は、予め決定された期間より小さな期間であることを特徴とする請求項１１に記載の基地局。
【請求項１６】
無線通信システムにおける免許帯域に対応する第１の周波数帯域と非免許帯域に対応する第２の周波数帯域に基づく通信サービスをサポートする端末であって、
受信部と、
第２の期間の間に前記第２の周波数帯域で送信される探索信号を受信するように前記受信部を制御する制御部と、を含み、
前記探索信号は、センシング動作が予め決定された回数だけ遂行される前にダウンリンクで送信されるデータが存在しない場合に送信され、
前記センシング動作は、第１の期間の間に前記第２の周波数帯域がアイドル状態であるか否かをセンシングするための動作を示し、前記ダウンリンクで送信されるデータが存在する場合に前記予め決定された回数だけ遂行され、
前記センシング動作が遂行される回数は、前記第２の期間の間に固定され、前記センシング動作が遂行された回数は、前記ダウンリンクで送信されるデータが存在しないことを認知した時点に前記センシング動作が遂行された回数であることを特徴とする端末。
【請求項１７】
前記受信部は、前記センシング動作が前記予め決定された回数だけ遂行され、前記第２の周波数帯域が前記第１の期間の間に前記アイドル状態であるとセンシングされた場合、前記第２の周波数帯域で送信されるデータを受信することを特徴とする請求項１６に記載の端末。
【請求項１８】
前記予め決定された回数は、予め決定された範囲内でランダムに決定されることを特徴とする請求項１６に記載の端末。
【請求項１９】
前記第２の周波数帯域は、前記第１の期間の間に前記第２の周波数帯域に対して検出されたパワーが閾値より低い場合、前記アイドル状態としてセンシングされることを特徴とする請求項１６に記載の端末。
【請求項２０】
前記第２の期間は、予め決定された期間より小さな期間であることを特徴とする請求項１６に記載の端末。
【国際調査報告】
2017535198.tif 000066
2017535198.tif 000067